(57)【要約】【課題】複数のチャネル間のチャネル品質情報の差分で通知する場合に、差分に基づいて復元するチャネル品質情報の精度を向上させる通知情報を生成する。【解決手段】基地局装置１００と端末装置２００とが複数のチャネルを用いて通信を行なう通信システムであって、端末装置２００は、複数の通知情報候補値が候補値番号に対応付けられて構成される通知情報テーブル４０１を用いて、前記複数のチャネルの受信の状態から得られる変調パラメータに対応する通知情報を生成し、前記生成した通知情報を前記基地局装置に送信し、基地局装置１００は、前記候補値番号に対応付けられた通知情報候補値に関する情報を前記端末装置に通知して、前記端末装置内の前記通知情報テーブル４０１を更新する。【選択図】図３
2010283892.tif 000002
【特許請求の範囲】
【請求項１】
基地局装置と端末装置とが複数のチャネルを用いて通信を行なう通信システムであって、
前記端末装置は、
複数の通知情報候補値が候補値番号に対応付けられて構成される通知情報テーブルを用いて、前記複数のチャネルの受信の状態から得られる変調パラメータに対応する通知情報を生成し、
前記生成した通知情報を前記基地局装置に送信し、
前記基地局装置は、
前記候補値番号に対応付けられた通知情報候補値に関する情報を前記端末装置に通知して、前記端末装置内の前記通知情報テーブルを更新することを特徴とする通信システム。
【請求項２】
端末装置と複数のチャネルを用いて通信を行なう基地局装置であって、
候補値番号に対応付けられた、前記複数のチャネルの受信の状態から得られる変調パラメータに対応する通知情報の候補値である複数の通知情報候補値を、前記端末装置に通知して、前記通知情報候補値が前記候補値番号に対応付けられて構成される前記端末装置内の通知情報テーブルを更新することを特徴とする基地局装置。
【発明の詳細な説明】
【技術分野】
【０００１】
本発明は、複数のサブキャリアを用いて通信を行なう通信方式において、通信先へ伝搬路状態に関連する情報を通知する通知情報を生成する技術に関する。
【背景技術】
【０００２】
通信システムにおいて通信の効率（システムのトータルスループットや伝送速度）を向上させるために、受信状態に応じて変調方式、チャネル符号化率、誤り訂正符号化方式、拡散率、コード多重数、送信電力またはそれらの組み合わせなど（以下、変調パラメータと記す）を決定する適応変調方式が検討されている（非特許文献１および非特許文献２参照）。
【０００３】
適応変調方式を採用した通信システムでは、次に掲げる伝搬路状態、あるいはこれら伝搬路状態に応じて選択された変調パラメータを、受信の状態から得られる情報として通信相手装置に通知する必要がある。すなわち、
「受信信号電力対雑音電力比（ＳＮＲ：Ｓｉｇｎａｌ  ｔｏ  Ｎｏｉｓｅ  ｐｏｗｅｒ  Ｒａｔｉｏ）」、
「受信信号電力対干渉電力比（ＳＩＲ：Ｓｉｇｎａｌ  ｔｏ  Ｉｎｔｅｒｆｅｒｅｎｃｅ  ｐｏｗｅｒ  Ｒａｔｉｏ）」、
「受信信号電力対干渉電力および雑音電力比（ＳＩＮＲ：Ｓｉｇｎａｌ  ｔｏ  Ｉｎｔｅｒｆｅｒｅｎｃｅ  ｐｌｕｓ  Ｎｏｉｓｅ  ｐｏｗｅｒ  Ｒａｔｉｏ）」、
「搬送波電力対雑音電力比（ＣＮＲ：Ｃａｒｒｉｅｒ  ｔｏ  Ｎｏｉｓｅ  ｐｏｗｅｒ  Ｒａｔｉｏ）」、
「搬送波電力対干渉電力比（ＣＩＲ：Ｃａｒｒｉｅｒ  ｔｏ  Ｉｎｔｅｒｆｅｒｅｎｃｅ  ｐｏｗｅｒ  Ｒａｔｉｏ）」、
「搬送波電力対干渉電力および雑音電力比（ＣＩＮＲ：Ｃａｒｒｉｅｒ  ｔｏ  Ｉｎｔｅｒｆｅｒｅｎｃｅ  ｐｌｕｓ  Ｎｏｉｓｅ  ｐｏｗｅｒ  Ｒａｔｉｏ）」、
「希望信号電力対非希望信号電力比（ＤＵＲ：Ｄｅｓｉｒｅｄ  ｓｉｇｎａｌ  ｔｏ  Ｕｎｄｅｓｉｒｅｄ  ｓｉｇｎａｌ  ｐｏｗｅｒ  Ｒａｔｉｏ）」、
「１シンボル当たりの平均受信エネルギー対雑音電力密度比（Ｅｓ／Ｎ０）」、
「１ビット当たりの平均受信エネルギー対雑音電力密度比（Ｅｂ／Ｎ０）」、
「１シンボル当たりの平均受信エネルギー対干渉電力密度比（Ｅｓ／Ｉ０）」、
「１ビット当たりの平均受信エネルギー対干渉電力密度比（Ｅｂ／Ｉ０）」である。
【０００４】
例えば、基地局装置と端末装置から構成され、基地局装置から端末装置への通信（以下、下りリンクと記す）と端末装置から基地局装置への通信（以下、上りリンクと記す）において周波数分割複信（Ｆｒｅｑｕｅｎｃｙ  Ｄｉｖｉｓｉｏｎ  Ｄｕｐｌｅｘ、以下「ＦＤＤ」と記す）を採用するシステムにおいて、下りリンクに適応変調方式を適用する場合、以下のようなシステム構成が可能である。
【０００５】
（１）端末装置が下りリンクの受信信号から伝搬路状態を推定し、その推定された伝搬路状態を基地局装置へ上りリンクの通知情報として通知する。基地局装置はその通知情報に基づいて下りリンクにおける前記端末装置宛のデータのための変調パラメータを選択して適応変調を行ない、その適応変調されたデータの送信に先立って前記選択した変調パラメータを端末装置へ下りリンクの通知情報として通知する。
【０００６】
（２）端末装置が下りリンクの受信信号から伝搬路状態を推定し、それに基づいて下りリンクにおける自端末装置宛の送信データのための変調パラメータを選択し、その選択された変調パラメータを基地局装置へ上りリンクの通知情報として通知し、基地局装置はその変調パラメータに基づいて下りリンクにおける前記端末装置宛のデータの適応変調を行ない、その適応変調されたデータの送信に先立って前記選択した変調パラメータを端末装置へ下りリンクの通知情報として通知する。
【０００７】
なお、本明細書において、単に通知情報と記述する場合は、上りリンクの通知情報と下りリンクの通知情報の一方あるいは両方を示すこととする。
【０００８】
最新の下りリンクの受信信号から求めたＣＩＲと、過去の通知情報の総和とを比較し、増加しているか減少しているかの２値の情報を上りリンクの通知情報として通知するシステムが提案されている（非特許文献３参照）。
【０００９】
図５３は、従来の通知情報を生成する通知情報生成装置９００の構成の一例を示すブロック図である。
【００１０】
判定部９０１は、受信信号から測定したＣＩＲ測定値を入力し、初回の通知では前記ＣＩＲ測定値をそのまま通知情報として出力すると同時に、アキュムレータ９０２へ前記ＣＩＲ測定値を出力する。さらに判定部９０１は、アキュムレータ９０２に記憶されている記憶値を入力し、初回の通知以外においては前記ＣＩＲ測定値と前記記憶値とを比較し、前記ＣＩＲ測定値の方が大きい場合は「ＵＰ」という通知情報を出力すると同時に、前記記憶値に０．５ｄＢを加算した値（加算結果）をアキュムレータ９０２へ出力し、前記ＣＩＲ測定値の方が小さい場合は「ＤＯＷＮ」という通知情報を出力すると同時に、前記記憶値に−０．５ｄＢを加算した値（加算結果）をアキュムレータ９０２へ出力し、前記ＣＩＲ測定値と前記記憶値が同じ場合は前記ＣＩＲ測定値を出力する。
【００１１】
アキュムレータ９０２は、判定部９０１から入力した前記ＣＩＲ測定値または前記加算結果を記憶し、記憶した記憶値を判定部９０１へ出力する。
【００１２】
例えば、複数のサブキャリアを用いて情報を伝送するマルチキャリア通信システムにおいて、サブキャリア毎または複数のサブキャリアからなるブロック毎に適応変調を行なうことにより、さらに通信の効率を向上させるサブキャリア適応変調方式が検討されている（非特許文献４および非特許文献５参照）。
【００１３】
このようなマルチキャリア通信システムにおけるサブキャリア適応変調方式では、サブキャリア毎またはサブキャリアのブロック毎に受信の状態から得られる情報を通信相手装置に通知する必要がある。
【００１４】
マルチキャリア通信システムにおいて、受信の状態から得られる情報であるＣＳＩ（Ｃｈａｎｎｅｌ  Ｓｔａｔｅ  Ｉｎｆｏｒｍａｔｉｏｎ）を、複数のサブキャリアをグループ化し、グループ内のＣＳＩの平均値を元のＣＳＩから減算したものを新たなＣＳＩとし、さらにグループを複数のサブグループに分割し、各サブグループについて同様に平均値を計算し元のＣＳＩから減算するという操作を複数階層のサブグループで繰返し、各階層で得られた平均値を階層毎に異なる周期で更新し通知する方式が提案されている（非特許文献６参照）。
【００１５】
また、マルチキャリア通信システムの１つである直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘ、以下ＯＦＤＭと記す）を元とした多元接続システムである直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ、以下ＯＦＤＭＡと記す）のシステムにおいて適応変調を行なう場合に、選択されたバンド（サブキャリアのグループ）に関して、上りリンクの通知情報であるＣＱＩ（Ｃｈａｎｎｅｌ  Ｑｕａｌｉｔｙ  Ｉｎｄｉｃａｔｏｒ）を前回の通知からの差分値で通知する方式が提案されている（非特許文献７）。
【先行技術文献】
【非特許文献】
【００１６】
【非特許文献１】山村孝子他著「適応変調を用いたＯＦＤＭ移動無線伝送システムの一検討」、電子情報通信学会技術研究報告、ＲＣＳ９９−１４６、１９９９年１１月、ｐ．３３−４０
【非特許文献２】岸山祥久他著「下りリンクＶＳＦ−ＯＦＣＤＭブロードバンド無線アクセスにおける適応変復調・チャネル符号化のスループット特性の実験結果」、電子情報通信学会技術研究報告、ＲＣＳ２００３−２５、２００３年５月、ｐ．７−１４
【非特許文献３】「Ｍｅｄｉｕｍ  Ａｃｃｅｓｓ  Ｃｏｎｔｒｏｌ（ＭＡＣ）  Ｓｔａｎｄａｒｄ  ｆｏｒ  ｃｄｍａ２０００  Ｓｐｒｅａｄ  Ｓｐｅｃｔｒｕｍ  Ｓｙｓｔｅｍｓ  Ｒｅｌｅａｓｅ  Ｄ」、ＡＲＩＢ  ＳＴＤ−Ｔ６４−Ｃ．Ｓ０００３−Ｄ  ｖ１．０、電波産業会、２００５年９月、ｐ．２−１４５−２−１４７、
【非特許文献４】吉識知明他著「高速データ伝送のためのマルチレベル送信電力制御を用いたＯＦＤＭ適応変調方式」、電子情報通信学会論文誌Ｂ、Ｖｏｌ．Ｊ８４−Ｂ、Ｎｏ．７、２００１年７月、ｐ．１１４１−１１５０
【非特許文献５】前原文明他著「サブキャリア適応変調を用いたＯＦＤＭ／ＴＤＤ伝送方式の検討」、２００１年電子情報通信学会総合大会、Ｂ−５−１００、２００１年３月、ｐ．４９８
【非特許文献６】元吉克幸他著「ＯＦＤＭ  ＦＤＤにおけるＣＳＩフィードバック情報量削減手法の検討」、２００５年電子情報通信学会ソサイエティ大会、Ｂ−５−２８、２００５年９月、ｐ．４２８
【非特許文献７】「Ｕｐｌｉｎｋ  ＣＱＩ  ｃｈａｎｎｅｌ  ｆｏｒ  ＯＦＤＭＡ  ＰＨＹ」、ＩＥＥＥ８０２．１６ｄ−０４／８４ｒ１、（米国）、米国電気電子学会、２００４年４月２８日
【発明の開示】
【発明が解決しようとする課題】
【００１７】
しかしながら、複数のサブキャリアに情報を乗せて通信を行なうようなマルチキャリア通信システムにおいて、少なくとも１つのサブキャリアからなるサブキャリアブロック毎に適応変調を行なう場合には、サブキャリアブロック毎に受信の状態から得られる情報を通知する必要がある。しかし、受信の状態から得られる情報をそのまま通知する場合、通知情報として（受信の状態から得られる情報を表すために必要なビット数）×（サブキャリアブロック数）のビット数の情報が必要である。例えば、受信の状態から得られる情報を表すために必要なビット数が８ビット、サブキャリアブロック数が７６８個のシステムの場合、１回の通知情報として６１４４ビット必要となる。
【００１８】
このようにビット数の大きな通知情報は、データの通信に対して大きなオーバヘッドになり、システムのスループットの低下をひき起こすという問題があった。また、これらの通知情報を、通信装置間の制御情報のやり取りに利用する制御チャネルなどを用いて通知する場合、限られた制御チャネルの帯域を圧迫してしまう問題があった。さらに送受信に必要な時間が長くなるため、消費電力の増大にもつながってしまうという問題があった。
【００１９】
また、非特許文献３では測定値と記憶値の大小のみでレベルの上げ下げを決定しているが、通知情報が複数ビットに及ぶ場合、測定値と記憶値の大小のみではなく、より詳細な比較が必要となる。
【００２０】
非特許文献６では、ＯＦＤＭシステムにおいて、サブキャリアを階層的にグループ化し、グループ内のＣＳＩの平均値と元のＣＳＩとの差を各階層にわたって繰返し求め、その各階層で得られたＣＳＩの平均値を階層毎に異なる周期で更新し通知する方式が提案されている。この方式では通知情報の情報量が毎回大きく変動するため、通知情報を制御情報の一部として伝送する一般的なシステムにおいて、制御情報を伝送する制御チャネルの構成が複雑化するという問題があった。
【００２１】
さらに、音声データ等の差分を用いた圧縮時に比べて、通信システムにおける制御情報の情報量削減は、誤り耐性に対する要求が高く、また、通知情報が示す変調パラメータにおける誤り訂正符号化利得を考慮した設計が必要であるため、音声データ等の差分を用いた圧縮技術をそのまま適用することは困難である。
【００２２】
本発明は、このような事情に鑑みてなされたものであり、各チャネルの受信状態から得られるチャネル品質情報を、複数のチャネル間のチャネル品質情報の差分を用いて通信先へ通知する場合に、差分に基づいて復元するチャネル品質情報の精度を向上させる通知情報を生成する通信システムおよび基地局装置を提供することを目的とする。
【課題を解決するための手段】
【００２３】
（１−１−３）上記の目的を達成するため、本発明は、以下のような手段を講じた。すなわち、本発明に係る通知情報生成装置は、複数のチャネルを用いて通信を行なう通信方式で各チャネルの受信の状態から得られるチャネル品質情報に基づいて通知情報を生成する通知情報生成装置であって、二つのチャネル品質情報の差を示す少なくとも一つの差分値候補値と、チャネル品質情報を示す少なくとも一つの非差分値候補値を含む通知情報の候補値から、一つの候補値を選択し、選択した候補値に基づいて通知情報を生成することを特徴とする。
【００２４】
このように、二つのチャネル品質情報の差分値を算出し、差分値を差分値候補値と非差分値候補値とのいずれかで近似した通知情報を生成して通信先に通知することにより、通知情報の情報量を削減するとともに、通知情報に基づいて復元されるチャネル品質情報の精度の向上を図ることができる。通知情報として非差分値候補値を用いることにより、差分値候補値では通知できない情報（差分値が差分値候補値を超える場合の情報など）を通知することが可能になり、復元するチャネル品質情報の精度の向上を図ることができる。
【００２５】
（２−１−４）本発明に係る通知情報生成装置は、複数のチャネルを用いて通信を行なう通信方式で各チャネルの受信の状態から得られるチャネル品質情報に基づいて通知情報を生成する通知情報生成装置であって、通知情報の候補値として、二つのチャネル品質情報の差を示す差分値候補値と、チャネル品質情報を示す非差分値候補値とを複数記憶する通知情報テーブルと、第一のチャネルのチャネル品質情報に基づいて生成された通知情報を用いて復元値を生成する復元部と、前記第一のチャネルとは異なる第二のチャネルのチャネル品質情報を入力し、前記第二のチャネルのチャネル品質情報と前記復元値とに基づいて、前記通知情報の候補値から一つの候補値を選択し、選択した候補値に基づいて通知情報を生成する選択部と、を備えることを特徴とする。
【００２６】
このように、第一のチャネルの復元値と第二のチャネルとのチャネル品質情報に基づいて、差分値候補値と非差分値候補値とのいずれかを選択し、選択した候補値に基づいて通知情報を生成して通信先に通知することにより、通知情報の情報量を削減するとともに、通知情報に基づいて復元されるチャネル品質情報の精度の向上を図る。通知情報として非差分値候補値を用いることにより、差分値候補値では通知できない情報（差分値が差分値候補値を超える場合の情報など）を通知することが可能になり、復元するチャネル品質情報の精度の向上を図ることができる。
【００２７】
（３−１−５）さらに、本発明に係る通知情報生成装置において、前記選択部は、前記第二のチャネルのチャネル品質情報と前記復元値との差分値と、前記第二のチャネル品質情報とに基づいて、候補値を選択することを特徴とする。
【００２８】
このように、前記選択部は、算出した差分値と、前記第二のチャネルの品質情報とに基づいて、候補値を選択することにより、差分値候補値と非差分値候補値とのいずれかを適切に選択することができる。
【００２９】
（４−１−６）本発明に係る通知情報生成装置において、前記復元部は、前記第一のチャネルのチャネル品質情報を復元した第一のチャネルの復元値を生成し、前記選択部は、前記第二のチャネルのチャネル品質情報と前記第一のチャネルの復元値との差分値を算出し、算出した差分値に基づいて、前記通知情報の候補値から一つの候補値を選択することを特徴とする。
【００３０】
このように、暫定的な第二のチャネルの復元値と第二のチャネルとのチャネル品質情報の差分値を算出し、差分値を差分値候補値と非差分値候補値とのいずれかで近似した通知情報を生成して通信先に通知することにより、通知情報の情報量を削減するとともに、通知情報に基づいて復元されるチャネル品質情報の精度の向上を図ことができる。
【００３１】
（５−１−７）本発明に係る通知情報生成装置において、前記選択部は、前記第一のチャネルの復元値と前記差分値候補値とを加算した値、前記非差分値候補値および前記第二のチャネルのチャネル品質情報に基づいて、一つの候補値を選択して通知情報を生成することを特徴とする。
【００３２】
このように、前記選択部は、前記第一のチャネルの復元されたチャネル品質情報と前記差分値候補値を加算した値と、前記非差分値候補値と、前記第二のチャネルのチャネル品質情報とに基づいて、一つの候補値を選択することにより、より適切な通知情報を生成し、復元されるチャネル品質情報の精度を向上させることができる。
【００３３】
（６−１−８）本発明に係る通知情報生成装置において、前記復元部は、前記非差分値候補値と、前記第一のチャネルのチャネル品質情報を復元した復元値に前記差分値候補値を加算した値とを含む暫定的な複数の第二のチャネルの復元値を生成し、前記選択部は、前記第二のチャネルのチャネル品質情報と、前記複数の第二のチャネルの復元値それぞれとの差分値に基づいて、前記通知情報の候補値から一つの候補値を選択することを特徴とする。
【００３４】
このように、暫定的な第二のチャネルの復元値と第二のチャネルとのチャネル品質情報の差分値を算出し、差分値を差分値候補値と非差分値候補値とのいずれかで近似した通知情報を生成して通信先に通知することにより、通知情報の情報量を削減するとともに、通知情報に基づいて復元されるチャネル品質情報の精度の向上を図ことができる。
【００３５】
（７−１−９）本発明に係る通知情報生成装置において、前記選択部は、前記複数のチャネルのチャネル品質情報を入力し、入力した複数のチャネル品質情報に基づいて、通知情報の候補値を決定し、決定した通知情報の候補値に基づいて前記通知情報テーブルを更新することを特徴とする。
【００３６】
このように、非差分値候補値を複数のチャネル品質情報に基づいて決定し、通知情報テーブルを更新することにより、伝搬路状態に柔軟に適応して適切な通知情報候補値を決定して通知情報を生成し、復元されるチャネル品質情報の精度を向上させることができる。
【００３７】
（８−１−１０）本発明に係る通知情報生成装置において、前記選択部は、差分値を算出する起点となる起点チャネルの情報を保持し、前記第二のチャネルが差分値を算出する起点となる場合、通知情報として、前記第二のチャネルのチャネル品質情報、または、所定のチャネル品質情報とのいずれか一方を出力し、前記復元部は、前記選択部が生成した通知情報を、各チャネルの通知情報として複数入力し、前記起点チャネルの通知情報へ順次各チャネルの通知情報を加算した累積値を算出して復元値を生成することを特徴とする。
【００３８】
このように、起点チャネルの情報を通知されたチャネル品質情報または所定のチャネル品質情報にすることにより、復元されるチャネル品質情報の精度を向上させることができる。前記所定のチャネル品質情報は、非差分値候補値のいずれかであってもよいし、複数のチャネル品質情報の平均値を用いる場合であってもよい。
【００３９】
（９−１−１１）本発明に係る通知情報生成装置において、前記選択部は、差分値を算出する起点となる複数の起点チャネルの情報を保持し、前記第二のチャネルが差分値を算出する起点チャネルの一つである場合、通知情報として、前記第二のチャネルのチャネル品質情報、または、所定のチャネル品質情報とのいずれか一方を出力し、前記復元部は、前記選択部が生成した通知情報を、各チャネルの通知情報として複数入力し、複数の起点チャネルのうちのいずれかのチャネルの通知情報へ順次各チャネルの通知情報を加算した累積値を算出して復元値を生成することを特徴とする。
【００４０】
このように、起点チャネルの情報を通知されたチャネル品質情報または所定のチャネル品質情報にすることにより、復元されるチャネル品質情報の精度を向上させることができる。前記所定のチャネル品質情報は、非差分値候補値のいずれかであってもよいし、複数のチャネル品質情報の平均値を用いる場合であってもよい。また、複数の起点チャネルを配置することにより、復元値の精度を向上させることができる。
【００４１】
（１０−１−１２）本発明に係る通知情報生成装置において、前記復元部は、復元値を生成する対象チャネルに近い起点チャネルから前記対象チャネルまでの各チャネルの通知情報を順次加算した累積値を算出して復元値を生成することを特徴とする。
【００４２】
このように、対象チャネルにより近い起点チャネルを用いて通知情報および復元値を生成することができる。これにより、通知情報と復元値の精度を向上させることができる。
【００４３】
（１１−１−１３）本発明に係る通知情報生成装置において、前記復元部は、前記複数の起点チャネルの位置および非差分値候補値が通知情報として選択されたチャネルの位置に基づいて、各チャネルの復元値に生成において、前記累積値に通知情報を加算するチャネルを決定することを特徴とする。
【００４４】
このように、二つの起点チャネルの間に存在するチャネルについて、起点チャネルの位置と非差分値候補値が通知情報として選択されたチャネルの位置に基づいて、累積値に加算する通知情報を選択することが可能になる。これにより、非差分値候補値が選択されたチャネルのように、他のチャネルとの差分値が大きくなっているチャネルの影響を小さくして復元値を生成することが可能になる。これにより、通知情報と復元値の精度を向上させることができる。
【００４５】
（１２−１−１４）本発明に係る通知情報生成装置において、前記複数の起点チャネルの数と配置間隔との少なくとも一方は、前記複数のチャネルのチャネル間隔、受信状態から得られる伝搬路の遅延分散値、ドップラー周波数または各チャネル間のチャネル品質情報の変動幅のうち少なくとも一つに基づいて決定することを特徴とする。
【００４６】
このように、周波数方向の変動に応じて（完全なチャネル品質情報を通知する）起点となるチャネルの数および間隔を適切に制御することで、精度が高く効率の良い通知情報と復元値を生成することが可能になる。
【００４７】
（１３−１−１５）本発明に係る通知情報生成装置において、前記通知情報テーブルは、前記複数の起点チャネルの数および配置間隔のうち少なくとも一つに基づいて決定した通知情報の候補値を記憶することを特徴とする。
【００４８】
このように、起点チャネルの数並びに配置間隔の変更に応じて、通知情報の候補値を変更して通知情報テーブルに記憶することにより、より精度の高い通知情報並びに復元値の生成ができる。これにより、精度が高く効率の良い通知情報と復元値を生成することが可能になる。
【００４９】
（１４−１−１６）本発明に係る通知情報生成装置において、前記通知情報テーブルは、前記複数の起点チャネルの数に反比例する関係または前記複数の起点チャネルの配置間隔に比例する関係のいずれかに基づいて、記憶する通知情報の候補値の数を多くすることを特徴とする。
【００５０】
このように、起点チャネルの数が少ないほど、または、起点チャネルの配置間隔が広いほど、候補値のビット数を増やし、逆に数が多いほど、または、起点チャネルの配置間隔が狭いほど、候補値のビット数を減らすことによって、通知情報を伝送するために必要な総ビット数を（ほぼ）一定に保つように制御することができる。また、起点チャネルの配置間隔が広いほど、起点間チャネルにおける変動幅（チャネル品質情報のばらつき）が大きくなる可能性が高いため、より多くのビット数を使用して候補値の数を増やすことで、精度を保つことも可能になる。
【００５１】
（１５−１−１７）本発明に係る通知情報生成装置において、前記復元部は、任意のチャネルの通知情報が非差分値候補値である場合、前記累積値を前記任意のチャネルの通知情報と置き換えて、前記任意のチャネルの復元値を生成することを特徴とする。
【００５２】
このように、累積値を算出してチャネル品質情報を復元する際に、通知情報が非差分値候補値である場合に、累積値へ通知情報（非差分値候補値）を代入して置き換えることにより、復元するチャネル品質情報の精度を向上させることができる。
【００５３】
（１６−１−１８）本発明に係る通知情報生成装置において、前記復元部は、任意のチャネルの通知情報が前記非差分値候補値である場合、前記累積値へ前記任意のチャネルの通知情報を加算しないで前記任意のチャネルの復元値を生成することを特徴とする。
【００５４】
このように、累積値を算出してチャネル品質情報を復元する際に、通知情報が非差分値候補値である場合に、累積値へ通知情報（非差分値候補値）を加算しないことにより、復元するチャネル品質情報の精度を向上させることができる。
【００５５】
（１７−１−１９）本発明に係る通知情報生成装置において、前記選択部は、ｎビットの通知情報を生成し、前記通知情報テーブルは、通知情報の候補値を識別する候補値番号を２ｎ個記憶するｎビットと、前記２ｎ個の候補値番号それぞれと対応する通知情報の候補値を記憶する記憶領域を有していることを特徴とする。
【００５６】
このように、候補値番号を用いて通知情報をｎビットで生成することにより、通知情報の情報量を抑制することができる。これにより、通信装置間で送受信する制御情報量を抑制することができる。
【００５７】
（１８−１−２０）本発明に係る通知情報生成装置において、前記非差分値候補値は、送信を行なわないチャネルであることを示す情報を含むことを特徴とする。
【００５８】
このように、非差分値候補値として、当該チャネルが送信を行なわないキャリアホールを示す情報を含めることにより、通信先へキャリアホールの存在を通知することができる。
【００５９】
（１９−１−２１）本発明に係る通知情報生成装置において、前記非差分値候補値は、前記複数のチャネルのなかで伝搬路状態が劣悪なチャネルから通知されたチャネル品質情報を示す情報を含むことを特徴とする。
【００６０】
このように、非差分値候補値として、当該チャネルの伝搬路状態が劣悪なことを示す情報を含めることにより、通信先へ伝搬路状態が悪いことを通知することができる。また、複数のチャネル間に伝搬路状態が他のチャネルに比べ極端に悪いチャネルが存在する場合であっても伝搬路状態をより正確に通知することができる。
【００６１】
（２０−１−２２）本発明に係る通知情報生成装置において、前記非差分値候補値は、前記複数のチャネルのチャネル品質情報について統計を行なって算出したチャネル品質情報を示す情報を含むことを特徴とする。
【００６２】
このように、複数のチャネル品質情報について統計を行なった情報に基づいて非差分値候補値を決定することにより、適切に伝搬路状態を示す情報を通知することができる。
【００６３】
（２１−１−２７）本発明に係る通信装置は、複数のチャネルを用いて通信を行なう通信装置であって、上記（１−１−３）から（２０−１−２２）のいずれかに記載の通知情報生成装置と、前記通知情報生成装置が生成した通知情報を、通信相手に送信する送信部と、を備えることを特徴とする。
【００６４】
このように、二つのチャネル品質情報の差分値を算出し、差分値を差分値候補値と非差分値候補値とのいずれかで近似した通知情報を生成して通信先に通知することにより、通知情報の情報量を削減するとともに、通知情報に基づいて復元されるチャネル品質情報の精度の向上を図ることができる。これにより、送信部（無線送信部）が送信する通知情報量を抑制することもできる。
【００６５】
（２２−１−２８）本発明に係る通知情報生成方法は、複数のチャネルを用いて通信を行なう通信方式で各チャネルの受信の状態から得られるチャネル品質情報に基づいて通知情報を生成する通知情報生成方法であって、二つのチャネル品質情報の差を示す少なくとも一つの差分値候補値と、チャネル品質情報を示す少なくとも一つの非差分値候補値を含む通知情報の候補値から、一つの候補値を選択し、選択した候補値に基づいて通知情報を生成することを特徴とする。
【００６６】
このように、二つのチャネル品質情報の差分値を算出し、差分値を差分値候補値と非差分値候補値とのいずれかで近似した通知情報を生成して通信先に通知することにより、通知情報の情報量を削減するとともに、通知情報に基づいて復元されるチャネル品質情報の精度の向上を図ることができる。通知情報として非差分値候補値を用いることにより、差分値候補値では通知できない情報（差分値が差分値候補値を超える場合の情報など）を通知することが可能になり、復元するチャネル品質情報の精度の向上を図ることができる。
【００６７】
（２３−１−２９）本発明に係る通知情報生成方法は、複数のチャネルを用いて通信を行なう通信方式で各チャネルの受信の状態から得られるチャネル品質情報に基づいて通知情報を生成する通知情報生成方法であって、複数のチャネルを用いて通信を行なう通信方式で各チャネルの受信の状態から得られるチャネル品質情報に基づいて通知情報を生成する通知情報生成方法であって、通知情報の候補値として、二つのチャネル品質情報の差を示す差分値候補値と、チャネル品質情報示す非差分値候補値とを通知情報テーブルへ複数記憶するステップと、第一のチャネルのチャネル品質情報に基づいて生成された通知情報を用いて復元値を生成するステップと、前記第一のチャネルとは異なる第二のチャネルのチャネル品質情報を入力し、前記第二のチャネルのチャネル品質情報と前記復元値とに基づいて、前記通知情報の候補値から一つの候補値を選択し、選択した候補値に基づいて通知情報を生成するステップと、を備えることを特徴とする。
【００６８】
このように、通知情報として非差分値候補値を用いることにより、差分値候補値では通知できない情報（差分値が差分値候補値を超える場合の情報など）を通知することが可能になり、復元するチャネル品質情報の精度の向上を図ることができる。
【００６９】
（２４−１−３０）本発明に係る通知情報を生成する手順をコンピュータに実行させるためのプログラムは、複数のチャネルを用いて通信を行なう通信方式で各チャネルの受信の状態から得られるチャネル品質情報に基づいて通知情報を生成する手順をコンピュータに実行させるためのプログラムであって、通知情報の候補値として、二つのチャネル品質情報の差を示す差分値候補値と、チャネル品質情報示す非差分値候補値とを通知情報テーブルへ複数記憶する手順と、第一のチャネルのチャネル品質情報に基づいて生成された通知情報を用いて復元値を生成する手順と、前記第一のチャネルとは異なる第二のチャネルのチャネル品質情報を入力し、前記第二のチャネルのチャネル品質情報と前記復元値とに基づいて、前記通知情報の候補値から一つの候補値を選択し、選択した候補値に基づいて通知情報を生成する手順と、をコンピュータに実行させる。
【００７０】
このように、通知情報として非差分値候補値を用いることにより、差分値候補値では通知できない情報（差分値が差分値候補値を超える場合の情報など）を通知することが可能になり、復元するチャネル品質情報の精度の向上を図ることができる。
【００７１】
（２５−２−１）また、本発明に係る通知情報生成装置は、複数のチャネルを用いて通信を行なう通信方式で各チャネルの受信の状態から得られるチャネル品質情報に基づいて通知情報を生成する通知情報生成装置であって、二つのチャネル品質情報の差を符号を伴って示す少なくとも一つの差分値候補値と、二つのチャネル品質情報の差の絶対値を示す少なくとも一つの絶対値候補値とを含む通知情報の候補値から、一つの候補値を選択し、選択した候補値に基づいて通知情報を生成する選択部を、備えることを特徴とする。
【００７２】
このように、差分値を差分値候補値と絶対値候補値とのいずれかで近似した通知情報を生成して通信先に通知することにより、通知情報の情報量を削減すると共に、通知情報に基づいて復元されるチャネル品質情報の精度の向上を図る。通知情報として絶対値候補値を用いることにより、差分値候補値では通知できない情報（差分値が差分値候補値を超える場合の情報など）を通知することが可能になり、復元するチャネル品質情報の精度の向上を図ることができる。
【００７３】
（２６−２−２）また、本発明に係る通知情報生成装置において、通知情報の候補値として、前記差分値候補値と、前記絶対値候補値とを複数記憶する通知情報テーブルと、第一のチャネルのチャネル品質情報に基づいて生成された通知情報を用いて復元値を生成する復元部と、を更に備え、前記選択部は、前記第一のチャネルとは異なる第二のチャネルのチャネル品質情報を入力し、前記第二のチャネルのチャネル品質情報と前記復元値とに基づいて、前記通知情報の候補値から一つの候補値を選択し、選択した候補値に基づいて通知情報を生成することを特徴とする。
【００７４】
このように、第一のチャネルの復元値と第二のチャネルとのチャネル品質情報に基づいて、差分値候補値と絶対値候補値とのいずれかを選択し、選択した候補値に基づいて通知情報を生成して通信先に通知することにより、通知情報の情報量を削減すると共に、通知情報に基づいて復元されるチャネル品質情報の精度の向上を図る。通知情報として絶対値候補値を用いることにより、差分値候補値では通知できない情報（差分値が差分値候補値を超える場合の情報など）を通知することが可能になり、復元するチャネル品質情報の精度の向上を図ることができる。
【００７５】
（２７−２−３）さらに、本発明に係る通知情報生成装置において、前記復元部は、前記第一のチャネルのチャネル品質情報を復元した第一のチャネルの復元値を生成し、前記選択部は、前記第二のチャネルのチャネル品質情報と前記第一のチャネルの復元値との差分値を算出し、算出した差分値に基づいて、前記通知情報の候補値から一つの候補値を選択することを特徴とする。
【００７６】
このように、前記選択部は、算出した差分値と、前記第二のチャネルの品質情報とに基づいて、候補値を選択することにより、差分値候補値と絶対値候補値とのいずれかを適切に選択することができる。
【００７７】
（２８−２−４）本発明に係る通知情報生成装置において、前記復元部は、前記第一のチャネルのチャネル品質情報を復元した復元値に前記通知情報の候補値を加算した暫定的な第二のチャネルの復元値を複数生成し、前記選択部は、前記第二のチャネルのチャネル品質情報と、前記複数の第二のチャネルの復元値それぞれとの複数の差分値に基づいて、前記通知情報の候補値から一つの候補値を選択することを特徴とする。
【００７８】
このように、暫定的な第二のチャネルの復元値と第二のチャネルとのチャネル品質情報の差分値を算出し、差分値を差分値候補値と絶対値候補値とのいずれかで近似した通知情報を生成して通信先に通知することにより、通知情報の情報量を削減すると共に、通知情報に基づいて復元されるチャネル品質情報の精度の向上を図ことができる。
【００７９】
（２９−２−５）本発明に係る通知情報生成装置において、前記選択部は、前記複数のチャネルのチャネル品質情報を入力し、入力した複数のチャネル品質情報に基づいて、通知情報の候補値を決定し、決定した通知情報の候補値に基づいて前記通知情報テーブルを更新することを特徴とする。
【００８０】
このように、絶対値候補値を複数のチャネル品質情報に基づいて決定し、通知情報テーブルを更新することにより、伝搬路状態に柔軟に適応して適切な通知情報候補値を決定して通知情報を生成し、復元されるチャネル品質情報の精度を向上させることができる。
【００８１】
（３０−２−６）本発明に係る通知情報生成装置において、前記選択部は、差分値を算出する起点となるチャネルの情報を入力し、前記第二のチャネルが差分値を算出する起点となる場合、通知情報として、前記第二のチャネルのチャネル品質情報、または、所定のチャネル品質情報とのいずれか一方を出力し、前記復元部は、前記選択部が生成した通知情報を、各チャネルの前回通知情報として複数入力し、起点となるチャネルの前回通知情報へ順次各チャネルの前回通知情報を加算した累積値を算出して復元値を生成することを特徴とする。
【００８２】
このように、起点となるチャネルの情報を通知されたチャネル品質情報または所定のチャネル品質情報にすることにより、復元されるチャネル品質情報の精度を向上させることができる。前記所定のチャネル品質情報は、絶対値候補値のいずれかであってもよいし、複数のチャネル品質情報の平均値を用いる場合であってもよい。
【００８３】
（３１−２−７）本発明に係る通知情報生成装置において、前記復元部は、任意のチャネルの通知情報が絶対値候補値である場合、前記任意のチャネルのひとつ前のチャネルの通知情報に基づいて前記絶対値候補値の符号決定し、決定した符号と一致させた絶対値候補値の値を用いて前記累積値を算出することを特徴とする。
【００８４】
このように、累積値を算出してチャネル品質情報を復元する際に、通知情報が絶対値候補値である場合に、絶対値候補値の符号を一つ前のチャネルの符号に基づいて決定することができる。
【００８５】
（３２−２−８）本発明に係る通知情報生成装置において、前記復元部は、前記任意のチャネルのひとつ前のチャネルの通知情報の符号を前記絶対値候補値の符号として前記累積値を算出することを特徴とする。
【００８６】
このように、累積値を算出してチャネル品質情報を復元する際に、通知情報が絶対値候補値である場合に、絶対値候補値の符号を一つ前のチャネルの符号を用いることができる。
【００８７】
（３３−２−９）本発明に係る通知情報生成装置において、前記復元部は、任意のチャネルの通知情報が絶対値候補値である場合、算出している累積値に基づいて、前記絶対値候補値の符号を決定して前記累積値を算出することを特徴とする。
【００８８】
このように、累積値を算出してチャネル品質情報を復元する際に、通知情報が絶対値候補値である場合に、算出している累積値に基づいて、符号を決定することができる。
【００８９】
（３４−２−１０）本発明に係る通知情報生成装置において、前記復元部は、前記累積値が所定の値未満のときは正の符号とし、前記累積値が前記所定の値以上であるときは前記任意のチャネルのひとつ前のチャネルの通知情報の符号として、前記絶対値候補値の符号を決定することを特徴とする。
【００９０】
このように、累積値を算出してチャネル品質情報を復元する際に、通知情報が絶対値候補値である場合に、算出している累積値を所定の値と比較して符号を決定することができる。
【００９１】
（３５−２−１５）本発明に係る通知情報生成装置において、前記復元部は、前記第一のチャネルの通知情報、または、前記第一のチャネルの復元値との少なくとも一方に基づいて絶対値候補値の符号を決定し、決定した絶対値候補値の値と前記差分値候補値とを含む通知情報の候補値を前記選択部へ出力し、前記選択部は、前記復元部が出力した通知情報候補値と前記差分値とを比較して候補値を選択することを特徴とする。
【００９２】
このように、復元部によって、絶対値候補値の符号を決定することにより、選択部において、差分値候補値と絶対値候補値とを差分値に基づいて適切に選択することができる。
【００９３】
（３６−２−１８）本発明に係る通信装置は、複数のチャネルを用いて通信を行なう通信装置であって、上記（２５−２−１）から（３５−２−１５）のいずれかに記載の通知情報生成装置と、前記通知情報生成装置が生成した通知情報を、通信相手に送信する送信部と、を備えることを特徴とする。
【００９４】
このように、差分値を差分値候補値と絶対値候補値とのいずれかで近似した通知情報を生成して通信先に通知することにより、通知情報の情報量を削減すると共に、通知情報に基づいて復元されるチャネル品質情報の精度の向上を図る。通知情報として絶対値候補値を用いることにより、差分値候補値では通知できない情報（差分値が差分値候補値を超える場合の情報など）を通知することが可能になり、復元するチャネル品質情報の精度の向上を図ることができる。
【００９５】
（３７−２−１９）本発明に係る通知情報生成方法は、複数のチャネルを用いて通信を行なう通信方式で各チャネルの受信の状態から得られるチャネル品質情報に基づいて通知情報を生成する通知情報生成方法であって、二つのチャネル品質情報の差を符号を伴って示す少なくとも一つの差分値候補値と、二つのチャネル品質情報の差の絶対値を示す少なくとも一つの絶対値候補値とを含む通知情報の候補値から、一つの候補値を選択し、選択した候補値に基づいて通知情報を生成することを特徴とする。
【００９６】
このように、通知情報として絶対値候補値を用いることにより、差分値候補値では通知できない情報（差分値が差分値候補値を超える場合の情報など）を通知することが可能になり、復元するチャネル品質情報の精度の向上を図ることができる。
【００９７】
（３８−２−２０）本発明に係る通知情報を生成する手順をコンピュータに実行させるためのプログラムは、複数のチャネルを用いて通信を行なう通信方式で各チャネルの受信の状態から得られるチャネル品質情報に基づいて通知情報を生成する手順をコンピュータに実行させるためのプログラムであって、二つのチャネル品質情報の差を符号を伴って示す少なくとも一つの差分値候補値と、二つのチャネル品質情報の差の絶対値を示す少なくとも一つの絶対値候補値とを含む通知情報の候補値から、一つの候補値を選択し、選択した候補値に基づいて通知情報を生成する手順を、をコンピュータに実行させる。
【００９８】
このように、通知情報として絶対値候補値を用いることにより、差分値候補値では通知できない情報（差分値が差分値候補値を超える場合の情報など）を通知することが可能になり、復元するチャネル品質情報の精度の向上を図ることができる。
【００９９】
（３９−３−１）また、本発明に係る通知情報生成装置は、複数のチャネルを用いて通信を行なう通信方式で各チャネルの受信の状態から得られるチャネル品質情報に基づいて通知情報を生成する通知情報生成装置であって、第一のチャネルのチャネル品質情報に基づいて生成された通知情報を前回通知情報として保持し、保持した前回通知情報に基づいてチャネル品質情報を復元し、復元したチャネル品質情報を前記第一のチャネルの復元チャネル品質情報として出力する復元部と、前記第一のチャネルとは異なる第二のチャネルのチャネル品質情報を入力し、入力した第二のチャネルのチャネル品質情報と前記第一のチャネルの復元チャネル品質情報との差分値を算出し、算出した差分値と通知情報として通信先へ通知する値との差分に基づいて指標値を算出し、算出した指標値が小さくなるように通知情報を生成する演算部と、を備え、前記復元部は、前記演算部が生成した通知情報を前回通知情報として記憶することを特徴とする。
【０１００】
このように、本発明に係る通知情報生成装置によれば、差分値を用いて、複数のチャネルのチャネル品質情報を通知する通知情報を生成することができる。通知情報は、差分値に基づいて、通知情報として通知される値として演算部によって決定される値である。入力されたチャネル品質情報と、前回通知情報に基づいて復元したチャネル品質情報とに基づいて差分値を算出し、算出した差分値と通信先へ通知する値との差分に基づいて指標値が小さくなるように通知情報を生成することにより、チャネル品質情報を復元する場合の精度を向上させることができる。
【０１０１】
（４０−３−２）また、本発明に係る通知情報生成装置において、前記演算部が算出する差分値の候補となる複数の候補値を差分情報として記憶する差分情報テーブルを、更に備え、前記演算部は、前記算出した差分値と前記複数の候補値との差分に基づいて複数の指標値を算出し、算出した複数の指標値に基づいて、一つの候補値を選択し、選択した候補値に基づいて通知情報を生成することを特徴とする。
【０１０２】
このように、差分値の候補値を用いて通知情報を生成することにより、通知情報量を削減することができると共に、入力されたチャネル品質情報と、前回通知情報に基づいて復元したチャネル品質情報とに基づいて差分値を算出することにより、チャネル品質情報を復元する場合の精度を向上させる通知情報を生成することができる。
【０１０３】
（４１−３−３）本発明に係る通知情報生成装置において、前記演算部は、前記第二のチャネルを起点として差分値を算出する場合、前記第二のチャネルのチャネル品質情報、または、所定の品質情報とのいずれか一方を通知情報へ設定して出力することを特徴とする。
【０１０４】
このように、起点となるチャネル品質情報を設定することにより、起点とするチャネルのチャネル品質情報との差分値を用いて通知情報を生成することができる。これにより、通知情報量を削減すると共に、復元するチャネル品質情報の精度を向上させる通知情報を生成することができる。
【０１０５】
（４２−３−４）本発明に係る通知情報生成装置において、前記演算部は、前記第一のチャネルの復元チャネル品質情報へ複数の候補値それぞれを加算して第二のチャネルの暫定的なチャネル品質情報を複数生成し、入力した第二のチャネルのチャネル品質情報と生成した第二のチャネルの暫定的なチャネル品質情報それぞれとの差分に基づいて第二指標値を算出し、算出した第二指標値が小さい第二のチャネルの暫定的なチャネル品質情報に用いた候補値を選択することを特徴とする。
【０１０６】
このように、通知情報に基づいて復元したチャネル品質情報に基づいて、暫定的なチャネル品質情報を生成し、入力したチャネル品質情報と暫定的なチャネル品質情報との差分に基づいて、差分値と候補値との差分に基づいて算出する指標値を計算することができる。小さい指標値となる候補値を選択することにより、復元するチャネル品質情報の精度を向上させる通知情報を生成することができる。
【０１０７】
（４３−３−５）本発明に係る通知情報生成装置において、前記演算部は、前記第二のチャネルのチャネル品質情報と、前記第一および第二のチャネルとは異なる第三のチャネルのチャネル品質情報とを少なくとも含む異なる複数のチャネルのチャネル品質情報を入力し、前記第一のチャネルの復元チャネル品質情報へ複数の候補値それぞれを加算して第二のチャネルの暫定的なチャネル品質情報を複数生成し、入力した第二のチャネルのチャネル品質情報と生成した第二のチャネルの暫定的なチャネル品質情報それぞれとの差分に基づいて第二指標値を算出し、前記第二のチャネルの暫定的なチャネル品質情報それぞれへ複数の候補値それぞれを加算して第三の暫定的なチャネル品質情報を複数生成し、入力した第三のチャネルのチャネル品質情報と生成した第三の暫定的なチャネル品質情報それぞれとの差分に基づいて第三指標値を算出し、入力した異なる複数のチャネルそれぞれについて暫定的なチャネル品質情報を生成することを繰り返して、第二指標値と第三指標値とを少なくとも含む複数の指標値を算出し、算出した指標値の和が小さい第二のチャネルの暫定的なチャネル品質情報に用いた候補値を選択することを特徴とする。
【０１０８】
このように、当該チャネルの次のチャネル品質情報を復元した暫定的なチャネル品質情報を生成することにより、復元するチャネル品質情報の精度を向上させる通知情報を生成することができる。
【０１０９】
（４４−３−６）本発明に係る通知情報生成装置において、前記演算部は、前記所定の品質情報を複数保持し、起点とするチャネルを含む複数のチャネルのチャネル品質情報を入力し、前記起点とするチャネルの通知情報へ前記所定の品質情報それぞれを設定した場合毎に、前記複数のチャネルそれぞれについて、前記差分値と選択した候補値との差を算出して加算し、加算した差が小さくなる所定の品質情報を選択して、起点とするチャネルの通知情報へ設定することを特徴とする。
【０１１０】
このように、起点となる品質情報の値を複数用意し、指標値が小さくなるように設定することにより、復元するチャネル品質情報の精度を向上させる通知情報を生成することができる。
【０１１１】
（４５−３−７）本発明に係る通知情報生成装置において、前記演算部は、前記差分値と前記複数の候補値それぞれとの差を二乗して指標値を算出することを特徴とする。
【０１１２】
このように、指標値として二乗誤差を用いることにより、復元するチャネル品質情報の精度を向上させる候補値を選択することができる。
【０１１３】
（４６−３−８）本発明に係る通知情報生成装置において、前記演算部は、前記差分値と前記複数の候補値それぞれとの差の絶対値を指標値として算出することを特徴とする。
【０１１４】
このように、指標値として差分値と候補値の絶対値を用いることにより、復元するチャネル品質情報の精度を向上させる候補値を選択することができる。
【０１１５】
（４７−３−９）本発明に係る通知情報生成装置において、前記演算部は、算出した指標値へ所定の係数を乗算することを特徴とする。
【０１１６】
このように、指標値へ重み付けをすることにより、制御情報であるチャネル品質情報に基づいて処理（復調・復号）される信号の品質を向上させることができる。
【０１１７】
（４８−３−１０）本発明に係る通知情報生成装置において、前記演算部は、前記差分値と前記複数の候補値それぞれとの差の符号に応じた値を所定の係数として、前記指標値へ乗算することを特徴とする。
【０１１８】
このように、差分値と候補値との大小関係を考慮して指標値へ重み付けをすることにより、制御情報であるチャネル品質情報に基づいて処理（復調・復号）される信号の品質を向上させることができる。
【０１１９】
（４９−３−１１）本発明に係る通知情報生成装置において、前記演算部は、前記差分値または前記候補値との少なくとも一方へ所定の係数を乗算して指標値を算出することを特徴とする。
【０１２０】
このように、指標値を算出する差分値または候補値へ重み付けをすることにより、制御情報であるチャネル品質情報に基づいて処理（復調・復号）される信号の品質を向上させることができる。
【０１２１】
（５０−３−１３）本発明に係る通信装置は、複数のチャネルを用いて通信を行なう通信装置であって、伝搬路状態を推定する伝搬路推定部と、前記伝搬路推定部が推定した伝搬路状態に基づいて生成したチャネル品質情報を入力する上記（３−１）から（３−１２）のいずれかに記載の通知情報生成装置と、通知情報生成装置が生成した通知情報を通信先へ送信する送信部と、を備えることを特徴とする。
【０１２２】
このように、本発明に係る通信装置によれば、差分値を用いて、複数のチャネルのチャネル品質情報を通知することができる。入力されたチャネル品質情報と、前回通知情報に基づいて復元したチャネル品質情報とに基づいて差分値を算出することにより、チャネル品質情報を復元する場合の精度を向上させることができる。
【０１２３】
（５１−３−１４）本発明に係る通信装置は、複数のチャネルを用いて通信先と通信を行なう通信装置であって、各チャネルの受信の状態から得られるチャネル品質情報を前記通信先から受信する受信部と、受信したチャネル品質情報を入力し、復元チャネル品質情報と通知情報とを出力する上記（３−１）から（３−１２）のいずれかに記載の通知情報生成装置と、前記復元チャネル品質情報に基づいて、前記通信先へ送信する送信データへ変調および符号化処理を行なう適応変調制御部と、前記変調および符号化処理を行なった送信データと前記通知情報とを前記通信先へ送信する送信部と、を備えることを特徴とする。
【０１２４】
このように、本発明に係る通信装置によれば、通信先からチャネル品質情報を受信し、受信したチャネル品質情報に基づいて、通知情報並びに復元チャネル品質情報を生成することができる。入力されたチャネル品質情報と、前回通知情報に基づいて復元したチャネル品質情報とに基づいて差分値を算出することにより、チャネル品質情報を復元する場合の精度を向上させることができる。また、通信装置は、精度を向上させた通知情報に基づいて復元した復元チャネル品質情報に基づいて適応変調制御した送信データを送信することができる。
【０１２５】
（５２−３−１５）本発明に係る通知情報生成方法は、複数のチャネルを用いて通信を行なう通信方式で各チャネルの受信の状態から得られるチャネル品質情報に基づいて通知情報を生成する通知情報生成方法であって、第一のチャネルのチャネル品質情報に基づいて生成された通知情報を前回通知情報として保持し、保持した前回通知情報に基づいてチャネル品質情報を復元し、復元したチャネル品質情報を前記第一のチャネルの復元チャネル品質情報として出力するステップと、前記第一のチャネルとは異なる第二のチャネルのチャネル品質情報を入力し、入力した第二のチャネルのチャネル品質情報と前記第一のチャネルの復元チャネル品質情報との差分値を算出し、算出した差分値と通知情報として通信先へ通知する値との差分に基づいて指標値を算出し、算出した指標値が小さくなるように通知情報を生成するステップと、生成した通知情報を前回通知情報として記憶するステップと、を備えることを特徴とする。
【０１２６】
このように、本発明に係る通知情報生成方法によれば、差分値を用いて、複数のチャネルのチャネル品質情報を通知する通知情報を生成することができる。通知情報は、差分値に基づいて、通知情報として通知される値として演算部によって決定される値である。入力されたチャネル品質情報と、前回通知情報に基づいて復元したチャネル品質情報とに基づいて差分値を算出し、算出した差分値と通信先へ通知する値との差分に基づいて指標値が小さくなるように通知情報を生成することにより、チャネル品質情報を復元する場合の精度を向上させることができる。
【０１２７】
（５３−３−１６）本発明に係る通知情報を生成するプログラムは、複数のチャネルを用いて通信を行なう通信方式で各チャネルの受信の状態から得られるチャネル品質情報に基づいて通知情報を生成する手順をコンピュータに実行させるためのプログラムであって、第一のチャネルのチャネル品質情報に基づいて生成された通知情報を前回通知情報として保持し、保持した前回通知情報に基づいてチャネル品質情報を復元し、復元したチャネル品質情報を前記第一のチャネルの復元チャネル品質情報として出力する手順と、前記第一のチャネルとは異なる第二のチャネルのチャネル品質情報を入力し、入力した第二のチャネルのチャネル品質情報と前記第一のチャネルの復元チャネル品質情報との差分値を算出し、算出した差分値と通知情報として通信先へ通知する値との差分に基づいて指標値を算出し、算出した指標値が小さくなるように通知情報を生成する手順と、生成した通知情報を前回通知情報として記憶する手順と、をコンピュータに少なくとも実行させる。
【０１２８】
このように、本発明に係る通知情報生成方法によれば、差分値を用いて、複数のチャネルのチャネル品質情報を通知する通知情報を生成することができる。通知情報は、差分値に基づいて、通知情報として通知される値として演算部によって決定される値である。入力されたチャネル品質情報と、前回通知情報に基づいて復元したチャネル品質情報とに基づいて差分値を算出し、算出した差分値と通信先へ通知する値との差分に基づいて指標値が小さくなるように通知情報を生成することにより、チャネル品質情報を復元する場合の精度を向上させることができる。
【０１２９】
（５４−１−１）上記の目的を達成するため、本発明は、以下のような手段を講じた。すなわち、本発明に係る通知情報生成装置は、複数のチャネルを用いて通信を行なう通信方式で各チャネルの受信の状態から得られるチャネル品質情報に基づいて通知情報を生成する通知情報生成装置であって、二つのチャネル品質情報の差を示す複数の差分値候補値から、一つの候補値を選択し、選択した候補値に基づいて通知情報を生成することを特徴とする。
【０１３０】
このように、二つのチャネル品質情報の差分値を算出し、差分値を差分値候補値のいずれかで近似した通知情報を生成して通信先に通知することにより、通知情報の情報量を削減するとともに、通知情報に基づいて復元されるチャネル品質情報の精度の向上を図ることができる。
【０１３１】
（５５−１−２）また、本発明に係る通知情報生成装置は、複数のチャネルを用いて通信を行なう通信方式で各チャネルの受信の状態から得られるチャネル品質情報に基づいて通知情報を生成する通知情報生成装置であって、通知情報の候補値として、二つのチャネル品質情報の差を示す差分値候補値を複数記憶する通知情報テーブルと、第一のチャネルのチャネル品質情報に基づいて生成された通知情報を用いて復元値を生成する復元部と、前記第一のチャネルとは異なる第二のチャネルのチャネル品質情報を入力し、前記第二のチャネルのチャネル品質情報と前記復元値とに基づいて、前記通知情報の候補値から一つの候補値を選択し、選択した候補値に基づいて通知情報を生成する選択部と、を備えることを特徴とする。
【０１３２】
このように、第一のチャネルの復元値と第二のチャネルとのチャネル品質情報に基づいて、差分値候補値のいずれかを選択し、選択した候補値に基づいて通知情報を生成して通信先に通知することにより、通知情報の情報量を削減するとともに、通知情報に基づいて復元されるチャネル品質情報の精度の向上を図ることができる。
【０１３３】
（５６）また、本発明の通知情報生成装置において、差分値を算出する起点となる起点チャネルが複数存在し、前記第二のチャネルが前記複数の起点チャネルの一つである場合、前記選択部は、前記複数の起点チャネルの情報を保持し、通知情報として、前記第二のチャネルのチャネル品質情報、または、所定のチャネル品質情報のいずれか一方を出力し、前記復元部は、前記選択部が生成した通知情報を、各チャネルの通知情報として複数入力し、複数の起点チャネルのうちのいずれかのチャネルの通知情報へ順次各チャネルの通知情報を加算した累積値を算出して復元値を生成することを特徴としている。
【０１３４】
このように、起点チャネルの情報を通知されたチャネル品質情報または所定のチャネル品質情報にすることにより、復元されるチャネル品質情報の精度を向上させることができる。前記所定のチャネル品質情報は、非差分値候補値のいずれかであってもよいし、複数のチャネル品質情報の平均値を用いる場合であってもよい。また、複数の起点チャネルを配置することにより、復元値の精度を向上させることができる。
【発明の効果】
【０１３５】
本発明によれば、各チャネルの受信状態から得られるチャネル品質情報を、複数のチャネル間のチャネル品質情報の差分を用いて通知情報量を削減して通信先へ通知する場合に、差分に基づいて復元するチャネル品質情報の精度を向上させる通知情報を生成することが可能となる。
【発明を実施するための最良の形態】
【０１３６】
次に、本発明の実施形態について、図面を参照しながら説明する。各図面において同一の構成または機能を有する構成要素および相当部分には、同一の符号を付し、その説明は省略する。
【０１３７】
以下の各実施形態の説明では、通信システムとしてマルチキャリア通信システムであるＯＦＤＭシステムを想定し、チャネルは少なくとも１つのサブキャリアからなるサブキャリアブロック、あるいはさらにそれらを一定時間長で分割したものを意味するものとするが、これに限定されるものではない。例えば、拡散技術を用いたＭＣ−ＣＤＭＡ（Ｍｕｌｔｉ  Ｃａｒｒｉｅｒ−Ｃｏｄｅ  Ｄｉｖｉｓｉｏｎ  Ｍｕｌｔｉｐｌｅ  Ａｃｃｅｓｓ）システムにおいても、本発明を適用することができる。また、複数の周波数チャネルにおける変調パラメータ情報に関して説明するが、本発明が適用できるチャネルは周波数チャネルに限らず、例えばＳＤＭＡ（Ｓｐａｃｅ  Ｄｉｖｉｓｉｏｎ  Ｍｕｌｔｉｐｌｅ  Ａｃｃｅｓｓ）において固有モードが示す複数のチャネル、あるいはこれらの組み合わせとしてのチャネルなど、フレーム内の複数のチャネルを用いて通信を行なうシステムであって、チャネル毎に受信品質が異なる可能性があるシステムにおいて、本発明の適用が可能である。本明細書では、フレームは、一定の時間長で定められる一つ以上の時間チャネルと、一定の周波数帯域で定められる一つ以上の周波数チャネルとによって特定される複数のスロットから構成される通信単位とする。
【０１３８】
また、以下の各実施形態では、基地局装置と端末装置とから構成されるＦＤＤを採用する通信システムであり、下りリンクの通信においてＯＦＤＭの適応変調システムを想定し、上りリンクの通信ではＯＦＤＭと適応変調は行なわないシステムを想定しているが、これに限定されるものではない。基地局装置および端末装置は、それぞれＯＦＤＭシステムにおける基地局および移動局であっても良い。また、二つの通信装置間で、フィードバック情報を通知する側を端末装置、通知されたフィードバック情報に基づいて送信データを適応変調・符号化あるいはスケジューリングして送信する側を基地局装置とする。あるいは、送信データを適応変調・符号化あるいはスケジューリングし、送信データに関する制御情報を送信データとともに送信する側を基地局装置、受信する側を端末装置とする。一つの通信装置が両方の機能を有する場合もあり得る。
【０１３９】
チャネル品質情報は、各チャネルの受信の状態から得られる情報であり、伝搬路状態を示す情報、受信品質を示す情報を含む。また、伝搬路状態に基づいて生成した情報を含んでも良い。チャネル品質情報には、信号を受信した通信装置で測定した伝搬路状態を示す情報、あるいは、測定した伝搬路状態を示す情報に基づいて選択された適応変調のパラメータが含まれる。伝搬路状態を示す情報は、信号を受信した通信装置で測定される。具体的には、適応変調における変調パラメータ決定の基準となる情報であり、ＣＮＲ、ＣＩＮＲなどが含まれる。変調パラメータ（ＭＣＳ：Ｍｏｄｕｌａｔｉｏｎ  ａｎｄ  Ｃｏｄｉｎｇ  Ｓｃｈｅｍｅ）は、変調方式、チャネル符号化率、変調方式とチャネル符号化率の組み合わせなどが含まれる。変調パラメータは、信号を受信した通信装置が測定した伝搬路状態を示す情報に基づいて選択する場合、信号を送信した通信装置が信号を受信した通信装置から通知された伝搬路状態を示す情報に基づいて選択する場合、とがある。
【０１４０】
以下の各実施形態では、変調パラメータ（変調パラメータに関する情報）または伝搬路状態推定結果をチャネル品質情報の一例として用いて説明するが、これらに限られるわけではない。
【０１４１】
（第１の実施形態）
第１の実施形態では、チャネル品質情報として変調パラメータ情報を用いる場合を一例として説明する。
【０１４２】
図１は、本発明に係る第１の実施形態における基地局装置１００の一構成例を示す機能ブロック図である。また図２は、本発明に係る第１の実施形態における端末装置２００の一構成例を示す機能ブロック図である。第１の実施形態は、基地局装置１００が、下りリンクの通知情報として下りリンクの送信データの適応変調に用いられた変調パラメータに関する情報を通知し、端末装置２００が、上りリンクの通知情報として次の下りリンクの送信データのための変調パラメータに関する情報を通知する場合の例を示している。
【０１４３】
基地局装置１００は、誤り訂正符号化部１０１、変調部１０２、マルチプレクス部１０３、逆フーリエ変換部１０４、無線送信部（送信部）１０５、アンテナ部１０６、１０７、無線受信部（受信部）１０８、デマルチプレクス部１０９、復調部１１０、誤り訂正復号化部１１１、通知情報復元部３００、通知情報生成装置４００、並びに、適応変調制御部１１２を備える。
【０１４４】
端末装置２００は、アンテナ部２０１、２１４、無線受信部（受信部）２０２、フーリエ変換部２０３、デマルチプレクス部２０４、伝搬路推定部２０５、変調パラメータ選択部２０６、通知情報生成装置４００、通知情報復元部３００、適応復調制御部２０７、復調部２０８、誤り訂正復号化部２０９、誤り訂正符号化部２１０、変調部２１１、マルチプレクス部２１２、並びに、無線送信部（送信部）２１３を備える。
【０１４５】
まず、図１の基地局装置における下りリンク送信手順について説明する。誤り訂正符号化部１０１は、下りリンク送信データと、適応変調制御部１１２から出力された適応変調制御情報を入力し、入力した適応変調制御情報に基づいて下りリンク送信データを誤り訂正符号化し、符号化データ系列を出力する。
【０１４６】
変調部１０２は、誤り訂正符号化部１０１から出力された符号化データ系列と、適応変調制御部１１２から出力された適応変調制御情報を入力し、入力した適応変調制御情報に基づいて符号化データ系列を変調し、変調シンボル系列を出力する。
【０１４７】
マルチプレクス部１０３は、変調部１０２から出力された変調シンボル系列、通知情報生成装置４００で生成された下りリンク通知情報およびパイロット信号を入力し、これらを多重してＯＦＤＭ周波数信号を出力する。なおここでパイロット信号は、端末装置２００において伝搬路状態を推定するための既知信号である。基地局装置１００は、予め生成したパイロット信号をメモリに蓄積しておき、メモリに蓄積したパイロット信号をマルチプレクス部１０３に入力することが好ましい。しかしながら、基地局装置１００は、パイロット信号をメモリに蓄積せずに必要時に都度生成する、などの構成としてもよい。
【０１４８】
逆フーリエ変換部１０４は、マルチプレクス部１０３から出力されたＯＦＤＭ周波数信号を入力し、これを周波数・時間変換（逆フーリエ変換）してＯＦＤＭ時間信号を出力する。
【０１４９】
無線送信部１０５は、逆フーリエ変換部１０４から出力されたＯＦＤＭ時間信号を入力し、これにガード期間を付加し、ディジタル・アナログ変換および無線周波数へアップコンバートして無線信号へ変換し、アンテナ部１０６を介して送信する。
【０１５０】
次に、図２の端末装置２００における下りリンク受信手順について説明する。無線受信部２０２は、アンテナ部２０１を介して下りリンクの無線信号を受信し、無線周波数からダウンコンバートおよびアナログ・ディジタル変換し、さらにガード期間を除去してＯＦＤＭ時間信号を出力する。
【０１５１】
フーリエ変換部２０３は、無線受信部２０２から出力されたＯＦＤＭ時間信号を入力し、これを時間・周波数変換（フーリエ変換）してＯＦＤＭ周波数信号を出力する。
【０１５２】
デマルチプレクス部２０４は、フーリエ変換部２０３から出力されたＯＦＤＭ周波数信号を入力し、入力したＯＦＤＭ周波数信号を下りリンク受信データ信号、下りリンク通知情報およびパイロット信号に分離し、それぞれ出力する。
【０１５３】
伝搬路推定部２０５は、デマルチプレクス部２０４から出力されたパイロット信号を入力し、入力したパイロット信号から伝搬路状態の推定を行ない、伝搬路状態推定結果を出力する。
【０１５４】
なお、下りリンク受信データ信号を用いて伝搬路推定を行なう場合は、パイロット信号の代わりに下り受信データ信号、下り受信データ信号の復調結果または同誤り訂正復号結果が伝搬路推定部に入力される。この場合、基地局装置１００内のマルチプレクス部１０３におけるパイロット信号多重処理と端末装置２００内のデマルチプレクス部２０４におけるパイロット信号の分離処理は必要ない。また、パイロット信号と下りリンク受信データ信号の両方を用いて伝搬路推定を行なう場合は、パイロット信号に加え、下り受信データ信号、下り受信データ信号の復調結果または同誤り訂正復号結果も伝搬路推定部に入力される。本発明は、これらの構成にも適用することができる。
【０１５５】
変調パラメータ選択部２０６は、伝搬路推定部２０５から出力された伝搬路状態推定結果を入力し、入力した伝搬路状態推定結果に基づいてサブキャリアブロック毎の次の下りリンクの変調パラメータを選択し、選択した変調パラメータに関する情報（変調パラメータ情報）を出力する。変調パラメータ選択部２０６は、予め定めた変調パラメータと伝搬路状態との対応関係に、伝搬路状態推定結果を当てはめることによって変調パラメータを選択する。例えば、変調パラメータとそれに対応する伝搬路状態の範囲をテーブルとして保持し、そのテーブルと伝搬路状態推定結果を比較することで選択する変調パラメータを決定できる。
【０１５６】
通知情報生成装置４００は、変調パラメータ選択部２０６から出力された変調パラメータを入力し、入力した変調パラメータに基づいて上りリンク通知情報を生成し出力する。通知情報生成装置４００における処理に関しては図３、図４を用いて後述する。
【０１５７】
通知情報復元部３００は、デマルチプレクス部２０４から出力された下りリンク通知情報を入力し、入力した下りリンク通知情報から変調パラメータに関する情報を復元し出力する。なお、通知情報復元部３００における処理に関しては図５、図６を用いて後述する。
【０１５８】
適応復調制御部２０７は、通知情報復元部３００から出力された復元された変調パラメータに関する情報（変調パラメータ情報）を入力し、入力した変調パラメータに関する情報に基づいて復調処理および誤り訂正復号化処理を制御する適応復調制御情報を生成し出力する。
【０１５９】
復調部２０８は、デマルチプレクス部２０４から出力された下りリンク受信データ信号と、適応復調制御部２０７から出力された適応復調制御情報を入力し、入力した適応復調制御情報に基づいて下りリンク受信データ信号を復調し、復調データ系列を出力する。
【０１６０】
誤り訂正復号化部２０９は、復調部２０８から出力された復調データ系列と、適応復調制御部２０７から出力された適応復調制御情報を入力し、入力した適応復調制御情報に基づいて復調データ系列を誤り訂正復号化し、下りリンク受信データを出力する。なお、復調の前処理として、伝搬路推定部２０５で推定された伝搬路状態推定結果を用いて伝搬路補償処理を行なう構成や、誤り訂正復号化時に伝搬路状態推定結果を参照する構成にしてもよい。
【０１６１】
次に、図２の端末装置２００における上りリンク送信手順について説明する。誤り訂正符号化部２１０は、上りリンク送信データを入力し、これを既定のチャネル符号化率によって誤り訂正符号化し、符号化データ系列を出力する。
【０１６２】
変調部２１１は、誤り訂正符号化部２１０から出力された符号化データ系列を入力し、入力した符号化データ系列を既定の変調方式によって変調し、変調シンボル系列を出力する。
【０１６３】
マルチプレクス部２１２は、変調部２１１から出力された変調シンボル系列と通知情報生成装置４００から出力された上りリンク通知情報を入力し、入力した変調シンボル系列と上りリンク通知情報とを多重して送信信号を出力する。
【０１６４】
無線送信部２１３は、マルチプレクス部２１２から出力された送信信号を入力し、入力した送信信号をディジタル・アナログ変換および無線周波数へアップコンバートして無線信号へ変換し、アンテナ部２１４を介して送信する。
【０１６５】
次に、図１の基地局装置１００における上りリンク受信手順について説明する。無線受信部１０８は、アンテナ部１０７を介して上りリンクの無線信号を受信し、無線周波数からダウンコンバートおよびアナログ・ディジタル変換し、受信信号を出力する。
【０１６６】
デマルチプレクス部１０９は、無線受信部１０８から出力された受信信号を入力し、入力した受信信号を上りリンク受信データ信号と上りリンク通知情報に分離し、それぞれ出力する。なお、予め端末装置２００内のマルチプレクス部２１２でパイロット信号を多重しておき、基地局装置１００内のデマルチプレクス部１０９でパイロット信号を分離し、分離したパイロット信号を用いて、上りリンク受信データ信号および上りリンク通知情報に対して伝搬路補償をする構成としてもよい。
【０１６７】
復調部１１０は、デマルチプレクス部１０９から出力された上りリンク受信データ信号を入力し、入力した上りリンク受信データ信号を既定の変調方式によって復調し、復調データ系列を出力する。
【０１６８】
誤り訂正復号化部１１１は、復調部１１０から出力された復調データ系列を入力し、入力した復調データ系列を既定のチャネル符号化率によって誤り訂正復号化し、上りリンク受信データを出力する。
【０１６９】
通知情報復元部３００は、デマルチプレクス部１０９から出力された上りリンク通知情報を入力し、入力した上りリンク通知情報から変調パラメータに関する情報を復元し出力する。なお、通知情報復元部３００における処理に関しては図５を用いて後述する。
【０１７０】
通知情報生成装置４００は、通知情報復元部３００から出力された変調パラメータに関する情報を入力し、入力した変調パラメータに関する情報に基づいて下りリンク通知情報を生成し出力するとともに、生成した下りリンク通知情報に基づいて変調パラメータに関する情報を復元し出力する。
【０１７１】
なお、上りリンク通知情報および基地局装置１００の通知情報復元部３００から出力される変調パラメータに関する情報と、基地局装置１００の通知情報生成装置４００から出力される下りリンク通知情報および変調パラメータに関する情報とは、必ずしも一致している必要はない。基地局装置１００において、変調パラメータを変更することもあり得る。図１には示していないが、通知情報復元部３００と通知情報生成装置４００との間に変調パラメータを選択（変更）する構成要素を備えていてもよい。また、基地局装置１００の通知情報生成装置４００は、図２の端末装置２００内の通知情報生成装置４００と同様の機能ブロック構成で実現することができる。通知情報生成装置４００における処理に関しては図３を用いて後述する。
【０１７２】
適応変調制御部１１２は、通知情報生成装置４００から出力された変調パラメータに関する情報を入力し、変調処理および誤り訂正符号化処理を制御するための適応変調制御信号を生成し出力する。
【０１７３】
なお、上記説明では、基地局装置１００も通知情報生成装置４００を具備する構成について説明したが、基地局装置１００が通知情報復元部３００によって復元された変調パラメータをそのまま用いて下りリンク送信データの変調および誤り訂正符号化を行なう場合には、基地局装置１００は必ずしも通知情報生成装置４００を有する必要は無い。この場合、デマルチプレクス部１０９から出力された上りリンク通知情報を通知情報復元部３００に入力するだけでなく、そのまま下りリンク通知情報としてマルチプレクス部１０３に入力する。また、適応変調制御部１１２には、通知情報生成装置４００から出力していた変調パラメータに関する情報に代わって、通知情報復元部３００から出力された変調パラメータに関する情報を入力する。
【０１７４】
図３に、図２の端末装置２００における通知情報生成装置４００の機能ブロック図の一例を示す。通知情報生成装置４００は、通知情報テーブル４０１、選択部（通知情報選択部）４０２、並びに、復元部（通知情報復元部）４０３を備える。
【０１７５】
通知情報テーブル４０１は、通知情報として選択可能な候補値を記憶する記憶領域であり、候補値には、二つのチャネル品質情報の差を示す差分値候補値と、チャネル品質情報を示す非差分値候補値とを含む。通知情報テーブル４０１は、通知情報として選択可能な、変調パラメータの差分を表す複数の値（差分値候補値）Ｘｋ（ｋ＝１〜Ｍ、Ｍは自然数）、および差分ではない特定の変調パラメータを表す値（非差分値候補値）Ｙｊ（ｊ＝１〜Ｎ、Ｎは自然数）（以下、ＸｋとＹｊを合わせて通知情報候補値と記す）からなるテーブルを保持し、これらの通知情報候補値を出力する。非差分値候補値は、チャネル品質情報を用いてもよいし、伝搬路状態を示す受信品質情報を用いてもかまわない。また、所定の伝搬路状態を示す値を用いることもできる。
【０１７６】
選択部４０２は、図２における変調パラメータ選択部２０６において選択されたサブキャリアブロック毎の変調パラメータ（チャネル品質情報の一例）、通知情報テーブルから出力された通知情報候補値および復元部４０３から出力された累積値（復元値）を入力し、通知情報を生成する。選択部４０２は、予め、通知情報を生成する際に起点とするサブキャリアブロック番号を含む、通知情報生成の処理単位に関する情報を保持し、処理を開始するサブキャリアブロックを起点として通知情報を生成する。選択部４０２は、サブキャリアブロックが起点であるかを判断し、後述する図４に示す手順により順番に通知情報を生成し、生成した通知情報を出力する。また、生成された通知情報は復元部４０３へ出力される。
【０１７７】
復元部４０３は、選択部４０２が出力する通知情報を入力し、入力した通知情報（前回通知情報）に基づいて、変調パラメータを復元し、復元した変調パラメータを出力する。例えば、保持する通知情報の累積値を算出して、復元された変調パラメータを復元する、あるいは、非差分値候補値をそのまま復元された変調パラメータとして復元する。また、復元部４０３は、保持する通知情報に基づいて、累積値（復元値）を生成し、生成した累積値を選択部４０２へ出力する。累積値（復元値）は、復元部４０３が入力する通知情報（前回通知情報）に基づいて生成する値であり、入力する複数の通知情報を累積した累積値である場合に加え、保持する通知情報の値、あるいは、所定の値である場合を含むため、復元値ということもある。本実施形態では、復元部４０３は、累積値（復元値）を記憶する場合を説明するが、前回通知情報そのものを記憶する場合であってもよい。復元部４０３の詳細については、図５、図６を用いて後述する。
【０１７８】
また、通知情報生成装置４００は、通知情報テーブル４０１が記憶する二つのチャネル品質情報の差を示す少なくとも一つの差分値候補値と、チャネル品質情報を示す少なくとも一つの非差分値候補値を含む通知情報の候補値から、選択部４０２が一つの候補値を選択し、選択した候補値に基づいて通知情報を生成する、ということもできる。
【０１７９】
次いで、通知情報を生成する動作について、図４を用いて説明する。図４は、本実施形態において通知情報を生成する動作の一例を示すフローチャートである。
【０１８０】
選択部４０２は、変調パラメータ、通知情報候補値を入力する（Ｓ１１）。図４では、通信単位に含まれる複数のサブキャリアブロックそれぞれに対応する複数の変調パラメータを入力し、順番に各サブキャリアブロックについて処理する例を示している。選択部４０２は、まず、サブキャリアブロックが起点であるかを判断し（Ｓ１２）、通知情報生成の起点とするサブキャリアブロックについては（Ｓ１２でＹｅｓ）、当該サブキャリアブロックに関する変調パラメータをそのまま通知情報として出力する（Ｓ１３）。起点としないサブキャリアブロックについては（Ｓ１２でＮｏ）、選択部４０２は、当該サブキャリアブロックに関する変調パラメータと復元部４０３から入力する累積値との差分値を計算し（Ｓ１４）、変調パラメータ情報と計算した差分値とに基づいて通知情報候補値から１つを選択し通知情報として出力する（Ｓ１５）。
【０１８１】
具体的には、選択部４０２は、起点としない各サブキャリアブロックについて、差分値候補値Ｘｋのうち計算した差分値に最も近い差分値候補値を選択し、選択した差分値候補値と累積値とを加算した加算結果を算出し、算出した加算結果あるいは非差分値候補値Ｙｊから入力された当該サブキャリアブロックの変調パラメータに最も近くなる値を選択し、選択した値に使用した通知情報候補値（ＸｋまたはＹｊ）を通知情報として選択する。選択部４０２は、算出した差分値が所定の範囲を超える場合、あるいは、チャネル品質情報が所定の範囲を超える場合に、非差分値候補値Ｙｊを選択する。
【０１８２】
選択部４０２は、最後のサブキャリアブロックを検出するまでステップＳ１２以降の処理を繰り返す（Ｓ１６）。
【０１８３】
なお、通知情報生成装置４００における復元部４０３は、図１の基地局装置１００における上りリンク通知情報に対する通知情報復元部３００、図２の端末装置における下りリンク通知情報に対する通知情報復元部３００と同様の機能ブロック構成となる。本明細書では、説明を容易にするため、通知情報復元部３００と復元部４０３との異なる符号および名称を用いて説明する。
【０１８４】
図５は、本実施形態の通知情報復元部３００の機能ブロック図の一例を示す。通知情報復元部３００は、復元演算部３０１と記憶部３０２とを備える。図３の復元部４０３も通知情報復元部３００と同じ構成であるので、復元部４０３も、復元演算部３０１と記憶部３０２とを備える。
【０１８５】
復元演算部３０１は、通知情報と、記憶部３０２から出力された累積値を入力し、通知情報と累積値とに基づいて変調パラメータ（チャネル品質情報の一例）を復元し、復元された変調パラメータを出力する。また、復元演算部３０１は、記憶部３０２へ保持させる情報を記憶情報として出力する。また、復元演算部３０１は、予め、通知情報を生成する際に起点とするサブキャリアブロック番号を含む、通知情報生成の処理単位に関する情報を保持する。記憶部３０２は、復元演算部３０１が出力する記憶情報を記憶し、記憶した記憶情報に基づいて累積値を出力する。
【０１８６】
次いで、通知情報復元部３００が通知情報を復元する動作の詳細を図６を用いて説明する。図６は、本実施形態において通知情報を復元する動作の一例を示すフローチャートである。
【０１８７】
復元演算部３０１は、通知情報を入力し（Ｓ２１）、起点とするサブキャリアブロックであるかを判断する（Ｓ２２）。復元演算部３０１は、通知情報生成の起点とするサブキャリアブロックについては（Ｓ２２でＹｅｓ）、当該サブキャリアブロックに関する通知情報をそのまま復元された変調パラメータとして出力するとともに、記憶部３０２に対しても前記通知情報を記憶情報として出力する（Ｓ２３）。復元演算部３０１は、起点としないサブキャリアブロックについては、当該サブキャリアブロックに関する通知情報が差分値候補値Ｘｋ場合（Ｓ２４でＹｅｓ）、入力した通知情報と記億部３０２から入力した累積値とを加算し、加算結果を復元された変調パラメータとして出力するとともに、記憶部３０２に対しても加算結果を記憶情報として出力し（Ｓ２５）、通知情報が差分値候補値Ｘｋでない場合、すなわち、通知情報が非差分値候補値Ｙｊの場合（Ｓ２４でＮｏ）、通知情報をそのまま復元された変調パラメータとして出力するとともに、記憶部３０２に対しても通知情報を記憶情報として出力する（Ｓ２６）。以下、この構成の復元演算部３０１を、「第１の構成の復元演算部」と記す。
【０１８８】
あるいは別の構成として、通知情報が前記非差分値候補値Ｙｊの場合（Ｓ２４でＮｏ）、復元演算部３０１は、通知情報をそのまま復元された変調パラメータとして出力するとともに、記憶部３０２に対しては記憶部３０２から入力した累積値をそのまま記憶情報として出力する、という構成も可能である。以下、この構成の復元演算部３０１を、「第２の構成の復元演算部」と記す。第２の構成の復元演算部を用いる場合、復元部４０３は、復元された変調パラメータ（復元されたチャネル品質情報）と異なる値の累積値（復元値）を出力することになる。
【０１８９】
図７に、本実施形態における通知情報生成装置４００の入力情報である選択された変調パラメータと、通知情報生成装置４００による通知情報の生成結果および復元された変調パラメータの一例を示す。選択された変調パラメータは、変調パラメータ選択部２０６が選択し、通知情報生成装置４００へ出力したものである。
【０１９０】
図７では、基地局装置１００と端末装置２００は、サブキャリアブロック数を１６個、変調パラメータとして変調方式とチャネル符号化率の組み合わせからなるＭＣＳ（Ｍｏｄｕｌａｔｉｏｎ  ａｎｄ  ｃｈａｎｎｅｌ  Ｃｏｄｉｎｇ  Ｓｃｈｅｍｅ）を使用する例を示している。ＭＣＳは０から１５までの１６種類（４ビットの情報）が定義されている。通知情報テーブル４０１は、差分値候補値として、Ｘ１＝−２、Ｘ２＝０、Ｘ３＝＋２、非差分値候補値として、Ｙ１＝０の合計４種類（２ビットの情報）の通知情報候補値を保持している場合の例を示している。ここでは、Ｙ１は、送信を行なわないキャリアホールを示している。Ｘｋは、Ｘ１＝−２、Ｘ２＝０、Ｘ３＝＋２（ｋは、１〜３）のいずれかを示す。また、復元演算部３０１は第２の構成の復元演算部を用いた場合の例である。さらに、サブキャリアブロック番号１のサブキャリアブロックを、通知情報を生成する際の起点とした場合の例である。
【０１９１】
図７の例では、通知情報生成装置４００の選択部４０２は、サブキャリアブロック番号１のサブキャリアブロックに関する通知情報として、選択された変調パラメータ「１１」をそのまま出力する。２番目以降のサブキャリアブロックに関する通知情報では、選択部４０２は、直前のサブキャリアブロックまでの通知情報の累積値と、当該サブキャリアブロックでの選択された変調パラメータとの差分値を求め、例えばその差分値に最も近いＸｋを通知情報として選択した場合に復元される変調パラメータの値と、Ｙ１を通知情報として選択した場合に復元される変調パラメータの値とのうち、元の選択された変調パラメータの値により近い方を選択する。
【０１９２】
例えば、サブキャリアブロック番号５のサブキャリアブロックにおける通知情報の生成では、選択部４０２は、４番目のサブキャリアブロックまでの通知情報の累積値「９」（１１＋０＋０−２）と、５番目のサブキャリアブロックでの選択された変調パラメータ「６」との差分値「−３」を求め、この差分値と最も近い差分値候補値ＸｋであるＸ１＝−２を通知情報として選択した場合に復元される変調パラメータ「７」と、Ｙ１を通知情報として選択した場合に復元される変調パラメータ「０」とのうち、元の選択された変調パラメータ「６」により近いＸ１を通知情報として選択する。
【０１９３】
なお、選択部４０２が通知情報を選択する際に、復元される変調パラメータが元の選択された変調パラメータを超えないように制約しても良い。また、サブキャリアブロック番号６のサブキャリアブロックのように通知情報としてＹ１が選択された場合、第２の構成の復元演算部を用いるこの例では、復元演算部３０１は、当該サブキャリアブロックの通知情報を、以降のサブキャリアブロックにおける通知情報決定の際の直前のサブキャリアブロックまでの通知情報の累積値の計算から除外する。例えば、図７における７番目のサブキャリアブロックの通知情報決定を例に採ると、復元演算部３０１は、直前のサブキャリアブロックまでの通知情報の累積値として、６番目のサブキャリアブロックにおける通知情報を除外した、１番目から５番目のサブキャリアブロックの通知情報の総和を用いる。
【０１９４】
図８は、図７の例に示した、選択された変調パラメータ、通知情報および復元された変調パラメータをグラフに示したものである。横軸はサブキャリアブロック番号、縦軸は変調パラメータである。黒い丸印は通知情報生成装置に入力された各サブキャリアブロックの選択された変調パラメータを示し、白抜きの三角印は復元された変調パラメータを示している。
【０１９５】
図９に、本実施形態における通知情報生成装置４００の入力情報である選択された変調パラメータと、通知情報生成装置４００による、通知情報の生成結果および復元された変調パラメータの別の一例を示す。
【０１９６】
図９では、サブキャリアブロック数が１６個、ＭＣＳとして１６種類（４ビットの情報）が定義されており、通知情報テーブル４０１は、差分値候補値として、Ｘ１＝−２、Ｘ２＝０、Ｘ３＝＋２、非差分値候補値として、Ｙ１＝４の合計４種類（２ビットの情報）の通知情報候補値が定義されている場合の例を示している。ここでは、Ｙ１は、１６個のサブキャリアブロックの選択された変調パラメータのうちで、最も低い変調パラメータである「４」を選択した例である。Ｘｋは、Ｘ１＝−２、Ｘ２＝０、Ｘ３＝＋２（ｋは、１〜３）のいずれかを示す。また、復元計算部３０１は第１の構成の復元演算部を用いた場合の例である。さらに、サブキャリアブロック番号１のサブキャリアブロックを、通知情報を生成する際の起点とした場合の例である。
【０１９７】
図９における通知情報生成の手順の詳細は図７の例と基本的に同じである。異なる部分は、第１の構成の復元演算部による動作であり、通知情報としてＹ１が選択された場合でも、復元演算部３０１は、当該サブキャリアブロックの通知情報を、以降のサブキャリアブロックにおける通知情報決定の際の直前のサブキャリアブロックまでの通知情報の累積値の計算において考慮し、当該サブキャリアブロックにおいて前記累積値の計算結果をＹ１に置き換える。例えば図９における７番目のサブキャリアブロックの通知情報の決定を例に採ると、直前のサブキャリアブロックまでの通知情報の累積値の計算において、５番目のサブキャリアブロックにおいてＹ１が選択されているため、累積値はこのサブキャリアブロックでＹ１＝４に置き換えられ、最終的な累積値はこれに６番目のサブキャリアブロックの通知情報が加算されて「６」（４＋２）となる。
【０１９８】
また、図１０は、図９の例に示した、選択された変調パラメータ、通知情報および復元された変調パラメータをグラフに示したものである。横軸はサブキャリアブロック番号、縦軸は変調パラメータである。黒い丸印は通知情報生成装置に入力された各サブキャリアブロックの選択された変調パラメータを示し、白抜きの三角印は復元された変調パラメータを示している。
【０１９９】
なお、上記の２つの復元演算部３０１の処理方法の選択や、通知情報候補値、差分値候補値Ｘｋ（ｋ＝１〜Ｍ、Ｍは自然数）および非差分値候補値Ｙｊ（ｊ＝１〜Ｎ、Ｎは自然数）、としてどのような値を用いるかを決定する方法としては以下のような方法がある。なおこれらの方法に限定されるものではない。
【０２００】
（１）各サブキャリアブロックにおける選択された変調パラメータに対して、復元演算部３０１の処理方法および通知情報候補値の幾つかの組み合わせで通知情報の生成を試行し、それらの結果の中から、復元された変調パラメータが選択された変調パラメータに最も近いものを選択し、使用した復元演算部３０１の処理方法および通知情報候補値を生成した通知情報とともに通知する。使用した復元演算部３０１の処理方法および通知情報候補値は、通知情報候補値に関する情報として、通知情報候補値を変更するタイミングで通信先へ通知すれば十分である。
【０２０１】
（２）選択された変調パラメータのサブキャリアブロック間の変動幅、変動速度（周波数方向の変動ピッチ）、および選択された変調パラメータの極小値前後における変化量などから復元演算部３０１の処理方法および通知情報候補値の組み合わせを選択し、使用した復元演算部３０１の処理方法および通知情報候補値を生成した通知情報とともに通知する。例えば、選択された変調パラメータのサブキャリアブロック間の変動幅および変動速度に比例してＸｋの最大値を大きくするとともに各Ｘｋの間隔も大きくし、選択された変調パラメータの極小値前後における変化量に閾値を設定して閾値より小さい場合に復元演算部の処理方法として第１の構成を選択し、閾値以上の場合に第２の構成を選択する、などの方法がある。
【０２０２】
また、図７、図９に示した例では、差分ではない特定の変調パラメータを表す値である非差分値候補値Ｙｊが１つだけ用いられる場合について説明しているが、複数用意しても良い。例えば変調パラメータの最低値（キャリアホール）と中央値の２つをＹ１、Ｙ２の通知情報候補値とする、などの方法がある。
【０２０３】
このように、本実施形態によれば、チャネル品質情報として変調パラメータの差分を通信先へ通知する場合に、変調パラメータの差分を示す差分値候補値と、非差分値候補値とのいずれかを選択した通知情報を通知することにより、復元されるチャネル品質情報の精度を向上させることができる。
【０２０４】
（第２の実施形態）
第２の実施形態では、チャネル品質情報として伝搬路状態推定結果を用いる場合を一例として説明する。
【０２０５】
図１１は、本発明に係る第２の実施形態における基地局装置１９０の一構成例を示す機能ブロック図である。また図１２は、本発明に係る第２の実施形態における端末装置２９０の一構成例を示す機能ブロック図である。第２の実施形態では、下りリンクの通知情報として下りリンクの送信データの適応変調に用いられた変調パラメータに関する情報を通知し、上りリンクの通知情報として下りリンクの受信信号より推定した伝搬路状態を通知する場合の例を示している。
【０２０６】
図１１に示す基地局装置１９０は、図１に示す基地局装置１００とほぼ同様の構成要素を備えるが、基地局装置１９０は、通知情報復元部３９０と通知情報生成装置４００の間に変調パラメータ選択部１９１を有する点と、通知情報復元部３９０が、上りリンク通知情報として伝搬路状態推定結果を復元する点が異なる。変調パラメータ選択部１９１は、図２に示す端末装置２００内の変調パラメータ選択部２０６と同じ回路構成で実現することができる。通知情報復元部３９０は、図１に示す通知情報復元部３００と入出力の情報量は異なるものの、同様の処理を行なう回路で実現可能である。
【０２０７】
図１２に示す端末装置２９０は、図２に示す端末装置２００とほぼ同様の構成を備えるが、端末装置２９０が、伝搬路推定部２０５と通知情報生成部４９０の間に変調パラメータ選択部を必要としない点と、通知情報生成装置４９０が、伝搬路推定部２０５から出力される伝搬路状態推定結果を入力信号とし、上りリンク通知情報として伝搬路状態推定結果に関連する通知情報を生成する点が異なる。
【０２０８】
図１１の基地局装置１９０における下りリンク送信手順は、図１の基地局装置１００における下りリンク送信手順と同様であるため、説明を省略する。
【０２０９】
次に、図１２の端末装置１９０における下りリンク受信手順について説明する。無線受信部２０２、フーリエ変換部２０３、デマルチプレクス部２０４、伝搬路推定部２０５、適応復調制御部２０７、復調部２０８、誤り訂正復号化部２０９、並びに、通知情報復元部３００の動作は図２の端末装置２００における下りリンク受信手順と同様である。
【０２１０】
通知情報生成装置４９０は、伝搬路推定部２０５から出力された伝搬路状態推定結果を入力し、入力した伝搬路状態推定結果に基づいて上りリンク通知情報を生成し出力する。通知情報生成装置４９０における処理に関しては図１３を用いて後述する。
【０２１１】
また、図１２の端末装置２９０における上りリンク送信手順は、図２の端末装置２００における上りリンク送信手順と同様のため、説明を省略する。
【０２１２】
次に、図１１の基地局装置１９０における上りリンク受信手順について説明する。無線受信部１０８、デマルチプレクス部１０９、復調部１１０、誤り訂正復号化部１１１、適応変調制御部１１２の動作は、図１の基地局装置１００における上りリンク受信手順と同様である。
【０２１３】
通知情報復元部３９０は、デマルチプレクス部２０４から出力された上りリンク通知情報を入力し、入力した上りリンク通知情報から下りリンクの伝搬路状態推定結果に関する情報を復元し出力する。なお、通知情報復元部３９０における処理に関しては図１４を用いて後述する。
【０２１４】
変調パラメータ選択部１９１は、通知情報復元部３９０から出力された下りリンクの伝搬路状態推定結果を入力し、入力した伝搬路状態推定結果に基づいてサブキャリアブロック毎の次の下りリンクの変調パラメータを選択し、選択した変調パラメータを出力する。なお、前記変調パラメータの選択は、予め定めた変調パラメータと伝搬路状態との対応関係に、伝搬路状態推定結果を当てはめることで行なう。例えば、変調パラメータとそれに対応する伝搬路状態の範囲をテーブルとして保持し、そのテーブルと伝搬路状態推定結果を比較することで選択する変調パラメータを決定できる。
【０２１５】
通知情報生成装置４００は、変調パラメータ選択部１９１から出力された変調パラメータに関する情報を入力し、入力した変調パラメータに関する情報に基づいて下りリンク通知情報を生成し出力するとともに、下りリンク通知情報に基づいて変調パラメータに関する情報を復元し出力する。また、通知情報生成装置４００は、図３に示した通知情報生成装置４００と同様の機能ブロック構成で実現することができる。
【０２１６】
図１３に、図１２の端末装置２９０における通知情報生成装置４９０の機能ブロック図を示す。通知情報テーブル４９１は、通知情報として選択可能な候補値を記憶する記憶領域であり、候補値には、二つのチャネル品質情報の差を示す差分値候補値と、チャネルの伝搬路状態を示す非差分値候補値とを含む。通知情報テーブル４９１は、通知情報として選択可能な、伝搬路状態推定結果の差分を表す複数の値（差分値候補値）Ｘ’ｋ（ｋ＝１〜Ｍ、Ｍは自然数）、および差分ではない特定の伝搬路状態推定結果を表す値（非差分値候補値）Ｙ’ｊ（ｊ＝１〜Ｎ、Ｎは自然数）（以下、Ｘ’ｋとＹ’ｊを合わせて通知情報候補値と記す）からなるテーブルを保持し、これらの通知情報候補値を出力する。
【０２１７】
選択部４９２は、図１２における伝搬路推定部２０５において推定されたサブキャリアブロック毎の伝搬路状態推定結果、通知情報テーブル４９１から出力された通知情報候補値および復元部４９３から出力された累積値を入力し、通知情報を生成する。選択部４９２が通知情報を生成する手順は、チャネル品質情報として、変調パラメータの替わりに伝搬路状態推定結果を用いる点を除いて、図３並びに図４に示した通知情報生成装置４００と同様である。具体的には、選択部４９２は、通知情報生成の起点とするサブキャリアブロックについては、当該サブキャリアブロックに関する伝搬路状態推定結果をそのまま通知情報として出力する。選択部４９２は、起点としないサブキャリアブロックについては、当該サブキャリアブロックに関する伝搬路状態推定結果と復元部４９３から入力する累積値との差分値を計算し、伝搬路状態推定結果と計算した差分値とに基づいて通知情報候補値から１つを選択し通知情報として出力する。
【０２１８】
具体的には、選択部４９２は、起点としない各サブキャリアブロックについて、差分値候補値Ｘ’ｋのうち計算した差分値に最も近い差分値候補値を選択し、選択した差分値候補値と累積値とを加算して加算結果を算出し、算出した加算結果あるいは非差分値候補値Ｙ’ｊから入力された当該サブキャリアブロックの伝搬路状態推定結果に最も近くなる値を選択し、選択した値に使用した通知情報候補値（Ｘ’ｋまたはＹ’ｊ）を通知情報として選択する。生成された通知情報は復元部４９３へ出力される。
【０２１９】
復元部４９３は、選択部４９２が出力する通知情報を保持し、保持する通知情報に基づいて伝搬路情報推定結果を復元し、復元した伝搬路情報推定結果を出力する。復元部４０３の詳細については、図１４を用いて後述する。
【０２２０】
なお、通知情報生成装置４９０における復元部４９３は、図１１の基地局装置１９０における上りリンク通知情報に対する通知情報復元部３９０と、同様の機能ブロック構成となる。
【０２２１】
図１４は、本実施形態の通知情報復元部３９０の機能ブロック図の一例を示す。通知情報復元部３９０は、復元演算部３９１と記億部３９２とを備える。復元部４９３も同様の構成を備える。復元演算部３９１は、図５に示した復元演算部３０１が復元された変調パラメータを出力することに替えて復元された伝搬路状態推定結果を出力する点が異なる。また、記憶部３９２は、通知情報として伝搬路状態推定結果に基づいて選択された通知情報候補値を記憶情報として入力する点、並びに、累積値として、復元された伝搬路状態推定結果を出力する点が異なる。その他の部分は、図５並びに図６と同様である。
【０２２２】
具体的には、復元演算部３９１は、通知情報と、記憶部３９２から出力された累積値を入力し、通知情報生成の起点とするサブキャリアブロックについては、当該サブキャリアブロックに関する通知情報をそのまま復元された伝搬路状態推定結果として出力するとともに、記憶部３９２に対しても通知情報を記憶情報として出力する。復元演算部３９１は、起点としないサブキャリアブロックについては、当該サブキャリアブロックに関する通知情報が通知情報候補値Ｘ’ｋ場合、通知情報と累積値とを加算し復元された伝搬路状態推定結果として出力するとともに、記憶部３９２に対しても加算結果を記憶情報として出力し、通知情報が前記通知情報候補値Ｙ’ｊの場合、通知情報をそのまま復元された伝搬路状態推定結果として出力するとともに、記憶部３９２に対しても通知情報を記憶情報として出力する。あるいは別の構成として、通知情報が前記通知情報候補値Ｙ’ｊの場合、通知情報をそのまま復元された伝搬路状態推定結果として出力するとともに、記憶部３９２に対しては前記累積値をそのまま記憶情報として出力する。
【０２２３】
第２の実施形態において、図７から図１０に示した通知情報とその復元の具体例は、下りリンクの通知情報については、第１の実施形態と同様である。また、上りリンクの通知情報については、「変調パラメータ」が「伝搬路状態推定結果」に替わり、取り得る値の範囲（ビット数など）が変わるものの、手順は同様となる。
【０２２４】
このように、本実施形態によれば、チャネル品質情報として伝搬路状態推定結果の差分を通信先へ通知する場合に、伝搬路状態推定結果の差分を示す差分値候補値と、非差分値候補値とのいずれかを選択した通知情報を通知することにより、復元されるチャネル品質情報の精度を向上させることができる。
【０２２５】
（第３の実施形態）
第３の実施形態では、差分値を算出する具体例を用いた通知情報生成装置を説明する。以下の説明では、図３に示した通知情報生成装置４００を用いて、チャネル品質情報の一例として変調パラメータを入力する場合を説明するが、図１３に示す通知情報生成装置４９０に適用することも可能である。
【０２２６】
サブキャリアブロック（チャネル）の番号を変数ｉで示し、ｉ番目のサブキャリアブロックの変調パラメータをＱ（ｉ）、ｉ番目のサブキャリアブロックの変調パラメータと比較する累積値（復元値）をＳ（ｉ）、差分値をＤ（ｉ）とする。ｉ０は、起点とするサブキャリアブロック番号を示す。Ｒ（ｉ）は、ｉ番目のサブキャリアブロックの通知情報を示す。
【０２２７】
起点とするサブキャリアブロックでは、選択部４０２は、Ｒ（ｉ）＝Ｑ（ｉ）として通知情報を生成する。
【０２２８】
起点とするサブキャリアブロック以外では、まず、復元部４０３は、起点とするサブキャリアブロックを除いて、数式（１）を用いて累積値Ｓ（ｉ）を算出する。累積値を算出する場合に、起点とするサブキャリアブロック番号ｉ０とｉとの関係によって異なる数式を用いて累積値Ｓ（ｉ）を算出する。
【０２２９】
【数１】
2010283892.tif 000003
【０２３０】
次に、選択部４０２は、復元部４０３が算出した累積値Ｓ（ｉ）を用いて、差分値Ｄ（ｉ）をＤ（ｉ）＝Ｑ（ｉ）−Ｓ（ｉ）の式で算出する。算出した差分値Ｄ（ｉ）と、入力した変調パラメータ（チャネル品質情報の一例）に基づいて、通知情報候補値を選択し、選択した通知情報候補値に基づいて通知情報を生成して出力する。
【０２３１】
このように、通知情報生成装置４００は、まず、起点とするチャネルの通知情報を生成し、順次起点としないチャネルの通知情報を生成する。通知情報生成装置４００は、起点とするチャネルのチャネル品質情報を通知情報として生成する。ここで、異なる二つのチャネル（サブキャリアブロック）、第一のチャネルと第二のチャネルに注目し、第一のチャネルの通知情報は既に生成され、第二のチャネルの通知情報を生成する場合の動作について説明する。復元部４０３は、第一のチャネルのチャネル品質情報に基づいて生成された通知情報を前回通知情報として保持（記憶）し、さらに、既に通知情報を生成した起点となるチャネル（起点チャネル）の通知情報も保持している状態である。復元部４０３は、保持した前回通知情報に基づいて、累積値（復元値）を生成し、生成した累積値を第一のチャネルの復元値として選択部４０２へ出力する。なお、第一のチャネルは、起点とするチャネルであっても、起点としないチャネルであっても同様の動作となる。
【０２３２】
選択部４０２は、第二のチャネルのチャネル品質情報を入力し、入力した第二のチャネルのチャネル品質情報と復元部４０３が復元した第一のチャネルの復元値との差分値を算出し、復元部４０３が生成した累積値と差分値候補値とを加算した値（差分値候補値が複数の場合は、複数の加算した値）、非差分値候補値、および、第二のチャネルのチャネル品質情報とに基づいて、通知情報テーブル４０１から一つの通知情報候補値を選択して通知情報を生成する。復元部４０３は、生成した第二のチャネルの通知情報を入力し、前回通知情報として記憶する。
【０２３３】
通知情報生成装置４００は、更に、第二のチャネルと第三のチャネルというように、二つのチャネルの差分値に基づいて通知情報を生成する動作を繰り返して、複数のチャネル全部の通知情報を生成する。
【０２３４】
また、上記各実施形態の通知情報生成装置は、回路等のハードウェア、あるいは、ソフトウェアによって実現することができる。ソフトウェアで実現する場合、コンピュータの動作に関するプログラム（通知情報生成プログラム）によって実現することができる。通知情報生成プログラムは、計算機内（通信装置内）のメモリにロードされ中央処理演算装置（ＣＰＵ）の制御のもとで実行される。通知情報生成プログラムは、少なくとも次の手順を計算機に実行させる機能を備える。
【０２３５】
二つのチャネル品質情報の差を示す少なくとも一つの差分値候補値と、チャネル品質情報を示す少なくとも一つの非差分値候補値を含む通知情報の候補値から、一つの候補値を選択し、選択した候補値に基づいて通知情報を生成する手順、を備える。より具体的には、（１）通知情報の候補値として、前記差分値候補値と、前記非差分値候補値とを通知情報テーブルへ複数記憶する手順、（２）第一のチャネルのチャネル品質情報に基づいて生成された通知情報を用いて復元値を生成する手順、（３）前記第一のチャネルとは異なる第二のチャネルのチャネル品質情報を入力し、前記第二のチャネルのチャネル品質情報と前記復元値とに基づいて、前記通知情報の候補値から一つの候補値を選択し、選択した候補値に基づいて通知情報を生成する手順、を実行させる機能を備える。
【０２３６】
さらに、（５）起点とするチャネルについては、入力されたチャネル品質情報を通知情報として出力する手順を備えていてもよい。また、（６）候補値を選択する場合は、算出した差分値に加え、第二のチャネルのチャネル品質情報にも基づいて候補値を選択する手順を備えていてもよい。
【０２３７】
（第４の実施形態）
第４の実施形態では、通知情報候補値を特定する候補値番号を用いて通知情報を生成する通知情報生成装置を説明する。第１の実施形態から第３の実施形態では、通知情報は、通知情報候補値そのものである場合を想定して説明したが、本実施形態では、通知情報は、通知情報候補値のどの値かを示す候補値番号を用いて生成される場合を説明する。
【０２３８】
以下の説明では、図３に示した通知情報生成装置４００を用いて説明するが、本実施形態は図１３に示す通知情報生成装置４９０に適用することも可能である。通知情報生成装置４００は、ｎビットの通知情報を生成する場合を一例として説明する。しかしながら、復元部は、累積値を算出する場合に、通知情報テーブルを参照する、あるいは、選択部から通知情報候補値と候補値番号との対応を通知されることなどにより、候補値番号と通知情報候補値とを対応づける情報の入手が必要である。
【０２３９】
通知情報テーブル４０１は、通知情報候補値そのものの値を記憶するとともに、通知情報候補値を特定する候補値番号と対応づけて記憶する。通知情報テーブル４０１は、通知情報の候補値を特定する候補値番号を２ｎ個記憶するｎビットと、２ｎ個の候補値番号それぞれと対応する通知情報の候補値を記憶する記憶領域を備える。なお、起点とする通知情報については、チャネル品質情報を近似する非差分値候補値を選択すること、起点とする通知情報がｎビットで通知できる値であること、あるいは、起点とする通知情報（例えば、チャネル品質情報そのもの）は別途通知することなどの方法により通知することが可能である。例えば、差分値候補値Ｘｋ（ｋ＝１〜Ｍ、Ｍは自然数）および非差分値候補値Ｙｊ（ｊ＝１〜Ｎ、Ｎは自然数）を通知情報候補値とする場合、ＭとＮとは、Ｍ＝２ｎ−Ｎの関係になる。
【０２４０】
選択部４０２は、図４に示す手順に従って、通知情報候補値を選択し、選択した通知情報候補値を特定する候補値番号を用いて通知情報を生成する。
【０２４１】
復元部４０３は、通知情報として候補値番号を入力し、通知情報テーブル４０１を参照して復元されたチャネル品質情報を生成する。
【０２４２】
このように、本実施形態によれば、候補値番号を用いて通知情報をｎビットで生成することにより、通知情報の情報量を抑制することができる。これにより、通信装置間で送受信する制御情報量を抑制することができる。また、復元するチャネル品質情報の精度を保ちながら、通知情報量を一定とした通知情報を生成することが可能となり、通信装置間で送受信する制御情報通知手順の複雑化と非効率化を抑制することができる。
【０２４３】
（第５の実施形態）
上記各実施形態で説明した通知情報生成装置は、次のような構成をとることも可能である。上記各実施形態では、選択部と復元部とから構成されるループを帰還する場合について説明した。上記各実施形態の選択部の内部では、各候補値に対して、復元部の内部の処理である復元処理と同様の処理を試行し、試行結果に基づいて一つの候補値を選択する。すなわち、選択部は、復元の機能と、復元結果を比較する機能を有している。そこで、選択部の内部の復元の機能を司る回路と復元部内の復元の機能を司る回路とを共通の回路で行なうこともできる。また、回路等のハードウェアに限らず、ソフトウェアで実現する場合も同様に共通化して実現することができる。
【０２４４】
図１５は、選択部に復元部を取り込んだ通知情報生成装置４８０の構成の一例を示すブロック図である。通知情報生成装置４８０は、通知情報テーブル４８１、選択部４８２、復元部４８３、並びに比較部４８４を備える。通知情報テーブル４８１は、図３の通知情報テーブル４０１と同様である。図１５のブロック構成では、選択部４８２の内部に復元部４８３が含まれる構成を取っている。選択されたチャネル品質情報は、選択部４８２の内部の比較部４８４に入力される。復元部４８３は記憶機能を有し、前回復元された復元値（累積値、一つ前のチャネルの処理において復元されたチャネル品質情報）が記憶される。
【０２４５】
次いで、本実施形態の通知情報生成装置４８０の動作を説明する。図１６は、本実施形態の通知情報生成装置４８０の動作の一例を示すフローチャートである。
【０２４６】
まず、通知情報生成装置４８０において、比較部４８４は、選択されたチャネル品質情報を入力する（Ｓ３１）。比較部４８４は、入力した選択されたチャネル品質情報が起点とするチャネルであるか否かを判断し（Ｓ３２）、起点とするチャネルの場合（Ｓ３２でＹｅｓ）、選択されたチャネル品質情報を通知情報、復元されたチャネル品質情報として出力し（Ｓ３３）、起点とするチャネルのチャネル品質情報を復元部４８３へ通知する（Ｓ３４）。復元部４８４は、通知されたチャネル品質情報を前回の復元値として記憶する（Ｓ３５）。
【０２４７】
起点とするチャネル以外の場合（Ｓ３２でＮｏ）、比較部４８４は、復元部４８３へ復元値の出力を指示し、復元部４８３は、差分値候補値と前回の復元値とを加算した値と、非差分値候補値とを含む暫定的な複数の復元値（暫定的に復元されたチャネル品質情報）を生成する（Ｓ３６）。生成した暫定的な複数の復元値と通知情報候補値とを、比較部４８４へ出力する（Ｓ３７）。
【０２４８】
具体的には、復元部４８３は、前回復元された復元値が記憶されており、通知情報テーブル４８１から通知情報候補値が順次入力される。復元部４８３は、処理中のチャネル（サブキャリアブロック）に関して、前回の復元値に差分値候補値それぞれを加算した値と、非差分値候補値とを含む暫定的に復元されたチャネル品質情報（暫定的な復元値）を算出する。次いで、復元部４８３は、暫定的に復元されたチャネル品質情報を通知情報候補値と関連付けて一時記憶するとともに、通知情報候補値と暫定的に復元されたチャネル品質情報とを比較部４８４に順次出力する。
【０２４９】
比較部４８４は、復元部４８３から順次入力される暫定的に復元されたチャネル品質情報と、前記選択されたチャネル品質情報とを比較し、比較した結果、選択されたチャネル品質情報に最も近くなる暫定的に復元されたチャネル品質情報を選択し（Ｓ３８）、選択した暫定的に復元されたチャネル品質情報の算出に使用された通知情報候補値を通知情報として生成する（Ｓ３９）。
【０２５０】
比較部４８４が行なう比較に関しては、計算手順の表現方法が異なるが、前述の構成における選択部が行なう比較と同様の評価である。比較部４８４は、生成した通知情報とその通知情報に対応する復元後のチャネル品質情報（複数の暫定的に復元されたチャネル品質情報のうち、選択した値）を出力するとともに、選択した通知情報を示す信号（通知情報候補値を特定する信号）を復元部４８３に送る（Ｓ４１）。
【０２５１】
復元部４８３は、比較部４８４から送られた信号が示す通知情報候補値に対応する暫定的に復元されたチャネル品質情報を記憶し（Ｓ４２）、次の処理の際に前回復元された復元値（前回の復元値）として用いる。なお、復元部４８３は、第１の実施形態で説明した、第１の構成の復元演算部と、第２の構成の復元演算部と同様に、非差分値候補値が通知情報として選択された場合、復元値を非差分値候補値と置き換える場合、復元値算出に非差分値候補値を考慮せずに前回の復元値をそのまま用いる場合、のいずれであってもよい。従って、復元部４８３から出力される復元値は、復元されたチャネル品質情報と異なる場合もあり得る。
【０２５２】
比較部４８４は、最後のチャネル（サブキャリアブロック）であるかを判断し（Ｓ４３）、最後のチャネルではない間は（Ｓ４３でＮｏ）、ステップＳ３２からの処理を繰り返し、最後のチャネルになったときに（Ｓ４３でＹｅｓ）処理を終了する。このように、復元処理の機能を共通化して、演算量を削減することができる。
【０２５３】
なお、図１６では、比較部４８４と復元部４８３の動作は順次実施されるように示しているが、処理によっては比較部４８４と復元部４８３とは並行して処理を実施することができる。また、図１５において、通知情報テーブル４８１は、専用の記憶領域を備える場合でもよいが、一時的に確保される記憶領域（キャッシュ）であってもよい。また、通知情報テーブル４８１は、選択部４８２（あるいは、復元部４８３、比較部４８４）内に一時的に確保される記憶領域であってもかまわない。
【０２５４】
さらに、本実施形態の通知情報生成装置４８０は、図１６に示した動作に限られることはない。例えば、暫定的な復元値の算出（図１６のステップＳ３７）については、比較部４８４で実施する構成とすることもできる。例えば、復元部４８３は、一つ前に処理したチャネルの復元値（前回の復元値）を記憶する構成とする。復元部４８３は、複数の通知情報候補値と前回の復元値とを比較部４８４へ出力する。比較部４８４は、入力した複数の通知情報候補値と前回の復元値とを用いて暫定的に復元されたチャネル品質情報（暫定的な複数の復元値）を算出し、算出した暫定的な複数の復元値と選択されたチャネル品質情報とを比較し、選択されたチャネル品質情報に最も近い暫定的な復元値を選択する。比較部４８４は、選択した暫定的な復元値を復元されたチャネル品質情報として出力するとともに、選択した暫定的な復元値の算出に使用した通知情報候補値に基づいて、通知情報を生成し、出力する。
【０２５５】
また、比較部４８４は、選択した暫定的な復元値の算出に使用した通知情報候補値を特定する信号を復元部４８３へ出力する。復元部４８３は、比較部４８４から通知された信号に基づいて、選択された通知情報候補値を取得し、選択された通知情報候補値が差分値候補値の場合は、記憶領域に記憶している前回の復元値へ取得した通知情報候補値を加算した値を前回の復元値として記憶し、選択された通知情報候補値が非差分値候補値の場合は、第１の実施形態で説明した第１の構成の復元演算部と、第２の構成の復元演算部と同様に、選択された非差分値候補値、あるいは記憶領域に記憶している前回の復元値を、前回の復元値として記憶する。
【０２５６】
なお、上記各実施形態で説明した非差分値候補値は、チャネル品質情報が取りうる値（情報）の一つであってもよく、また、チャネル品質情報に基づいて選択される値であってもよい。チャネル品質情報が取りうる値としては、チャネル品質情報が示す状態として最も劣悪な状態を示す値、チャネル品質情報が示す状態として中間を示す値などがある。また、チャネル品質情報に基づいて選択される値としては、信号を受信した通信装置から通知されたチャネル品質情報について統計を行なって（例えば、要約統計処理）算出した値（例えば、平均値、分散値、平均値から分散値を差し引いた値）、チャネルの周波数間隔、チャネル品質情報から得られる伝搬路の遅延分散値、およびドップラー周波数に基づいて決定した値などがある。
【０２５７】
また、非差分値候補値に限らず、差分値候補値についても、チャネル品質情報に基づいて、変更することも可能である。通知情報候補値の変更は、一例として、通知情報生成装置の選択部において実施することができる。選択部は、複数のチャネルのチャネル品質情報を入力し、入力した複数のチャネル品質情報に基づいて、通知情報候補値を変更するか否かを判断し、判断結果に基づいて、通知情報候補値（差分値候補値、非差分値候補値のいずれか一方、あるいは両方）を変更することができる。
【０２５８】
選択部は、入力したチャネル品質情報や伝搬路の遅延分散値に基づいて、差分値候補値、非差分値候補値を変更し、通知情報テーブルを更新するとともに、基地局装置は、端末装置（通信先の通信装置）へ更新した通知情報候補値（候補値）に関する情報を通知する。通知する通知情報候補値に関する情報は、通知情報候補値そのものの値である場合もあるし、通知情報候補値を候補値番号で対応付けている場合は、候補値番号と、候補値番号に対応づけられる通知情報候補値に関する情報を通知することになる。端末装置は、受信した通知情報候補値に関する情報を通知情報生成装置の通知情報テーブルに格納する。これにより、伝搬路状態に応じて適切な通知情報候補値を決定することができるとともに、通信中の変動に柔軟に対応することが可能となる。
【０２５９】
（第６の実施形態）
図７から図１０では、通知情報生成装置４００における通知情報の生成の例として、通知情報を生成する際の起点とするサブキャリアブロックが１つだけ存在する場合の例を示したが、起点とするサブキャリアブロックが複数存在する構成を取ることもできる。本実施形態では、チャネル品質情報の一例として変調パラメータを用いて説明する。
【０２６０】
図１７に、サブキャリアブロック番号１、６、１１および１６の４つのサブキャリアブロックを、通知情報を生成する際の起点した場合の、通知情報生成装置４００（もしくは通知情報生成装置４８０）における通知情報の生成結果および復元された変調パラメータの一例を示す。なお、サブキャリアブロック数、変調パラメータとして用いるＭＣＳ、および通知情報候補値（Ｘｋ、Ｙ１）は図７と同じである。
【０２６１】
図１７の例では、起点とするサブキャリアブロックである、１番目、６番目、１１番目、および１６番目のサブキャリアブロックに関する通知情報として、それぞれのサブキャリアブロックで選択された変調パラメータをそのまま出力する。その他のサブキャリアブロックに関する通知情報では、起点としたサブキャリアブロックから直前のサブキャリアブロックまでの通知情報の累積値（復元値）と、当該サブキャリアブロックでの選択された変調パラメータとの差分値を求め、例えばその差分値に最も近いＸｋを通知情報として選択した場合に復元される変調パラメータの値と、Ｙ１を通知情報として選択した場合に復元される変調パラメータの値とのうち、元の選択された変調パラメータの値により近い方を選択する。
【０２６２】
図１８は、図１７の例に示した、選択された変調パラメータ、通知情報および復元された変調パラメータをグラフに示したものである。横軸はサブキャリアブロック番号、縦軸は変調パラメータである。黒い丸印は通知情報生成装置に入力された各サブキャリアブロックの選択された変調パラメータを示し、白抜きの三角印は復元された変調パラメータを示している。なお矢印は、起点としたサブキャリアブロックから直前のサブキャリアブロックまでの通知情報の累積値と、当該サブキャリアブロックでの選択された変調パラメータとの差分値を求める際の、処理の方向を示している。
【０２６３】
図１９に、サブキャリアブロック番号１、６、１１および１６の４つのサブキャリアブロックを、通知情報を生成する際の起点した場合の、通知情報生成装置４００（もしくは通知情報生成装置４８０）における通知情報の生成結果および復元された変調パラメータの別の一例を示す。
【０２６４】
また、図２０は、図１９の例に示した、選択された変調パラメータ、通知情報および復元された変調パラメータをグラフに示したものである。横軸はサブキャリアブロック番号、縦軸は変調パラメータである。黒い丸印は通知情報生成装置に入力された各サブキャリアブロックの選択された変調パラメータを示し、白抜きの三角印は復元された変調パラメータを示している。なお矢印は、起点としたサブキャリアブロックから直前のサブキャリアブロックまでの通知情報の累積値（復元値）と、当該サブキャリアブロックでの選択された変調パラメータとの差分値を求める際の処理の方向を示している。
【０２６５】
起点とするサブキャリアブロックが複数存在する場合、起点とするサブキャリアブロック以外のサブキャリアブロックに関する通知情報では、起点としたサブキャリアブロックから直前のサブキャリアブロックまでの通知情報の累積値と、当該サブキャリアブロックでの選択された変調パラメータとの差分値を求める際に、起点とするサブキャリアブロックおよび処理の方向は任意に選択が可能である。例えば、図２０では、最も近くの起点とするサブキャリアブロックを、起点とするサブキャリアブロック以外の各サブキャリアブロックに関する通知情報生成における累積値計算の起点とし、図中の矢印の方向に処理を行なう場合の例を示している。
【０２６６】
図２１は、起点とするサブキャリアブロック（起点チャネル）が複数配置される場合の通知情報生成装置の動作の一例を示すフローチャートであり、図２２は、図２１における通知情報生成処理の動作の一例、図２３は、図２２における候補値選択処理の動作の一例を示すフローチャートである。図２１から図２３では、複数の起点とするサブキャリアブロックは等間隔に配置されていることを前提とし、復元値を生成する対象チャネルに近い（対象とするサブキャリアブロックと起点とするサブキャリアブロックとの距離が短い）起点チャネルから前記対象チャネルまでの各チャネルの通知情報を順次加算した累積値を算出して、通知情報並びに復元値を生成する動作の一例を示している。以下に、図３に示した通知情報生成装置４００の動作を一例として説明するが、図１５に示す通知情報生成装置４８０で実現することも可能である。なお、図２１から図２３に示す動作は、図１９、図２０に一例と示した通知情報を生成する動作の一例を示すものであり、図２１から図２３以外の動作によっても実現可能なことは言うまでもない。
【０２６７】
選択部４０２は、各サブキャリアブロックの選択された変調パラメータを入力し（Ｓ６０）、各サブキャリアブロックについて、ステップＳ６１からステップＳ６５で示すループ１の処理を繰り返す（Ｓ６１）。ｓは、処理対象のサブキャリアブロックの番号を示す。選択部４０２は、サブキャリアブロックｓが起点となるサブキャリアブロック(起点チャネル)を検出する（Ｓ６２でＹｅｓ）。サブキャリアブロックｓが起点となるサブキャリアブロックで無い場合（Ｓ６２でＮｏ）、ループ１を終了して次のサブキャリアブロックの処理に移行する（Ｓ６５）。選択部４０２は、サブキャリアブロックｓの変調パラメータをサブキャリアブロックｓの通知情報として出力する（Ｓ６３）。次に、サブキャリアブロックｓを起点とする他のサブキャリアブロックの通知情報並びに復元値を生成する処理を行なう（Ｓ６４）。
【０２６８】
次に、通知情報生成処理について説明する。通知情報生成処理では、累積値Ａと累積値Ｂとを、起点となるサブキャリアブロックの両側の累積値を算出する変数として用い、累積値バッファを一時的な計算用の変数として用いる。まず、復元部４０３は、選択部４０２から起点となるサブキャリアブロックの変調パラメータ（通知情報）を入力し、累積値Ａと累積値Ｂに代入する（Ｓ６６）。次いで、復元部４０３は、２つの起点とするサブキャリアブロックから起点とするサブキャリアブロックの間隔の半分について、ステップＳ６７からステップＳ７４で示すループ２の処理を繰り返す（Ｓ６７）。通知情報並びに復元値を生成する対象となるサブキャリアブロック（対象チャネル）ｕ、累積値バッファを設定し（Ｓ６８）、候補値選択処理（Ｓ６９）を行なって、累積値Ａを取得する（Ｓ７０）。ステップＳ６８からステップＳ７０は、起点となるサブキャリアブロックからプラスの方向の番号順に対象となるサブキャリアブロックを移行する処理である。ステップＳ７１からステップＳ７３は、起点となるサブキャリアブロックからマイナスの方向の順番に対象となるサブキャリアブロックを移行する処理であり、ステップＳ６８からステップＳ７０と同様の処理を実施する。
【０２６９】
候補値選択処理（Ｓ６９、Ｓ７２）では、選択部４０２は、復元部４０３からサブキャリアブロックｕと累積値バッファとを入力し、サブキャリアブロックｕが存在する場合に（Ｓ７５でＹｅｓ）、差分値を計算し（Ｓ７６）、差分値に基づいて、通知情報の候補値から一つを選択して通知情報を復元部４０３並びに外部へ出力する（Ｓ７７）。次に復元部４０３は、選択部４０２から通知された通知情報（候補値）を加算あるいは代入する。加算、代入のいずれかは、図６のステップＳ２４からステップＳ２６と同様の処理で行なう。ここで算出したい累積値バッファは、復元値となる。
【０２７０】
なお、図１７、図１８に示す通知情報並びに復元された変調パラメータは、図４並びに図６に一例として示す動作によって説明することができるため、説明を省略する。
【０２７１】
次に、２つの起点とするサブキャリアブロック間に存在するサブキャリアブロックの通知情報のいずれかが非差分値候補値である場合、非差分値候補値を用いて、起点とならないサブキャリアブロックそれぞれについて起点とするサブキャリアブロックを選択する例を説明する。図２４に、サブキャリアブロック番号１、６、１１および１６の４つのサブキャリアブロックを、通知情報を生成する際の起点した場合の、通知情報生成装置４００（もしくは通知情報生成装置４８０）における通知情報の生成結果および復元された変調パラメータのさらに別の一例を示す。
【０２７２】
また、図２５は、図２４の例に示した、選択された変調パラメータ、通知情報および復元された変調パラメータをグラフに示したものである。横軸はサブキャリアブロック番号、縦軸は変調パラメータである。黒い丸印は通知情報生成装置に入力された各サブキャリアブロックの選択された変調パラメータを示し、白抜きの三角印は復元された変調パラメータを示している。なお矢印は、起点としたサブキャリアブロックから直前のサブキャリアブロックまでの通知情報の累積値（復元値）と、当該サブキャリアブロックでの選択された変調パラメータとの差分値を求める際の処理の方向を示している。
【０２７３】
起点とするサブキャリアブロック（起点チャネル）が複数存在する場合、起点とするサブキャリアブロック以外のサブキャリアブロックに関する通知情報では、起点としたサブキャリアブロックから直前のサブキャリアブロックまでの通知情報の累積値と、当該サブキャリアブロックでの選択された変調パラメータとの差分値を求める際に、起点とするサブキャリアブロックおよび処理の方向は任意に選択が可能である。ここで、間に起点とするサブキャリアブロックが存在しない２つの起点とするサブキャリアブロックの間に存在する１つ以上のサブキャリアブロックを、「起点間サブキャリアブロック」とする。図２５では、起点間サブキャリアブロックにおいて、非差分値候補値が選択されるサブキャリアブロックがある場合、そのサブキャリアブロックを、起点間サブキャリアブロックそれぞれにおいて、前記累積値および前記差分値を求める際に選択する起点とするサブキャリアブロックおよび処理の方向の境界とし、図中の矢印の方向に処理を行なう場合の例を示している。
【０２７４】
図２５の例では、サブキャリアブロック番号４および１５が非差分値候補値の選択される状態であるため、起点となるサブキャリアブロック１番と６番の間の起点間サブキャリアブロックにおいては４番のサブキャリアブロックを前記境界として累積値および差分値の計算処理を行ない、起点となるサブキャリアブロック１１番と１６番の間の起点間サブキャリアブロックにおいては１５番のサブキャリアブロックを前記境界として累積値および差分値の計算処理を行なう。
【０２７５】
なお、起点となるサブキャリアブロック６番と１１番の間には非差分値候補値が選択されたサブキャリアブロックが存在しないため、このような場合は例えば図のように中央を境界とする。
【０２７６】
また、もし２つの起点となるサブキャリアブロック間に非差分値候補値が選択されるサブキャリアブロックが複数存在する場合は、例えば、最も中央に近いサブキャリアブロックを境界とする、非差分値候補値が複数ある場合はその中で最も劣悪な（小さな）値が選択されるサブキャリアブロックを境界とする、などの方法がある。復元部は、複数の起点となるサブキャリアブロックの位置および非差分値候補値が通知情報として選択されたチャネルの位置に基づいて、各チャネルの復元値に生成において、前記累積値に通知情報を加算するチャネルを決定する。また、このとき復元部は、累積値に通知情報を加算する処理方向（加算順序）も決定することになる。
【０２７７】
図２４、図２５に示す通知情報生成装置の動作は、例えば、図２１から図２３に示す動作を応用して実現することができる。図２２では、起点間サブキャリアブロックの中央を境界として処理しているが、ステップＳ６８からステップＳ７０の処理と、ステップＳ７１からステップＳ７３までの処理を繰り返すループを別々して繰り返しの数をそれぞれ設定することにより実現することが可能である。また、具体的な動作は、これ以外の動作であってもかまわない。
【０２７８】
次に、起点チャネル（起点となるサブキャリアブロック）の設定方法について説明する。また、図１８、図２０、図２５に示す例では、起点チャネルは予め設定してあることを前提として説明したが、起点チャネルの数、並びに、起点チャネルを配置する配置間隔は可変とすることもできる。
【０２７９】
起点チャネルの数並びに配置間隔は、チャネル（全てのチャネル）間隔、受信状態から得られる伝搬路の遅延分散値、ドップラー周波数または各チャネル間のチャネル品質情報の変動幅のいずれか一つまたは複数によって決定することができる。例えばOFDMにおいては、チャネルの間隔が広い場合または遅延分散値が大きい場合、周波数方向の変動（チャネル間のばらつき）が大きくなる。このため、周波数方向の変動に応じて（完全なチャネル品質情報を通知する）起点となるチャネルの数および間隔を適切に制御することで、精度が高く効率の良い通知情報を生成することが可能になる。
【０２８０】
また、通知情報テーブルは、起点チャネルの数、起点チャネルの配置間隔に応じて決定した通知情報の候補値を記憶することができる。従って、通知情報生成装置は、起点チャネルの数並びに配置間隔の変更に応じて、通知情報の候補値を変更して通知情報テーブルに記憶することにより、より精度の高い通知情報並びに復元値の生成ができる。
【０２８１】
さらに、通知情報テーブルは、複数の起点チャネルの数に反比例する関係または複数の起点チャネルの配置間隔に比例する関係のいずれかに基づいて、記憶する通知情報の候補値の数を多くすることができる。具体的には、通知情報テーブルは、起点チャネルの数が少ないほど、また、起点チャネルの配置間隔が大きくなるほど、通知情報の候補値の数（通知情報に使用するビット数）を増やすことになる。このように、起点チャネルの数が少ないほど、または、起点チャネルの配置間隔が広いほど、候補値のビット数を増やし、逆に数が多いほど、または、起点チャネルの配置間隔が狭いほど、候補値のビット数を減らすことによって、通知情報を伝送するために必要な総ビット数を（ほぼ）一定に保つように制御することができる。また、起点チャネルの配置間隔が広いほど、起点間チャネルにおける変動幅（チャネル品質情報のばらつき）が大きくなる可能性が高いため、より多くのビット数を使用して候補値の数を増やすことで、精度を保つことも可能になる。
【０２８２】
このように、本実施形態によれば、チャネル品質情報として変調パラメータの差分を通信先へ通知する場合に、差分値計算の起点となるサブキャリアブロックを複数設けることにより、起点となるサブキャリアブロックが１つの場合に比べ、復元されるチャネル品質情報の精度を向上させることができる。
【０２８３】
また、起点となるサブキャリアブロックを複数設けることにより、通知情報の受信の際にその一部に誤りが発生した場合でも、その誤った通知情報に基づいて誤った復元値が生成されるサブキャリアブロックの範囲を縮小することができる。
【０２８４】
さらに、本実施形態において、送信側と受信側の通信装置は、予め、起点とするサブキャリアブロックの情報を共有し、起点間サブキャリアブロックの処理方法を取り決めておくことにより、送信側と受信側の通信装置間で復元値を生成する処理の方向に関する情報を通知する必要がなくなる。例えば、起点間サブキャリアブロックに関する通知情報生成において、起点としたサブキャリアブロックから直前のサブキャリアブロックまでの通知情報の累積値と、当該サブキャリアブロックでの選択された変調パラメータとの差分値を求める際に、図１８に示すように起点とするサブキャリアブロックおよび処理の方向として、予め定めた一方向に順次処理を行なう場合、図２０に示すように各サブキャリアブロックにおいて最も近くの起点とするサブキャリアブロックを選択する場合、または図２５に示すように非差分値候補値が選択されるサブキャリアブロックを基準とする場合などでは、処理方法は一意に決定できるため、各サブキャリアブロックにおいて起点とするサブキャリアブロックおよび処理の方向に関する情報を通知することなく、通知情報を受信した側での復元が可能である。
【０２８５】
なお、上記各実施形態では、通知情報テーブルは、差分値情報と非差分値情報とを含む場合を説明したが、差分値情報のみを含む場合であっても、本発明を適用することは可能である。この場合、上記各実施形態において、非差分値情報を選択するなどの動作を実施しないことになる。
【０２８６】
以上のように、本発明に係る好適な実施形態によれば、差分を用いてチャネル品質情報を通知する場合に、差分値と、所定のチャネル品質を示す値（非差分値候補値）とを選択して通知することにより、差分に基づいて復元するチャネル品質情報の精度を向上させることができる。また、差分（差分値情報と非差分値情報との少なくとも一方）を用いて通知情報を生成することにより、通知する情報量を抑制することができる。通知する情報量を抑制することにより、システムのスループットを向上させ、消費電力を削減することが可能になる。
【０２８７】
（第７の実施形態）
第７の実施形態では、チャネル品質情報として変調パラメータ情報を用いる場合を一例として説明する。
【０２８８】
図１は、本発明に係る第７の実施形態における基地局装置１００の一構成例を示す機能ブロック図である。また図２は、本発明に係る第７の実施形態における端末装置２００の一構成例を示す機能ブロック図である。第７の実施形態は、基地局装置１００が、下りリンクの通知情報として下りリンクの送信データの適応変調に用いられた変調パラメータに関する情報を通知し、端末装置２００が、上りリンクの通知情報として次の下りリンクの送信データのための変調パラメータに関する情報を通知する場合の例を示している。
【０２８９】
基地局装置１００は、誤り訂正符号化部１０１、変調部１０２、マルチプレクス部１０３、逆フーリエ変換部１０４、無線送信部１０５、アンテナ部１０６、１０７、無線受信部１０８、デマルチプレクス部１０９、復調部１１０、誤り訂正復号化部１１１、通知情報復元部３００、通知情報生成装置４００、並びに、適応変調制御部１１２を備える。
【０２９０】
端末装置２００は、アンテナ部２０１、２１４、無線受信部２０２、フーリエ変換部２０３、デマルチプレクス部２０４、伝搬路推定部２０５、変調パラメータ選択部２０６、通知情報生成装置４００、通知情報復元部３００、適応復調制御部２０７、復調部２０８、誤り訂正復号化部２０９、誤り訂正符号化部２１０、変調部２１１、マルチプレクス部２１２、並びに、無線送信部２１３を備える。
【０２９１】
まず図１の基地局装置における下りリンク送信手順について説明する。誤り訂正符号化部１０１は、下りリンク送信データと、適応変調制御部１１２から出力された適応変調制御情報を入力し、入力した適応変調制御情報に基づいて下りリンク送信データを誤り訂正符号化し、符号化データ系列を出力する。
【０２９２】
変調部１０２は、誤り訂正符号化部１０１から出力された符号化データ系列と、適応変調制御部１１２から出力された適応変調制御情報を入力し、入力した適応変調制御情報に基づいて符号化データ系列を変調し、変調シンボル系列を出力する。
【０２９３】
マルチプレクス部１０３は、変調部１０２から出力された変調シンボル系列、通知情報生成装置４００で生成された下りリンク通知情報およびパイロット信号を入力し、これらを多重してＯＦＤＭ周波数信号を出力する。なおここでパイロット信号は、端末装置２００において伝搬路状態を推定するための既知信号である。基地局装置１００は、予め生成したパイロット信号をメモリに蓄積しておき、メモリに蓄積したパイロット信号をマルチプレクス部１０３に入力することが好ましい。しかしながら、基地局装置１００は、パイロット信号をメモリに蓄積せずに必要時に都度生成する、などの構成としてもよい。
【０２９４】
逆フーリエ変換部１０４は、マルチプレクス部１０３から出力されたＯＦＤＭ周波数信号を入力し、これを周波数・時間変換（逆フーリエ変換）してＯＦＤＭ時間信号を出力する。
【０２９５】
無線送信部１０５は、逆フーリエ変換部１０４から出力されたＯＦＤＭ時間信号を入力し、これにガード期間を付加し、ディジタル・アナログ変換および無線周波数へアップコンバートして無線信号へ変換し、アンテナ部１０６を介して送信する。
【０２９６】
次に、図２の端末装置２００における下りリンク受信手順について説明する。無線受信部２０２は、アンテナ部２０１を介して下りリンクの無線信号を受信し、無線周波数からダウンコンバートおよびアナログ・ディジタル変換し、さらにガード期間を除去してＯＦＤＭ時間信号を出力する。
【０２９７】
フーリエ変換部２０３は、無線受信部２０２から出力されたＯＦＤＭ時間信号を入力し、これを時間・周波数変換（フーリエ変換）してＯＦＤＭ周波数信号を出力する。デマルチプレクス部２０４は、フーリエ変換部２０３から出力されたＯＦＤＭ周波数信号を入力し、入力したＯＦＤＭ周波数信号を下りリンク受信データ信号、下りリンク通知情報およびパイロット信号に分離し、それぞれ出力する。
【０２９８】
伝搬路推定部２０５は、デマルチプレクス部２０４から出力されたパイロット信号を入力し、入力したパイロット信号から伝搬路状態の推定を行ない、伝搬路状態推定結果を出力する。
【０２９９】
なお、下りリンク受信データ信号を用いて伝搬路推定を行なう場合は、パイロット信号の代わりに下り受信データ信号、下り受信データ信号の復調結果または同誤り訂正復号結果が伝搬路推定部に入力される。この場合、基地局装置１００内のマルチプレクス部１０３におけるパイロット信号多重処理と端末装置２００内のデマルチプレクス部２０４におけるパイロット信号の分離処理は必要ない。また、パイロット信号と下りリンク受信データ信号の両方を用いて伝搬路推定を行なう場合は、パイロット信号に加え、下り受信データ信号、下り受信データ信号の復調結果または同誤り訂正復号結果も伝搬路推定部に入力される。本発明は、これらの構成にも適用することができる。
【０３００】
変調パラメータ選択部２０６は、伝搬路推定部２０５から出力された伝搬路状態推定結果を入力し、入力した伝搬路状態推定結果に基づいてサブキャリアブロック毎の次の下りリンクの変調パラメータを選択し、選択した変調パラメータに関する情報（変調パラメータ情報）を出力する。変調パラメータ選択部２０６は、予め定めた変調パラメータと伝搬路状態との対応関係に、伝搬路状態推定結果を当てはめることによって変調パラメータを選択する。例えば、変調パラメータとそれに対応する伝搬路状態の範囲をテーブルとして保持し、そのテーブルと伝搬路状態推定結果を比較することで選択する変調パラメータを決定できる。
【０３０１】
通知情報生成装置４００は、変調パラメータ選択部２０６から出力された変調パラメータを入力し、入力した変調パラメータに基づいて上りリンク通知情報を生成し出力する。通知情報生成装置４００における処理に関しては図３、図２８を用いて後述する。
【０３０２】
通知情報復元部３００は、デマルチプレクス部２０４から出力された下りリンク通知情報を入力し、入力した下りリンク通知情報から変調パラメータに関する情報を復元し出力する。なお、通知情報復元部３００における処理に関しては図５、図２９を用いて後述する。
【０３０３】
適応復調制御部２０７は、通知情報復元部３００から出力された復元された変調パラメータに関する情報（変調パラメータ情報）を入力し、入力した変調パラメータに関する情報に基づいて復調処理および誤り訂正復号化処理を制御する適応復調制御情報を生成し出力する。
【０３０４】
復調部２０８は、デマルチプレクス部２０４から出力された下りリンク受信データ信号と、適応復調制御部２０７から出力された適応復調制御情報を入力し、入力した適応復調制御情報に基づいて下りリンク受信データ信号を復調し、復調データ系列を出力する。
【０３０５】
誤り訂正復号化部２０９は、復調部２０８から出力された復調データ系列と、適応復調制御部２０７から出力された適応復調制御情報を入力し、入力した適応復調制御情報に基づいて復調データ系列を誤り訂正復号化し、下りリンク受信データを出力する。なお、復調の前処理として、伝搬路推定部２０５で推定された伝搬路状態推定結果を用いて伝搬路補償処理を行なう構成や、誤り訂正復号化時に伝搬路状態推定結果を参照する構成にしてもよい。
【０３０６】
次に、図２の端末装置２００における上りリンク送信手順について説明する。誤り訂正符号化部２１０は、上りリンク送信データを入力し、これを既定のチャネル符号化率によって誤り訂正符号化し、符号化データ系列を出力する。
【０３０７】
変調部２１１は、誤り訂正符号化部２１０から出力された符号化データ系列を入力し、入力した符号化データ系列を既定の変調方式によって変調し、変調シンボル系列を出力する。
【０３０８】
マルチプレクス部２１２は、変調部２１１から出力された変調シンボル系列と通知情報生成装置４００から出力された上りリンク通知情報を入力し、入力した変調シンボル系列と上りリンク通知情報とを多重して送信信号を出力する。
【０３０９】
無線送信部２１３は、マルチプレクス部２１２から出力された送信信号を入力し、入力した送信信号をディジタル・アナログ変換および無線周波数へアップコンバートして無線信号へ変換し、アンテナ部２１４を介して送信する。
【０３１０】
次に、図１の基地局装置１００における上りリンク受信手順について説明する。無線受信部１０８は、アンテナ部１０７を介して上りリンクの無線信号を受信し、無線周波数からダウンコンバートおよびアナログ・ディジタル変換し、受信信号を出力する。
【０３１１】
デマルチプレクス部１０９は、無線受信部１０８から出力された受信信号を入力し、入力した受信信号を上りリンク受信データ信号と上りリンク通知情報に分離し、それぞれ出力する。なお、予め端末装置２００内のマルチプレクス部２１２でパイロット信号を多重しておき、基地局装置１００内のデマルチプレクス部１０９でパイロット信号を分離し、分離したパイロット信号を用いて、上りリンク受信データ信号および上りリンク通知情報に対して伝搬路補償をする構成としてもよい。
【０３１２】
復調部１１０は、デマルチプレクス部１０９から出力された上りリンク受信データ信号を入力し、入力した上りリンク受信データ信号を既定の変調方式によって復調し、復調データ系列を出力する。
【０３１３】
誤り訂正復号化部１１１は、復調部１１０から出力された復調データ系列を入力し、入力した復調データ系列を既定のチャネル符号化率によって誤り訂正復号化し、上りリンク受信データを出力する。
【０３１４】
通知情報復元部３００は、デマルチプレクス部１０９から出力された上りリンク通知情報を入力し、入力した上りリンク通知情報から変調パラメータに関する情報を復元し出力する。なお、通知情報復元部３００における処理に関しては図５を用いて後述する。
【０３１５】
通知情報生成装置４００は、通知情報復元部３００から出力された変調パラメータに関する情報を入力し、入力した変調パラメータに関する情報に基づいて下りリンク通知情報を生成し出力すると共に、生成した下りリンク通知情報に基づいて変調パラメータに関する情報を復元し出力する。
【０３１６】
なお、上りリンク通知情報および基地局装置１００の通知情報復元部３００から出力される変調パラメータに関する情報と、基地局装置１００の通知情報生成装置４００から出力される下りリンク通知情報および変調パラメータに関する情報とは、必ずしも一致している必要はない。基地局装置１００において、変調パラメータを変更することもあり得る。図１には示していないが、通知情報復元部３００と通知情報生成装置４００との間に変調パラメータを選択（変更）する構成要素を備えていてもよい。また、基地局装置１００の通知情報生成装置４００は、図２の端末装置２００内の通知情報生成装置４００と同様の機能ブロック構成で実現することができる。通知情報生成装置４００における処理に関しては図３を用いて後述する。
【０３１７】
適応変調制御部１１２は、通知情報生成装置４００から出力された変調パラメータに関する情報を入力し、変調処理および誤り訂正符号化処理を制御するための適応変調制御信号を生成し出力する。
【０３１８】
なお、上記説明では、基地局装置１００も通知情報生成装置４００を具備する構成について説明したが、基地局装置１００が通知情報復元部３００によって復元された変調パラメータをそのまま用いて下りリンク送信データの変調および誤り訂正符号化を行なう場合には、基地局装置１００は必ずしも通知情報生成装置４００を有する必要は無い。この場合、デマルチプレクス部１０９から出力された上りリンク通知情報を通知情報復元部３００に入力するだけでなく、そのまま下りリンク通知情報としてマルチプレクス部１０３に入力する。また、適応変調制御部１１２には、通知情報生成装置４００から出力していた変調パラメータに関する情報に代わって、通知情報復元部３００から出力された変調パラメータに関する情報を入力する。
【０３１９】
図３に、図２の端末装置２００における通知情報生成装置４００の機能ブロック図の一例を示す。通知情報生成装置４００は、通知情報テーブル４０１、選択部（通知情報選択部）４０２、並びに、復元部（通知情報復元部）４０３を備える。
【０３２０】
通知情報テーブル４０１は、通知情報として選択可能な候補値を記憶する記憶領域であり、候補値には、二つのチャネル品質情報の差を符号を伴って示す差分値候補値と、二つのチャネル品質情報の差の絶対値を示す絶対値候補値とを含む。通知情報テーブル４０１は、通知情報として選択可能な、変調パラメータの差分を表す複数の値（差分値候補値）Ｘｋ（ｋ＝１〜Ｍ、Ｍは自然数）、および差分ではない特定の変調パラメータを表す値（絶対値候補値）Ｙｊ（ｊ＝１〜Ｎ、Ｎは自然数）（以下、ＸｋとＹｊを合わせて通知情報候補値と記す）からなるテーブルを保持し、これらの通知情報候補値を出力する。差分値候補値の絶対値より大きい値である場合であってもよい。
【０３２１】
選択部４０２は、図２における変調パラメータ選択部２０６において選択されたサブキャリアブロック毎の変調パラメータ（チャネル品質情報の一例）、通知情報テーブルから出力された通知情報候補値および復元部４０３から出力された累積値（復元値）を入力し、通知情報を生成する。選択部４０２は、予め、通知情報を生成する際に起点とするサブキャリアブロック番号を含む、通知情報生成の処理単位に関する情報を保持し、処理を開始するサブキャリアブロックを起点として通知情報を生成する。選択部４０２は、サブキャリアブロックが起点であるかを判断し、後述する図２８に示す手順により順番に通知情報を生成し、生成した通知情報を出力する。また、生成された通知情報は復元部４０３へ出力される。
【０３２２】
復元部４０３は、選択部４０２が出力する通知情報を入力し、入力した通知情報（前回通知情報）に基づいて、変調パラメータを復元し、復元した変調パラメータを出力する。復元部４０３は、前回通知情報に基づいて、累積値（復元値）を生成し、生成した累積値を選択部４０２へ出力する。累積値（復元値）は、復元部４０３が入力した通知情報（前回通知情報）に基づいて生成する値であり、入力した複数の通知情報を累積した累積値である場合に加え、入力した通知情報の値、あるいは、所定の値である場合を含むため、復元値ということもある。本明細書において、復元値は、通知情報を用いて、チャネル品質情報を復元した値として説明する。復元部４０３は、入力した複数の前回通知情報それぞれをそのまま記憶（保持）していてもよいが、累積値として記憶することにより、メモリ容量を抑制できる。復元部４０３の詳細については、図５、図２９を用いて後述する。
【０３２３】
また、復元部４０３は、前回通知情報が絶対値候補値である場合、まず、絶対値候補値の符号を決定し、決定した符号に基づいて累積値を算出する。符号の決定方法としては、（１）直前の差分値の符号を用いる方法（「第１の符号決定方法」とする）、（２）算出している累積値（算出中の累積値）に基づいて決定する方法（「第２の符号決定方法」）などがある。図２６、図２７は、絶対値候補値の符号を決定する方法の一例を示す図である。図２６、図２７は、サブキャリアブロック番号ｋの通知情報の符号を決定する第１の符号決定方法の二つの例を示し、差分値候補値Ｘ１＝−１、差分値候補値Ｘ２＝０、差分値候補値Ｘ３＝−１、絶対値候補値Ｙ１＝３の場合を一例として説明する。図２６では、絶対値候補値Ｙ１の直前の通知情報は、差分値候補値Ｘ１が「−１」であるため、絶対値候補値Ｙ１は、差分値候補値Ｘ１と同じ符号を用いて、「−３」という差分値とする。また、図２７では、絶対値候補値Ｙ１の直前の通知情報は、差分値候補値Ｘ３が「＋１」であるため、絶対値候補値Ｙ１は、差分値候補値Ｘ３と同じ符号を用いて、「＋３」という差分値とする。
【０３２４】
また、累積値の値に基づいて符号を決定する第２の符号決定方法として、例えば、累積値が所定の値未満場合は正の符号とし、累積値が所定の値以上の場合は一つ前の前回通知情報（前回通知情報に用いた符号）と同じ符号にする、などの方法がある。どの符号決定方法を用いるかは、予めきめられているものとし、通信先へも通知していることを前提とする。また、復元部４０３で用いる方法と、図２８を用いて後述する選択部４０２で用いる方法とは一致させていることを前提とする。
【０３２５】
次いで、通知情報を生成する動作について、図２８を用いて説明する。図２８は、本実施形態において通知情報を生成する動作の一例を示すフローチャートである。
【０３２６】
選択部４０２は、変調パラメータ、通知情報候補値を入力する（Ｓ１１−２）。図２８では、通信単位に含まれる複数のサブキャリアブロックそれぞれに対応する複数の変調パラメータを入力し、順番に各サブキャリアブロックについて処理する例を示している。選択部４０２は、まず、サブキャリアブロックが起点であるかを判断し（Ｓ１２−２）、通知情報生成の起点とするサブキャリアブロックについては（Ｓ１２−２でＹｅｓ）、当該サブキャリアブロックに関する変調パラメータをそのまま通知情報として出力する（Ｓ１３−２）。起点としないサブキャリアブロックについては（Ｓ１２−２でＮｏ）、選択部４０２は、当該サブキャリアブロックに関する変調パラメータと復元部４０３から入力する累積値（復元値）との差分値を計算し（Ｓ１４−２）、絶対値候補値の符号を決定し、絶対値候補値が示す値を決める（Ｓ１５−２）。計算した差分値に基づいて、差分候補値と符号を決定した絶対値候補値とを含む通知情報候補値から１つを選択し通知情報として出力する（Ｓ１６−２）。
【０３２７】
例えば具体的には、選択部４０２は、起点としない各サブキャリアブロックについて、まず、絶対値候補値の符号を決定する。符号の決定は、復号部４０３において説明した二つの方法、第１の符号決定方法と第２の符号決定方法とのいずれかの方法を用いて符号を決定する。選択部４０２は、差分値候補値と符号を決定した絶対値候補値の値とから、算出した差分値と一番近い通知情報候補値を選択する。または、選択部４０２は、復元部４０３が一つ前のチャネルの復元した復元値に各通知情報候補値を加算した暫定的な復元された変調パラメータ（復元されたチャネル品質情報）を算出し、暫定的な復元された変調パラメータのうち、選択された変調パラメータに最も近い値に加算した通知情報候補値を、通知情報の候補値として選択してもよい。
【０３２８】
選択部４０２は、最後のサブキャリアブロックを検出するまでステップＳ１２−２以降の処理を繰り返す（Ｓ１７−２）。
【０３２９】
なお、通知情報生成装置４００における復元部４０３は、図１の基地局装置１００における上りリンク通知情報に対する通知情報復元部３００、図２の端末装置における下りリンク通知情報に対する通知情報復元部３００と同様の機能ブロック構成となる。本明細書では、説明を容易にするため、通知情報復元部３００と復元部４０３との異なる符号および名称を用いて説明する。
【０３３０】
図５は、本実施形態の通知情報復元部３００の機能ブロック図の一例を示す。通知情報復元部３００は、復元演算部３０１と記憶部３０２とを備える。図３の復元部４０３も通知情報復元部３００と同じ構成であるので、復元部４０３も、復元演算部３０１と記憶部３０２とを備える。
【０３３１】
復元演算部３０１は、通知情報と、記憶部３０２から出力された累積値を入力し、通知情報と累積値とに基づいて変調パラメータ（チャネル品質情報の一例）を復元し、復元された変調パラメータを出力する。また、復元演算部３０１は、記憶部３０２へ保持させる情報を記憶情報として出力する。また、復元演算部３０１は、予め、通知情報を生成する際に起点とするサブキャリアブロック番号を含む、通知情報生成の処理単位に関する情報を保持する。記憶部３０２は、復元演算部３０１が出力する記憶情報を記憶し、記憶した記憶情報に基づいて累積値を出力する。
【０３３２】
次いで、通知情報復元部３００が通知情報を復元する動作の詳細を図２９を用いて説明する。図２９は、本実施形態において通知情報を復元する動作の一例を示すフローチャートである。
【０３３３】
復元演算部３０１は、通知情報を入力し（Ｓ２１−２）、起点とするサブキャリアブロックであるかを判断する（Ｓ２２−２）。復元演算部３０１は、通知情報生成の起点とするサブキャリアブロックについては（Ｓ２２−２でＹｅｓ）、当該サブキャリアブロックに関する通知情報をそのまま復元された変調パラメータとして出力すると共に、記憶部３０２に対しても前記通知情報を記憶情報として出力する（Ｓ２３−２）。復元演算部３０１は、起点としないサブキャリアブロックについては、当該サブキャリアブロックに関する通知情報が差分値候補値Ｘｋである場合（Ｓ２４−２でＹｅｓ）、入力した通知情報（差分値候補値Ｘｋ）と記億部３０２から入力した累積値とを加算し、加算結果を復元された変調パラメータとして出力すると共に、記憶部３０２に対しても加算結果を記憶情報として出力する（Ｓ２５−２）。
【０３３４】
ステップＳ２４−２において、通知情報が差分値候補値Ｘｋでない場合、すなわち、通知情報が絶対値候補値Ｙｊの場合（Ｓ２４−２でＮｏ）、復元演算部３０１は、絶対値候補値Ｙｊの符号を前回通知情報と同じ符号に決定し（Ｓ２６−２）、決定した符号を用いて、入力した通知情報（絶対値候補値Ｙｊ）と記億部３０２から入力した累積値とを加算し、加算結果を復元された変調パラメータとして出力すると共に、記憶部３０２に対しても加算結果を記憶情報として出力する（Ｓ２７−２）。以下、第１の符号決定方法を用いる構成の復元演算部３０１を、「第１の構成の復元演算部」と記す。
【０３３５】
あるいは別の構成として、通知情報が前記絶対値候補値Ｙｊの場合（Ｓ２４−２でＮｏ）、復元演算部３０１は、絶対値候補値Ｙｊの符号を累積値（ひとつ前のチャネルの復元された変調パラメータ）に基づいて決定し、決定した符号を用いて、入力した通知情報（絶対値候補値Ｙｊ）と記億部３０２から入力した累積値とを加算し、加算結果を復元された変調パラメータとして出力すると共に、記憶部３０２に対しても加算結果を記憶情報として出力する、という構成も可能である。具体的には、ステップＳ２６−２において、復元演算部３０１は、累積値が所定の値未満の場合は、正の符号を用い、累積値が所定の値以上の場合は、前回通知情報の符号、すなわち、前回通知情報が差分値候補値の場合は、差分値候補値の符号を用い、前回通知情報が絶対値候補値の場合は、前回用いた符号を用いることを決定する。以下、第２の符号決定方法を用いる構成の復元演算部３０１を、「第２の構成の復元演算部」と記す。
【０３３６】
図３０に、本実施形態における通知情報生成装置４００の入力情報である選択された変調パラメータと、通知情報生成装置４００による通知情報の生成結果および復元された変調パラメータの一例を示す。選択された変調パラメータは、変調パラメータ選択部２０６が選択し、通知情報生成装置４００へ出力したものである。
【０３３７】
図３０では、基地局装置１００と端末装置２００は、サブキャリアブロック数を１６個、変調パラメータとして変調方式とチャネル符号化率の組み合わせからなるＭＣＳ（Ｍｏｄｕｌａｔｉｏｎ  ａｎｄ  ｃｈａｎｎｅｌ  Ｃｏｄｉｎｇ  Ｓｃｈｅｍｅ）を使用する例を示している。ＭＣＳは０から１５までの１６種類（４ビットの情報）が定義されている。通知情報テーブル４０１は、差分値候補値として、Ｘ１＝−１、Ｘ２＝０、Ｘ３＝＋１、絶対値候補値として、Ｙ１＝３の合計４種類（２ビットの情報）の通知情報候補値を保持している場合の例を示している。ここでは、Ｙ１は、差分値の大きさ（絶対値）が３であることを示している。Ｘｋは、Ｘ１＝−１、Ｘ２＝０、Ｘ３＝＋１（ｋは、１〜３）のいずれかを示す。また、図３０では、復元演算部３０１に第１の構成の復元演算部を用いた場合の例を示し、サブキャリアブロック番号１のサブキャリアブロックを、通知情報を生成する際の起点としている。
【０３３８】
図３０の例では、通知情報生成装置４００の選択部４０２は、サブキャリアブロック番号１のサブキャリアブロックに関する通知情報として、選択された変調パラメータ「１１」をそのまま出力する。２番目以降のサブキャリアブロックに関する通知情報では、選択部４０２は、直前のサブキャリアブロックまでの通知情報の累積値と、当該サブキャリアブロックでの選択された変調パラメータとの差分値を求め、通知情報の候補値のうち、求めた差分値により近い値を選択する。
【０３３９】
また、求めた差分値と絶対候補値とを比較する場合は、選択部４０２は、絶対値候補値の符号を、前回通知情報と同じ符号で示す値として比較する。従って、前回通知情報の符号が正の場合は、絶対値候補値Ｙ１は、「＋３」であり、前回通知情報の符号が負の場合は、絶対値候補値Ｙ１は、「−３」であるものとして、求めた差分値と比較する。さらに、累積値を算出するとき、通知情報が絶対値差分値の場合、復元演算部３０１は、通知情報の符号を決定した後、決定した符号を用いて通知情報と累積値とを加算し、加算結果を次の累積値とする。
【０３４０】
例えば、サブキャリアブロック番号４のサブキャリアブロックにおける通知情報の生成について説明する。サブキャリアブロック番号３のサブキャリアブロックにおける通知情報はＸ１＝−１であり、その符号は負であるため、サブキャリアブロック番号４のサブキャリアブロックにおけるＹ１＝３は「−３」を表す。選択部４０２は、３番目のサブキャリアブロックまでの通知情報の累積値「１１」（１１＋１−１）と、４番目のサブキャリアブロックでの選択された変調パラメータ「９」との差分値「−２」を求め、通知情報候補値のうち、差分値「−２」により近いＹ１を通知情報として選択する。
【０３４１】
なお、選択部４０２が通知情報を選択する際に、復元される変調パラメータが元の選択された変調パラメータを超えないように制約しても良い。
【０３４２】
次に、サブキャリアブロック番号５のサブキャリアブロックにおけるＹ１について説明する。サブキャリアブロック番号４のサブキャリアブロックにおける通知情報は差分値「−３」を表すＹ１＝３であり、その符号は負であるため、サブキャリアブロック番号５のサブキャリアブロックにおけるＹ１＝３も「−３」を表す。
【０３４３】
図３１は、図３０の例に示した、選択された変調パラメータ、通知情報および復元された変調パラメータをグラフに示したものである。横軸はサブキャリアブロック番号、縦軸は変調パラメータである。黒い丸印は通知情報生成装置に入力された各サブキャリアブロックの選択された変調パラメータを示し、白抜きの三角印は復元された変調パラメータを示している。
【０３４４】
図３２に、本実施形態における通知情報生成装置４００の入力情報である選択された変調パラメータと、通知情報生成装置４００による、通知情報の生成結果および復元された変調パラメータの別の一例を示す。
【０３４５】
図３２では、サブキャリアブロック数が１６個、ＭＣＳとして１６種類（４ビットの情報）が定義されており、通知情報テーブル４０１は、差分値候補値として、Ｘ１＝−１、Ｘ２＝０、Ｘ３＝＋１、絶対値候補値として、Ｙ１＝３の合計４種類（２ビットの情報）の通知情報候補値が定義されている場合の例を示している。Ｘｋは、Ｘ１＝−１、Ｘ２＝０、Ｘ３＝＋１（ｋは、１〜３）のいずれかを示す。また、図３２では、復元計算部３０１に第２の構成の復元演算部を用いた場合の例を示し、サブキャリアブロック番号１のサブキャリアブロックを、通知情報を生成する際の起点としている。
【０３４６】
図３２における通知情報生成の手順の詳細は図３０の例と基本的に同じである。異なる部分は、図３２では、復元演算部３０１は第２の構成の復元演算部による動作であり、通知情報としてＹ１が選択された場合、累積値と直前の通知情報の符号とを考慮して（第２の符号決定方法を用いて）絶対値候補値の符号を決定して絶対値候補値（通知情報）を累積値へ加算し、加算結果を次の累積値とする。Ｙｊの符号は、累積値が所定値以上の場合、図３０の例と同様に直前の通知情報（前回通知情報）の符号とし、累積値が所定値未満の場合、正とする。なお、この例で所定値は「３」とする。
【０３４７】
例えば、図３２における７番目のサブキャリアブロックの通知情報の決定を例に採ると、直前のサブキャリアブロックまでの通知情報の累積値の計算において、６番目のサブキャリアブロックの通知情報の累積値は「２」（１１＋１−１−３−３−３）であり、「３」より小さいため、サブキャリアブロック番号５のサブキャリアブロックにおけるＹ１＝３は「＋３」を表す。６番目のサブキャリアブロックまでの通知情報の累積値「２」と、７番目のサブキャリアブロックでの選択された変調パラメータ「７」との差分値「＋５」を求め、差分値の候補のうち、差分値「＋５」により近いＹ１を通知情報として選択する。
【０３４８】
また、図３３は、図３２の例に示した、選択された変調パラメータ、通知情報および復元された変調パラメータをグラフに示したものである。横軸はサブキャリアブロック番号、縦軸は変調パラメータである。黒い丸印は通知情報生成装置に入力された各サブキャリアブロックの選択された変調パラメータを示し、白抜きの三角印は復元された変調パラメータを示している。
【０３４９】
なお、上記第１の符号決定方法では、絶対値候補値の符号を前回通知情報の符号に一致させる場合について説明したが、第１の符号決定方法はこれに限るものではなく、少なくとも前回通知情報に基づいて符号を決定する方法である。例えば、複数の前回通知情報の平均値を算出し、絶対値候補値の符号を前記平均値の符号に一致させるなどの方法が含まれる。上記第２の符号決定方法において、累積値が所定値以上の場合も同様である。
【０３５０】
また、上記の２つの復元演算部３０１の処理方法の選択や、通知情報候補値、差分値候補値Ｘｋ（ｋ＝１〜Ｍ、Ｍは自然数）および絶対値候補値Ｙｊ（ｊ＝１〜Ｎ、Ｎは自然数）、としてどのような値を用いるかを決定する方法としては以下のような方法がある。なおこれらの方法に限定されるものではない。
【０３５１】
（１）各サブキャリアブロックにおける選択された変調パラメータに対して、復元演算部３０１の処理方法および通知情報候補値の幾つかの組み合わせで通知情報の生成を試行し、それらの結果の中から、復元された変調パラメータが選択された変調パラメータに最も近いものを選択し、使用した復元演算部３０１の処理方法および通知情報候補値を生成した通知情報と共に通知する。使用した復元演算部３０１の処理方法および通知情報候補値は、通知情報候補値に関する情報として、通知情報候補値を変更するタイミングで通信先へ通知すれば十分である。
【０３５２】
（２）選択された変調パラメータのサブキャリアブロック間の変動幅、変動速度（周波数方向の変動ピッチ）、および選択された変調パラメータの極小値前後における変化量などから復元演算部３０１の処理方法および通知情報候補値の組み合わせを選択し、使用した復元演算部３０１の処理方法および通知情報候補値を生成した通知情報と共に通知する。例えば、選択された変調パラメータのサブキャリアブロック間の変動幅および変動速度に比例してＸｋあるいはＹｊの最大値を大きくすると共に各Ｘｋの間隔も大きくし、選択された変調パラメータの極小値前後における変化量に閾値を設定して閾値より小さい場合に復元演算部の処理方法として第１の構成を選択し、閾値以上の場合に第２の構成を選択する、などの方法がある。
【０３５３】
また、図３０、図３２に示した例では、差分値の絶対値を表す絶対値候補値Ｙｊが１つだけ用いられる場合について説明しているが、複数用意しても良い。
【０３５４】
このように、本実施形態によれば、チャネル品質情報として変調パラメータの差分を通信先へ通知する場合に、変調パラメータの差分を示す差分値候補値と、絶対値候補値とのいずれかを選択した通知情報を通知することにより、復元されるチャネル品質情報の精度を向上させることができる。
【０３５５】
（第８の実施形態）
第８の実施形態では、チャネル品質情報として伝搬路状態推定結果を用いる場合を一例として説明する。
【０３５６】
図１１は、本発明に係る第８の実施形態における基地局装置１９０の一構成例を示す機能ブロック図である。また図１２は、本発明に係る第８の実施形態における端末装置２９０の一構成例を示す機能ブロック図である。第８の実施形態では、下りリンクの通知情報として下りリンクの送信データの適応変調に用いられた変調パラメータに関する情報を通知し、上りリンクの通知情報として下りリンクの受信信号より推定した伝搬路状態を通知する場合の例を示している。
【０３５７】
図１１に示す基地局装置１９０は、図１に示す基地局装置１００とほぼ同様の構成要素を備えるが、基地局装置１９０は、通知情報復元部３９０と通知情報生成装置４００の間に変調パラメータ選択部１９１を有する点と、通知情報復元部３９０が、上りリンク通知情報として伝搬路状態推定結果を復元する点が異なる。変調パラメータ選択部１９１は、図２に示す端末装置２００内の変調パラメータ選択部２０６と同じ回路構成で実現することができる。通知情報復元部３９０は、図１に示す通知情報復元部３００と入出力の情報量は異なるものの、同様の処理を行なう回路で実現可能である。
【０３５８】
図１２に示す端末装置２９０は、図２に示す端末装置２００とほぼ同様の構成を備えるが、端末装置２９０が、伝搬路推定部２０５と通知情報生成部４９０の間に変調パラメータ選択部を必要としない点と、通知情報生成装置４９０が、伝搬路推定部２０５から出力される伝搬路状態推定結果を入力信号とし、上りリンク通知情報として伝搬路状態推定結果に関連する通知情報を生成する点が異なる。
【０３５９】
図１１の基地局装置１９０における下りリンク送信手順は、図１の基地局装置１００における下りリンク送信手順と同様であるため、説明を省略する。
【０３６０】
次に、図１２の端末装置１９０における下りリンク受信手順について説明する。無線受信部２０２、フーリエ変換部２０３、デマルチプレクス部２０４、伝搬路推定部２０５、適応復調制御部２０７、復調部２０８、誤り訂正復号化部２０９、並びに、通知情報復元部３００の動作は図２の端末装置２００における下りリンク受信手順と同様である。
【０３６１】
通知情報生成装置４９０は、伝搬路推定部２０５から出力された伝搬路状態推定結果を入力し、入力した伝搬路状態推定結果に基づいて上りリンク通知情報を生成し出力する。通知情報生成装置４９０における処理に関しては図１３を用いて後述する。
【０３６２】
また、図１２の端末装置２９０における上りリンク送信手順は、図２の端末装置２００における上りリンク送信手順と同様のため、説明を省略する。
【０３６３】
次に、図１１の基地局装置１９０における上りリンク受信手順について説明する。無線受信部１０８、デマルチプレクス部１０９、復調部１１０、誤り訂正復号化部１１１、適応変調制御部１１２の動作は、図１の基地局装置１００における上りリンク受信手順と同様である。
【０３６４】
通知情報復元部３９０は、デマルチプレクス部２０４から出力された上りリンク通知情報を入力し、入力した上りリンク通知情報から下りリンクの伝搬路状態推定結果に関する情報を復元し出力する。なお、通知情報復元部３９０における処理に関しては図１４を用いて後述する。
【０３６５】
変調パラメータ選択部１９１は、通知情報復元部３９０から出力された下りリンクの伝搬路状態推定結果を入力し、入力した伝搬路状態推定結果に基づいてサブキャリアブロック毎の次の下りリンクの変調パラメータを選択し、選択した変調パラメータを出力する。なお、前記変調パラメータの選択は、予め定めた変調パラメータと伝搬路状態との対応関係に、伝搬路状態推定結果を当てはめることで行なう。例えば、変調パラメータとそれに対応する伝搬路状態の範囲をテーブルとして保持し、そのテーブルと伝搬路状態推定結果を比較することで選択する変調パラメータを決定できる。
【０３６６】
通知情報生成装置４００は、変調パラメータ選択部１９１から出力された変調パラメータに関する情報を入力し、入力した変調パラメータに関する情報に基づいて下りリンク通知情報を生成し出力すると共に、下りリンク通知情報に基づいて変調パラメータに関する情報を復元し出力する。また、通知情報生成装置４００は、図３に示した通知情報生成装置４００と同様の機能ブロック構成で実現することができる。
【０３６７】
図１３に、図１２の端末装置２９０における通知情報生成装置４９０の機能ブロック図を示す。通知情報テーブル４９１は、通知情報として選択可能な候補値を記憶する記憶領域であり、候補値には、二つのチャネル品質情報の差を符号を伴って示す差分値候補値と、二つのチャネル品質情報の差の絶対値を示す絶対値候補値とを含む。通知情報テーブル４９１は、通知情報として選択可能な、伝搬路状態推定結果の差分を表す複数の値（差分値候補値）Ｘ’ｋ（ｋ＝１〜Ｍ、Ｍは自然数）、および伝搬路状態推定結果の差分の絶対値を表す絶対値候補値Ｙ’ｊ（ｊ＝１〜Ｎ、Ｎは自然数）（以下、Ｘ’ｋとＹ’ｊを合わせて通知情報候補値と記す）からなるテーブルを保持し、これらの通知情報候補値を出力する。
【０３６８】
選択部４９２は、図１２における伝搬路推定部２０５において推定されたサブキャリアブロック毎の伝搬路状態推定結果、通知情報テーブル４９１から出力された通知情報候補値および復元部４９３から出力された累積値を入力し、通知情報を生成する。選択部４９２が通知情報を生成する手順は、チャネル品質情報として、変調パラメータの替わりに伝搬路状態推定結果を用いる点を除いて、図３並びに図２８に示した通知情報生成装置４００と同様である。具体的には、選択部４９２は、通知情報生成の起点とするサブキャリアブロックについては、当該サブキャリアブロックに関する伝搬路状態推定結果をそのまま通知情報として出力する。選択部４９２は、起点としないサブキャリアブロックについては、当該サブキャリアブロックに関する伝搬路状態推定結果と復元部４９３から入力する累積値との差分値を計算し、伝搬路状態推定結果と計算した差分値とに基づいて通知情報候補値から１つを選択し通知情報として出力する。
【０３６９】
例えば具体的には、選択部４９２は、起点としない各サブキャリアブロックについて、まず、絶対値候補値の符号を決定する。符号の決定は、第１の符号決定方法、第２の符号決定方法のいずれかの方法を用いて符号を決定する。選択部４０２は、差分値候補値と符号を決定した絶対値候補値の値とから、算出した差分値と一番近い通知情報候補値（Ｘ’ｋまたはＹ’ｊ）を通知情報として選択する。生成された通知情報は復元部４９３へ出力される。
【０３７０】
復元部４９３は、選択部４９２が出力する通知情報を保持し、保持する通知情報に基づいて伝搬路情報推定結果を復元し、復元した伝搬路情報推定結果を出力する。復元部４０３の詳細については、図１４を用いて後述する。
【０３７１】
なお、通知情報生成装置４９０における復元部４９３は、図１１の基地局装置１９０における上りリンク通知情報に対する通知情報復元部３９０と、同様の機能ブロック構成となる。
【０３７２】
図１４は、本実施形態の通知情報復元部３９０の機能ブロック図の一例を示す。通知情報復元部３９０は、復元演算部３９１と記億部３９２とを備える。復元部４９３も同様の構成を備える。復元演算部３９１は、図５に示した復元演算部３０１が復元された変調パラメータを出力することに替えて復元された伝搬路状態推定結果を出力する点が異なる。また、記憶部３９２は、通知情報として伝搬路状態推定結果に基づいて選択された通知情報候補値を記憶情報として入力する点、並びに、累積値として、復元された伝搬路状態推定結果を出力する点が異なる。その他の部分は、図５並びに図２９と同様である。
【０３７３】
具体的には、復元演算部３９１は、通知情報と、記憶部３９２から出力された累積値を入力し、通知情報生成の起点とするサブキャリアブロックについては、当該サブキャリアブロックに関する通知情報をそのまま復元された伝搬路状態推定結果として出力すると共に、記憶部３９２に対しても通知情報を記憶情報として出力する。復元演算部３９１は、起点としないサブキャリアブロックについては、当該サブキャリアブロックに関する通知情報が差分値候補値Ｘ’ｋ場合、通知情報（差分値候補値Ｘ’ｋ）と累積値とを加算し復元された伝搬路状態推定結果として出力すると共に、記憶部３９２に対しても加算結果を記憶情報として出力し、通知情報が前記通知情報候補値Ｙ’ｊの場合、絶対値候補値Ｙｊの符号を決定し、決定した符号を用いて、入力した通知情報（絶対値候補値Ｙ’ｊ）と記億部３０２から入力した累積値とを加算し、加算結果を復元された変調パラメータとして出力すると共に、記憶部３０２に対しても加算結果を記憶情報として出力する。
【０３７４】
第８の実施形態において、図３０から図３３に示した通知情報とその復元の具体例は、下りリンクの通知情報については、第７の実施形態と同様である。また、上りリンクの通知情報については、「変調パラメータ」が「伝搬路状態推定結果」に替わり、取り得る値の範囲（ビット数など）が変わるものの、手順は同様となる。
【０３７５】
このように、本実施形態によれば、チャネル品質情報として伝搬路状態推定結果の差分を通信先へ通知する場合に、伝搬路状態推定結果の差分を示す差分値候補値と、絶対値候補値とのいずれかを選択した通知情報を通知することにより、復元されるチャネル品質情報の精度を向上させることができる。
【０３７６】
（第９の実施形態）
第９の実施形態では、差分値を算出する具体例を用いた通知情報生成装置を説明する。以下の説明では、図３に示した通知情報生成装置４００を用いて、チャネル品質情報の一例として変調パラメータを入力する場合を説明するが、図１３に示す通知情報生成装置４９０に適用することも可能である。
【０３７７】
サブキャリアブロック（チャネル）の番号を変数ｉで示し、ｉ番目のサブキャリアブロックの変調パラメータをＱ（ｉ）、ｉ番目のサブキャリアブロックの変調パラメータと比較する累積値（復元値）をＳ（ｉ）、差分値をＤ（ｉ）とする。ｉ０は、起点とするサブキャリアブロック番号を示す。Ｒ（ｉ）は、ｉ番目のサブキャリアブロックの通知情報を示す。
【０３７８】
起点とするサブキャリアブロックでは、選択部４０２は、Ｒ（ｉ）＝Ｑ（ｉ）として通知情報を生成する。
【０３７９】
起点とするサブキャリアブロック以外では、まず、復元部４０３は、起点とするサブキャリアブロックを除いて、数式（１）を用いて累積値Ｓ（ｉ）を算出する。累積値を算出する場合に、起点とするサブキャリアブロック番号ｉ０とｉとの関係によって異なる数式を用いて累積値Ｓ（ｉ）を算出する。
【０３８０】
次に、選択部４０２は、復元部４０３が算出した累積値Ｓ（ｉ）を用いて、差分値Ｄ（ｉ）をＤ（ｉ）＝Ｑ（ｉ）−Ｓ（ｉ）の式で算出する。算出した差分値Ｄ（ｉ）と、入力した変調パラメータ（チャネル品質情報の一例）に基づいて、通知情報候補値を選択し、選択した通知情報候補値に基づいて通知情報を生成して出力する。
【０３８１】
このように、通知情報生成装置４００は、まず、起点とするチャネルの通知情報を生成し、順次起点としないチャネルの通知情報を生成する。通知情報生成装置４００は、起点とするチャネルのチャネル品質情報を通知情報として生成する。ここで、異なる二つのチャネル（サブキャリアブロック）、第一のチャネルと第二のチャネルに注目し、第一のチャネルの通知情報は既に生成され、第二のチャネルの通知情報を生成する場合の動作について説明する。復元部４０３は、第一のチャネルのチャネル品質情報に基づいて生成された通知情報を前回通知情報として保持（記憶）し、さらに、既に通知情報を生成した起点となるチャネルの通知情報も保持している状態である。復元部４０３は、保持した前回通知情報に基づいて、累積値（復元値）を生成し、生成した累積値を第一のチャネルの復元値として選択部４０２へ出力する。なお、第一のチャネルは、起点とするチャネルであっても、起点としないチャネルであっても同様の動作となる。
【０３８２】
選択部４０２は、第二のチャネルのチャネル品質情報を入力し、入力した第二のチャネルのチャネル品質情報と復元部４０３が復元した第一のチャネルの復元値との差分値を算出し、算出した差分値に近い通知情報候補値を通知情報テーブル４０１（差分値候補値と絶対値候補値とを保持している）から選択して通知情報を生成する。復元部４０３は、生成した第二のチャネルの通知情報を入力し、前回通知情報として記憶する。
【０３８３】
通知情報生成装置４００は、更に、第二のチャネルと第三のチャネルというように、二つのチャネルの差分値に基づいて通知情報を生成する動作を繰り返して、複数のチャネル全部の通知情報を生成する。
【０３８４】
また、上記各実施形態の通知情報生成装置は、回路等のハードウェア、あるいは、ソフトウェアによって実現することができる。ソフトウェアで実現する場合、コンピュータの動作に関するプログラム（通知情報生成プログラム）によって実現することができる。通知情報生成プログラムは、計算機内（通信装置内）のメモリにロードされ中央処理演算装置（ＣＰＵ）の制御のもとで実行される。通知情報生成プログラムは、少なくとも次の手順を計算機に実行させる機能を備える。
【０３８５】
二つのチャネル品質情報の差を符号を伴って示す少なくとも一つの差分値候補値と、二つのチャネル品質情報の差の絶対値を示す少なくとも一つの絶対値候補値とを含む通知情報の候補値から、一つの候補値を選択し、選択した候補値に基づいて通知情報を生成する手順、を備える。より具体的には、（１）通知情報の候補値として、前記差分値候補値と、前記絶対値候補値とを通知情報テーブルへ複数記憶する手順、（２）第一のチャネルのチャネル品質情報に基づいて生成された通知情報を用いて復元値を生成する手順、（３）前記第一のチャネルとは異なる第二のチャネルのチャネル品質情報を入力し、前記第二のチャネルのチャネル品質情報と前記復元値とに基づいて、前記通知情報の候補値から一つの候補値を選択し、選択した候補値に基づいて通知情報を生成する手順、を実行させる機能を備える。
【０３８６】
さらに、（４）起点とするチャネルについては、入力されたチャネル品質情報を通知情報として出力する手順を備えていてもよい。
【０３８７】
（第１０の実施形態）
第１０の実施形態では、通知情報候補値を特定する候補値番号を用いて通知情報を生成する通知情報生成装置を説明する。第７の実施形態から第９の実施形態では、通知情報は、通知情報候補値そのものである場合を想定して説明したが、本実施形態では、通知情報は、通知情報候補値のどの値かを示す候補値番号を用いて生成される場合を説明する。
【０３８８】
以下の説明では、図３に示した通知情報生成装置４００を用いて説明するが、本実施形態は図１３に示す通知情報生成装置４９０に適用することも可能である。通知情報生成装置４００は、ｎビットの通知情報を生成する場合を一例として説明する。しかしながら、復元部は、累積値を算出する場合に、通知情報テーブルを参照する、あるいは、選択部から通知情報候補値と候補値番号との対応を通知されることなどにより、候補値番号と通知情報候補値とを対応づける情報の入手が必要である。
【０３８９】
通知情報テーブル４０１は、通知情報候補値そのものの値を記憶すると共に、通知情報候補値を特定する候補値番号と対応づけて記憶する。通知情報テーブル４０１は、通知情報の候補値を特定する候補値番号を２ｎ個記憶するｎビットと、２ｎ個の候補値番号それぞれと対応する通知情報の候補値を記憶する記憶領域を備える。なお、起点とする通知情報については、起点とする通知情報がｎビットで通知できる値であること、あるいは、起点とする通知情報（例えば、チャネル品質情報そのもの）は別途通知することなどの方法により通知することが可能である。例えば、差分値候補値Ｘｋ（ｋ＝１〜Ｍ、Ｍは自然数）および絶対値候補値Ｙｊ（ｊ＝１〜Ｎ、Ｎは自然数）を通知情報候補値とする場合、ＭとＮとは、Ｍ＝２ｎ−Ｎの関係になる。
【０３９０】
選択部４０２は、図２８に示す手順に従って、通知情報候補値を選択し、選択した通知情報候補値を特定する候補値番号を用いて通知情報を生成する。
【０３９１】
復元部４０３は、通知情報として候補値番号を入力し、通知情報テーブル４０１を参照して復元されたチャネル品質情報を生成する。
【０３９２】
このように、本実施形態によれば、候補値番号を用いて通知情報をｎビットで生成することにより、通知情報の情報量を抑制することができる。これにより、通信装置間で送受信する制御情報量を抑制することができる。また、復元するチャネル品質情報の精度を保ちながら、通知情報量を一定とした通知情報を生成することが可能となり、通信装置間で送受信する制御情報通知手順の複雑化と非効率化を抑制することができる。
【０３９３】
（第１１の実施形態）
上記各実施形態で説明した通知情報生成装置は、次のような構成をとることも可能である。上記各実施形態では、選択部と復元部とから構成されるループを帰還する場合について説明した。上記各実施形態の選択部の内部では、各候補値に対して、復元部の内部の処理である復元処理と同様の処理を試行し、試行結果に基づいて一つの候補値を選択する。すなわち、選択部は、復元の機能と、復元結果を比較する機能を有している。そこで、選択部の内部の復元の機能を司る回路と復元部内の復元の機能を司る回路とを共通の回路で行なうこともできる。また、回路等のハードウェアに限らず、ソフトウェアで実現する場合も同様に共通化して実現することができる。
【０３９４】
図１５は、選択部に復元部を取り込んだ通知情報生成装置４８０の構成の一例を示すブロック図である。通知情報生成装置４８０は、通知情報テーブル４８１、選択部４８２、復元部４８３、並びに比較部４８４を備える。通知情報テーブル４８１は、図３の通知情報テーブル４０１と同様である。図１５のブロック構成では、選択部４８２の内部に復元部４８３が含まれる構成を取っている。選択されたチャネル品質情報は、選択部４８２の内部の比較部４８４に入力される。復元部４８３は記憶機能を有し、前回復元された復元値（累積値、一つ前のチャネルの処理において復元されたチャネル品質情報）が記憶される。復元部４８３は、一例として図５または図１４と同様の構成によって実現できる。
【０３９５】
次いで、本実施形態の通知情報生成装置４８０の動作を説明する。図３４は、本実施形態の通知情報生成装置４８０の動作の一例を示すフローチャートである。
【０３９６】
まず、通知情報生成装置４８０において、比較部４８４は、選択されたチャネル品質情報を入力する（Ｓ３１−２）。比較部４８４は、入力した選択されたチャネル品質情報が起点とするチャネルであるか否かを判断し（Ｓ３２−２）、起点とするチャネルの場合（Ｓ３２−２でＹｅｓ）、選択されたチャネル品質情報を通知情報、チャネル品質情報として出力し（Ｓ３３−２）、起点とするチャネルのチャネル品質情報を復元部４８３へ通知する（Ｓ３４−２）。復元部４８４は、通知されたチャネル品質情報を前回の復元値として記憶する（Ｓ３５−２）。
【０３９７】
起点とするチャネル以外の場合（Ｓ３２−２でＮｏ）、比較部４８４は、復元部４８３へ復元値の出力を指示し、復元部４８３は、絶対値候補値の符号を決定し（Ｓ３６−２）、決定した符号の絶対値候補値の値を含む通知情報候補値と、記憶した前回の復元値を用いて、暫定的な複数の復元値（暫定的に復元されたチャネル品質情報）を生成し、比較部４８４へ出力する（Ｓ３７−２）。
【０３９８】
具体的には、復元部４８３は、前回復元された復元値が記憶されており、通知情報テーブル４８１から通知情報候補値が順次入力される。復元部４８３は、前回の通知情報の符号に基づいて、第一の符号決定方法あるいは第２の符号決定方法のいずれかに基づいて、絶対値候補値の符号を決定し、決定した符号に基づいて絶対値候補値の値を特定し、通知情報候補値を特定する。なお、前回の通知情報の符号は、復元値と共に記憶されているものとする。復元部４８３は、前回の復元値と通知情報候補値とから（前回の復元値に通知情報候補値それぞれを加算して）、処理中のチャネル（サブキャリアブロック）に関して、暫定的に復元されたチャネル品質情報（暫定的な復元値）を算出する。次いで、復元部４８３は、暫定的に復元されたチャネル品質情報を通知情報候補値と関連付けて一時記憶すると共に、通知情報候補値と暫定的に復元されたチャネル品質情報とを比較部４８４に順次出力する。
【０３９９】
比較部４８４は、復元部４８３から順次入力される暫定的に復元されたチャネル品質情報と、前記選択されたチャネル品質情報とを比較し、比較した結果、選択されたチャネル品質情報に最も近くなる暫定的に復元されたチャネル品質情報を選択し（Ｓ３８−２）、選択した暫定的に復元されたチャネル品質情報に加算された通知情報候補値を通知情報として生成する（Ｓ３９−２）。
【０４００】
比較部４８４が行なう比較に関しては、計算手順の表現方法が異なるが、前述の構成における選択部が行なう比較と同様の評価である。比較部４８４は、生成した通知情報とその通知情報に対応する復元後のチャネル品質情報（複数の暫定的に復元されたチャネル品質情報のうち、選択した値）を出力すると共に（Ｓ４０−２）、選択した通知情報を示す信号（通知情報候補値を特定する信号）を復元部４８３に送る（Ｓ４１−２）。
【０４０１】
復元部４８３は、比較部４８４から送られた信号が示す通知情報候補値に対応する暫定的に復元されたチャネル品質情報を記憶し（Ｓ４２−２）、次の処理の際に前回復元された復元値（前回の復元値）として用いる。比較部４８４は、最後のチャネル（サブキャリアブロック）であるかを判断し（Ｓ４３−２）、最後のチャネルではない間は（Ｓ４３−２でＮｏ）、ステップＳ３２−２からの処理を繰り返し、最後のチャネルになったときに（Ｓ４３−２でＹｅｓ）処理を終了する。このように、復元処理の機能を共通化して、演算量を削減することができる。
【０４０２】
なお、図３４では、比較部４８４と復元部４８３の動作は順次実施されるように示しているが、処理によっては比較部４８４と復元部４８３とは並行して処理を実施することができる。また、図１５において、通知情報テーブル４８１は、専用の記憶領域を備える場合でもよいが、一時的に確保される記憶領域（キャッシュ）であってもよい。また、通知情報テーブル４８１は、選択部４８２（あるいは、復元部４８３、比較部４８４）内に一時的に確保される記憶領域であってもかまわない。
【０４０３】
さらに、本実施形態の通知情報生成装置４８０は、図３４に示した動作に限られることはない。例えば、暫定的な復元値の算出（図３４のステップＳ３７−２）については、比較部４８４で実施する構成とすることもできる。例えば、復元部４８３は、一つ前に処理したチャネルの復元値（前回の復元値）を記憶する構成とする。復元部４８３は、絶対値候補値の符号を決定し、絶対値候補値の値を決定する。次に、復元部４８３は、複数の通知情報候補値と前回の復元値を比較部４８４へ出力する。比較部４８４は、入力した複数の通知情報候補値と前回の復元値とを用いて暫定的に復元されたチャネル品質情報（暫定的な複数の復元値）を算出し、算出した暫定的な複数の復元値と選択されたチャネル品質情報とを比較し、選択されたチャネル品質情報に最も近い暫定的な復元値を選択する。
【０４０４】
比較部４８４は、選択した暫定的な復元値を復元されたチャネル品質情報として出力すると共に、選択した暫定的な復元値へ加算した通知情報候補値に基づいて、通知情報を生成し、出力する。また、比較部４８４は、選択した暫定的な復元値へ加算した通知情報候補値を特定する信号を復元部４８３へ出力する。復元部４８３は、比較部４８４から通知された信号に基づいて、選択された通知情報候補値を取得し、記憶領域に記憶している前回の復元値へ取得した通知情報候補値を加算した値を、前回の復元値として記憶する。
【０４０５】
このように、比較部４８４が暫定的な復元値を算出する方法では、図３４の手順に比べて演算量が増えることになるが、符号決定処理は、復元部４８３が一度決定すればよいことになり、第７の実施形態に比べ処理量を抑制することができる。
【０４０６】
なお、上記各実施形態で説明した絶対値候補値は、差分値候補値の絶対値より大きい値、あるいは、チャネル品質情報に基づいて選択される値、などを用いてもよい。また、チャネル品質情報に基づいて選択される値としては、信号を受信した通信装置から通知されたチャネル品質情報について統計を行なって（例えば、要約統計処理）算出した値（例えば、平均値、分散値、平均値から分散値を差し引いた値）、チャネルの周波数間隔、チャネル品質情報から得られる伝搬路の遅延分散値、およびドップラー周波数に基づいて決定した値などがある。絶対値候補値、差分値候補値は、整数とは限らず、小数などであってもよい。
【０４０７】
また、絶対値候補値に限らず、差分値候補値についても、チャネル品質情報に基づいて、変更することも可能である。通知情報候補値の変更は、一例として、通知情報生成装置の選択部において実施することができる。選択部は、複数のチャネルのチャネル品質情報を入力し、入力した複数のチャネル品質情報に基づいて、通知情報候補値を変更するか否かを判断し、判断結果に基づいて、通知情報候補値（差分値候補値、絶対値候補値のいずれか一方、あるいは両方）を変更することができる。
【０４０８】
選択部は、入力したチャネル品質情報や伝搬路の遅延分散値に基づいて、差分値候補値、絶対値候補値を変更し、通知情報テーブルを更新すると共に、基地局装置は、端末装置（通信先の通信装置）へ更新した通知情報候補値（候補値）に関する情報を通知する。通知する通知情報候補値に関する情報は、通知情報候補値そのものの値である場合もあるし、通知情報候補値を候補値番号で対応付けている場合は、候補値番号と、候補値番号に対応づけられる通知情報候補値に関する情報を通知することになる。端末装置は、受信した通知情報候補値に関する情報を通知情報生成装置の通知情報テーブルに格納する。これにより、伝搬路状態に応じて適切な通知情報候補値を決定することができると共に、通信中の変動に柔軟に対応することが可能となる。
【０４０９】
以上のように、本発明に係る好適な実施形態によれば、差分を用いてチャネル品質情報を通知する場合に、二つのチャネル品質情報の差を符号を伴って示す差分値候補値と、二つのチャネル品質情報の差の絶対値を示す絶対値候補値とを選択して通知することにより、差分に基づいて復元するチャネル品質情報の精度を向上させることができる。また、差分を用いて通知情報を生成することにより、通知する情報量を抑制することができる。通知する情報量を抑制することにより、システムのスループットを向上させ、消費電力を削減することが可能になる。
【０４１０】
（第１２の実施形態）
第１２の実施形態では、差分情報としてチャネル間の伝搬路情報の差分を二乗した値を用いる。
【０４１１】
図３５は、本発明に係る第１２の実施形態の基地局装置１００の構成例を示すブロック図である。基地局装置１００は、誤り訂正符号化部１０１、変調部１０２、マルチプレクス部１０３、逆フーリエ変換部１０４、無線送信部１０５、アンテナ部１０６，１０７、無線受信部１０８、デマルチプレクス部１０９、復調部１１０、誤り訂正復号化部１１１、通知情報復元部３００、通知情報生成装置４００−３、並びに、適応変調制御部１１２を備える。
【０４１２】
図３６は、本発明に係る第１２の実施形態の端末装置２００の構成例を示すブロック図である。端末装置２００は、アンテナ部２０１、２１４無線受信部２０２、フーリエ変換部２０３、デマルチプレクス部２０４、伝搬路推定部２０５、変調パラメータ選択部２０６、通知情報生成装置４００−３、通知情報復元部３００、適応復調制御部２０７、復調部２０８、誤り訂正復号化部２０９、誤り訂正符号化部２１０、変調部２１１、マルチプレクス部２１２、並びに、無線送信部２１３を備える。
【０４１３】
まず、図３５の基地局装置１００における下りリンク送信手順について説明する。誤り訂正符号化部１０１は、適応変調制御部１１２から通知される適応変調制御情報に基づいて、下りリンク送信データを誤り訂正符号化し、符号化されたデータ列を出力する。
【０４１４】
変調部１０２は、適応変調制御部１１２から通知される適応変調制御情報に基づいて、誤り訂正符号化部から出力された下りリンク送信データを変調し、変調されたシンボル列を出力する。
【０４１５】
マルチプレクス部１０３は、変調部１０２から出力されたシンボル列に、通知情報生成装置４００−３で生成された通知情報とパイロット信号を多重する。逆フーリエ変換部１０４は、マルチプレクス部１０３から出力された信号を逆フーリエ変換して出力する。逆フーリエ変換部１０４で変換された信号は、無線送信部１０５からアンテナ部１０６を介して送信される。
【０４１６】
次に、図３６の端末装置における下りリンク受信手順について説明する。アンテナ部２０１を介して無線受信部２０２で受信された信号は、フーリエ変換部２０３に送られ、フーリエ変換部２０３でフーリエ変換処理が行なわれる。フーリエ変換部２０３から出力された信号は、デマルチプレクス部２０４で、下りリンク受信データ信号と、下りリンク通知情報と、パイロット信号に分割される。デマルチプレクス部２０４から出力されたパイロット信号は、伝搬路推定部２０５に送られ、伝搬路推定処理に用いられる。
【０４１７】
伝搬路推定部２０５は、パイロット信号から伝搬路推定を行ない、伝搬路推定結果を出力する。なお、パイロット信号の代わりに下りリンク受信データ信号を用いて伝搬路推定を行なう場合は、伝搬路推定部２０５への入力信号はパイロット信号ではなく、下り受信データ信号あるいは下り受信データ信号の復調結果や復号結果となる構成となる。この場合、基地局装置１００内のマルチプレクス部１０３におけるパイロット信号多重処理と端末装置２００内のデマルチプレクス部２０４におけるパイロット信号の分離処理は必要ない。
【０４１８】
また、パイロット信号と下りリンク受信データ信号の両方を用いて伝搬路推定を行なう場合は、伝搬路推定部２０５へはパイロット信号だけではなく、下り受信データ信号あるいは下り受信データ信号の復調結果や復号結果も入力される構成となる。本発明は、これらの構成にも適用することができる。変調パラメータ選択部２０６は、伝搬路推定部２０５から出力された伝搬路推定結果に基づいて、下りリンクの変調パラメータを選択し、変調パラメータに関する情報（変調パラメータ情報）を通知情報生成装置４００−３に通知する。
【０４１９】
通知情報生成装置４００−３は、変調パラメータ選択部２０６で選択された変調パラメータに関する情報に基づいて、上りリンク通知情報を生成する。通知情報生成装置４００−３における処理に関しては、図３７を用いて後述する。
【０４２０】
デマルチプレクス部２０４から出力された下りリンク通知情報は、通知情報復元部３００に送られ、下りリンクの変調パラメータに関する情報が復元され、出力される。適応復調制御部２０７は、通知情報復元部３００で復元された変調パラメータに関する情報に基づいて、復調および誤り訂正復号処理を制御する信号を出力する。
【０４２１】
デマルチプレクス部２０４から出力された下りリンク受信データ信号は、復調部２０８に入力される。復調部２０８および誤り訂正復号部２０９では、適応復調制御部２０７からの適応復調制御信号に基づいて、それぞれ下りリンク受信データ信号の復調処理および誤り訂正復号化処理が行なわれ、下りリンク受信データが取り出される。なお、復調の前処理として、伝搬路推定部２０５で推定された伝搬路推定結果を用いて伝搬路補償処理を行なう構成や、誤り訂正復号化時に、伝搬路推定結果を参照する構成にしてもよいことは勿論であるが、本明細書の図面では省略している。
【０４２２】
次に、図３６の端末装置２００における上りリンク送信手順について説明する。誤り訂正符号化部２１０は、上りリンク送信データを誤り訂正符号化し、誤り訂正符号化したデータ列を出力する。変調部２１１は、誤り訂正符号化されたデータ列を変調し、変調シンボル列を出力する。マルチプレクス部２１２は、変調部２１１から出力された変調シンボル列に、通知情報生成装置４００−３から出力された上りリンク通知情報を多重する。マルチプレクス部２１２から出力された信号は、無線送信部２１３からアンテナ部２１４を介して送信される。
【０４２３】
次に、図３５の基地局装置１００における上りリンク受信手順について説明する。アンテナ部１０７を介して無線受信部１０８で受信した信号は、デマルチプレクス部１０９へ送られる。デマルチプレクス部１０９は、入力された信号から上りリンク受信データ信号と上りリンク通知情報を分離してそれぞれ出力する。なお、予め端末装置２００内のマルチプレクス部２１２でパイロット信号を多重しておき、基地局装置１００内のデマルチプレクス部１０９でパイロット信号を分離し、分離したパイロット信号を用いて、上りリンク受信データ信号および上りリンク通知情報に対して伝搬路補償をする構成としてもよいことは勿論であるが、本明細書では伝搬路補償に関する説明を省略している。
【０４２４】
デマルチプレクス部１０９から出力された上りリンク受信データ信号は、復調部１１０および誤り訂正復号化部１１１において、それぞれ復調処理および誤り訂正復号化処理が行なわれ、上りリンク受信データが取り出される。
【０４２５】
デマルチプレクス部１０９から出力された上りリンク通知情報は、通知情報復元部３００に送られ、変調パラメータに関する情報が復元される。復元された変調パラメータに関する情報は通知情報生成装置４００−３に送られる。
【０４２６】
通知情報生成装置４００−３は、通知情報復元部３００から通知された変調パラメータに関する情報に基づいて、下りリンク通知情報を生成すると共に、変調パラメータに関する情報を適応変調制御部１１２へ出力する。通知情報生成装置４００−３から出力された下りリンク通知情報はマルチプレクス部１０３に送られる。なお、この通知情報生成装置４００−３は、端末装置２００内の通知情報制御装置４００−３と同様のブロック構成で実現することができる。
【０４２７】
適応変調制御部１１２は、通知情報生成装置４００−３から通知された変調パラメータに関する情報に基づいて、変調処理および誤り訂正符号化処理を制御するための適応変調制御信号を生成し、変調部１０２と誤り訂正符号化部１０１へ出力する。
【０４２８】
なお、上記の説明では、基地局装置１００も通知情報生成装置４００−３を具備する構成について説明したが、基地局装置１００は必ずしも通知情報生成装置４００−３を有する必要は無い。通知情報生成装置４００−３を備えていない場合、デマルチプレクス部１０９から出力された通知情報を通知情報復元部３００に入力するだけでなく、下りリンク通知情報としてマルチプレクス部１０３に入力する。また、通知情報復元部３００から出力された変調パラメータに関する情報を適応変調制御部１１２に入力する。
【０４２９】
図３７は、本実施形態の通知情報生成装置４００−３の構成の一例を示すブロック図である。通知情報生成装置４００−３は、差分情報テーブル４０１−３、演算部４０２−３、並びに、復元部４０３−３を備える。以下では、通知情報生成装置４００−３の処理に関して説明する。
【０４３０】
差分情報テーブル４０１−３は、演算部４０２−３が算出する差分値の候補値（差分レベル、通知情報として通信先へ通知する値）となる差分情報を記憶する記憶領域である。候補値（差分値の候補値）は、所定の複数の数値であり、本実施形態では、｛＋１、±０、−１、−２｝の４つの値を差分情報として保持する場合を一例として説明するが、数値の値並びに数値の数は任意である。また、必ずしも差分情報として保持されるのは、差分値のみである必要はない。差分情報となる複数の候補値は、差分値と非差分値との組み合わせであってもよい。例えば、｛＋１、±０、−１、Ｙ｝という３つの差分値と１つの非差分値（Ｙ）とを差分情報として保持するような場合でも、本発明を適用することができる。Ｙは、伝搬路状態を示す値であってもよい。例えば、Ｙはある絶対的なレベル（例えばキャリアホール）であることを示す非差分値であってもよい。また、差分値、非差分値それぞれの個数も任意の数でかまわない。
【０４３１】
演算部４０２−３は、変調パラメータ情報（チャネル品質情報の一例）と差分情報テーブル４０１−３および復元部４０３−３から出力される復元された変調パラメータ情報（復元されたチャネル品質情報の一例）に基づいて、それぞれの差分情報の候補に対する二乗誤差（指標値の一例）を演算し、差分情報の候補の中から二乗誤差が最小となる候補値を選択し、通知情報として出力する。指標値は、差分値と候補値との誤差を示す値であり、差分値と候補値との差分を二乗した値（二乗誤差）、あるいは、差分値と候補値との差分の絶対値などの値が用いられる。本実施形態では、演算部４０２−３が二乗誤差を指標値として算出する場合を説明する。
【０４３２】
なお、二乗誤差の演算処理に関する説明は図３８を用いて後述する。演算部４０２−３は、二乗誤差の最小値を計算することより、最小二乗誤差演算部あるいは二乗誤差演算部ともいう。演算部４０２−３から出力された通知情報は、通知情報生成装置４００−３の出力となると共に、復元部４０３−３に送られる。演算部４０２−３は、予め通知情報を生成する処理単位を保持し、処理を開始するキャリアを起点とし、順番に各キャリアに対応する通知情報を生成する。
【０４３３】
復元部４０３−３は、通知情報から復元された変調パラメータ情報を生成し、復元された変調パラメータ情報を演算部４０２−３に帰還させる。また、復元部４０３−３は、演算部４０２−３より通知された通知情報を前回通知情報としてチャネル毎に順番に保持し、複数の前回通知情報を加算する機能を有する。加算された値は、前回通知情報に基づいて復元された変調パラメータ情報となる。
【０４３４】
ここで、二つの異なる周波数チャネルを第一のチャネル、第二のチャネルとすると、演算部４０２−３は、復元部４０３−３から入力される復元された変調パラメータ情報（第一のチャネルの復元チャネル品質情報）と、変調パラメータ情報（第二のチャネルのチャネル品質情報）とを入力し、復元された変調パラメータ情報と変調パラメータ情報との差分値を算出し、算出した差分値を通知情報として出力するという機能を有する。具体的には、指標値を算出して候補値を選択しているので、演算部４０２−３は、次の動作を行なう。
【０４３５】
演算部４０２−３は、第一のチャネルの復元チャネル品質情報へ複数の候補値それぞれを加算して第二のチャネルの暫定的なチャネル品質情報を複数生成し、入力した第二のチャネルのチャネル品質情報と生成した第二のチャネルの暫定的なチャネル品質情報それぞれとの差分に基づいて第二指標値を算出する。次いで、演算部４０２−３は、算出した第二指標値が小さい第二のチャネルの暫定的なチャネル品質情報を選択し、選択した第二のチャネルの暫定的なチャネル品質情報で用いた候補値を選択して通知情報を生成する。なお、計算手順の表現方法が異なるが、第二指標値は、第二のチャネルのチャネル品質情報と第一のチャネルの復元チャネル品質情報との差分値と、候補値との差分に基づいて算出する指標値と同じである。
【０４３６】
次に、通知情報生成装置内４００−３の帰還処理について説明する。演算部４０２−３は、変調パラメータ情報を入力し、入力した変調パラメータのうち、起点とする周波数チャネル（サブチャネル）の変調パラメータを判断する。ここでは、演算部４０２−３へ入力される最初の周波数チャネル（通信単位の中で最初の周波数チャネル）の変調パラメータを起点とする場合を一例として説明する。なお、起点とするチャネルは、処理するチャネルのうちの最初のチャネル（最初の番号のチャネル）でなくともよく、例えば、中間のチャネルや最後のチャネルであってもよい。
【０４３７】
演算部４０２−３は、起点とする周波数チャネルの変調パラメータ情報を、そのまま通知情報として出力する。起点とする周波数チャネルの変調パラメータ情報が復元部４０３−３に入力されたときは、復元部４０３−３は、通知された変調パラメータ情報をそのまま出力する。次に、２番目以降の周波数チャネルの変調パラメータ情報が演算部４０２−３に入力された場合、演算部４０２−３は、復元部４０３−３から送られた一つ前の周波数チャネルの復元された変調パラメータ情報が示すレベル（変調パラメータを特定する値）と、差分情報テーブル内に予め差分情報として保持している候補値との和を計算し、さらに入力された変調パラメータ情報が示すレベルとの二乗誤差（指標値）を演算する。複数の候補値の中で、二乗誤差が最小となる候補値を選択し、選択した候補値を通知情報として出力する。
【０４３８】
復元部４０３−３は、演算部４０２−３から出力された通知情報と、一つ前の周波数チャネルの復元された変調パラメータ情報が示すレベルを加算することにより、変調パラメータレベルを復元し、復元した変調パラメータレベルを示す変調パラメータ情報を演算部４０２−３に出力する。復元部４０３−３は、演算部４０２−３から出力された通知情報を保持し、保持した通知情報と、新たに通知された通知情報とに基づいて、現在処理している周波数チャネルの変調パラメータ情報を復元することになる。復元部４０３−３は、起点とする周波数チャネルについては、変調パラメータ情報（変調パラメータレベル）そのものを、その他の周波数チャネルについては、差分情報として保持している候補値を通知情報として取得するため、起点とする変調パラメータ情報へ、候補値を加算することにより、各周波数チャネルに対応する変調パラメータを復元することになる。復元部４０３−３は、通知情報を保持する際に、周波数チャネル毎に通知情報を保持していてもよいし、通知情報に基づいて復元した変調パラメータ情報を保持していてもよい。
【０４３９】
なお、通知情報生成装置４００−３における復元部４０３−３は、図３８の基地局装置１００における上りリンク通知情報に対する通知情報復元部３００、図４３の端末装置における下りリンク通知情報に対する通知情報復元部３００と同様の機能ブロック構成となる。本明細書では、説明を容易にするため、通知情報復元部３００と復元部４０３−３との異なる符号および名称を用いて説明する。
【０４４０】
通知情報生成装置４００−３は、複数の周波数チャネルに関して処理を繰り返すことにより、起点とする周波数チャネルの変調パラメータレベルを示す変調パラメータ情報と、２番目以降の周波数チャネルの差分値（差分レベル）を示す通知情報を出力する。
【０４４１】
図３８は、本実施形態の通知情報生成装置４００−３の動作の一例を表すフローチャートである。図３８中、ｋは、周波数チャネル番号を示す変数であり、１から処理する周波数チャネルの数ｋｍａｘの値をとる。Ｑｋは、通知情報生成部４００−３へ入力される変調パラメータ情報を設定する領域であり、変調パラメータレベル（変調パラメータを特定する値）が設定される。Ｑｄｋは、復元された変調パラメータ情報を設定する領域である。 ΔＱｄｋは、通知情報であり、差分値（起点とする周波数チャネルの場合は変調パラメータレベル）を設定する領域である。通知情報生成部４００−３は、ｋ個の周波数チャネルに関する変調パラメータ情報Ｑｋを入力し、差分値を算出して通知情報ΔＱｄｋを生成する。以下、図３８に沿って通知情報生成装置４００−３の帰還処理過程を詳細に説明する。
【０４４２】
演算部４０２−３は、周波数チャネル番号を示す変数であるｋを初期化し（Ｓ１０１）、起点とする最初の周波数チャネルの通知情報ΔＱｄ１に、最初の周波数チャネルの変調パラメータレベルＱ１をセットする（Ｓ１０２、起点チャネル品質情報生成処理）。演算部４０２−３は、ｋに１をインクリメントし（Ｓ１０３）、次の周波数チャネルに移る（処理チャネルのカウント）。ｋは、演算の対象となる周波数チャネル番号を示すことになる。演算部４０２−３は、差分情報テーブル４０１−３に保持する候補値を特定する差分情報番号ｉ（ｉは変数）と、暫定の最小二乗誤差を示す変数ｅｍｉｎを初期化する（Ｓ１０４、変数の初期化処理）。
【０４４３】
演算部４０２−３は、復元部４０３−３によって復元された変調パラメータレベルを入力し、ｋ−１番目の復元されたパラメータレベルＱｄｋ−１へ設定する。演算部４０２−３は、差分情報からｄｉで特定される候補値（複数の候補値のうち、ｉ番目の候補値を意味する）を選択し、ｋ番目の周波数チャネルの変調パラメータレベルＱｋと、復元された変調パラメータレベルＱｄｋ−１＋候補値ｄｉとの二乗誤差ｅを計算する（Ｓ１０５、二乗誤差算出処理）。
【０４４４】
演算部４０２−３は、計算した二乗誤差ｅと暫定の最小二乗誤差ｅｍｉｎを比較し（Ｓ１０６、二乗誤差判定処理）、ｅがｅｍｉｎよりも小さい場合（Ｓ１０６でＹｅｓ）、演算部４０２−３は、暫定の最小二乗誤差ｅｍｉｎをｅに更新し、暫定の差分値（差分情報の候補値）ｄｍｉｎをｄｉに更新する（Ｓ１０７、差分値更新処理）。ｅがｅｍｉｎ以上である場合（Ｓ１０６でＮｏ）並びにステップＳ１０７の処理後、演算部４０２−３は、ｉに１をインクリメントし（Ｓ１０８）、次の候補となる差分情報が示す候補値に移る。演算部４０２−３は、差分情報番号ｉと差分情報の候補数ｉｍａｘを比較し（Ｓ１０９）、差分情報番号ｉが候補数ｉｍａｘを超えた場合（Ｓ１０９でＹｅｓ）、ステップＳ１１０に移り、超えない場合（Ｓ１０９でＮｏ）、ステップＳ１０５に戻り、差分情報番号ｉが候補数ｉｍａｘを超えるまで、ステップＳ１０５からステップＳ１０９の処理を繰り返す。
【０４４５】
演算部４０２−３は、ｋ番目の周波数チャネルにおける差分情報から選択した候補値を差分値として決定する（Ｓ１１０）。すなわち、演算部４０２−３は、差分値を設定する通知情報 ΔＱｄｋの領域へｄｍｉｎをセットし、通知情報 ΔＱｄｋを復元部４０３−３へ出力する。復元部４０３−３は、ｋ番目の周波数チャネルの通知情報 ΔＱｄｋを演算部４０２−３より受け取り、前回復元したｋ−１番目の周波数チャネルの復元された変調パラメータ情報 Ｑｄｋ−１と通知情報 ΔＱｄｋとを用いて、ｋ番目の周波数チャネルの変調パラメータレベルを復元し、復元された変調パラメータ情報Ｑｄｋへ設定する。
【０４４６】
演算部４０２−３は、周波数チャネル番号を示す変数ｋと最大周波数チャネル数ｋｍａｘを比較し、一致する場合（Ｓ１１１でＹｅｓ）は処理を終了し、一致しない場合（Ｓ１１１でＮｏ）はステップＳ１０３からの処理を繰り返す。演算部４０２−３は、このようにして算出した通知情報［ΔＱｄ１、ΔＱｄ２、ΔＱｄ３、・・・・・、ΔＱｄｋｍａｘ］を、通知情報生成装置４００−３から出力する。
【０４４７】
なお、図３７では、通知情報生成部４００−３は、処理する周波数チャネル数分の変調パラメータ情報を入力し、周波数チャネル数分の通知情報をまとめて外部（図３６のマルチプレクス部２１２あるいは、図３５の適応変調制御部１１２）へ出力する場合を説明したが、これに限られるわけではない。演算部４０２−３は、周波数チャネル毎に通知情報ΔＱｄｋを外部へ出力してもよい。
【０４４８】
このようにして求めた通知情報の一例として、差分情報の候補値が｛＋１、±０、−１、−２｝の場合の例を図３９、図４０に示す。図３９は、通知情報生成部４００−３が通知情報を生成する場合の計算値の一例を示す図である。また、図４０は、入力された変調パラメータ情報と通知情報に基づいて復元された変調パラメータ情報とを示す図である。図４０の横軸は周波数チャネル番号（ＳＣｎ、ｎは正の整数）を示し、縦軸は変調パラメータ（ＭＣＳ）レベルを示している。なお、この例では、起点とする周波数チャネルはＳＣ１である。グラフ中の黒い丸印は通知情報生成装置４００−３に入力される変調パラメータ情報が示す変調パラメータレベル（ＭＣＳレベル）Ｑｋを示し、白抜きの三角印は復元部４０３−３で復元されたＭＣＳ情報が示す変調パラメータレベルＱｄｋを示している。また、白抜きの三角印の左肩に記載している数値は通知情報ΔＱｄｋとして選択された差分情報が示す候補値を示している。
【０４４９】
図３９、図４０の具体例を用いて、通知情報生成装置４００−３内の処理を、図３８のフローチャートにおける変数と関連付けて説明する。最初の周波数チャネルであるＳＣ１に関しては、ＭＣＳレベルである５を示すＭＣＳ情報を通知情報として出力する。一方、ＳＣ２以降の周波数チャネルに関しては、二乗誤差が最小になるように選択した差分レベルを示す差分情報を通知情報として出力する。
【０４５０】
まず、周波数チャネルＳＣ１における通知情報ΔＱｄ１を生成するとき、すなわち、図３９、図４０においてｋ＝１であるとき、通知情報生成装置４００−３への入力である変調パラメータ情報は、変調パラメータレベルＱ１＝「５」を示す。ＳＣ１は、起点とするチャネルであるので、演算部４０２−３は、変調パラメータレベルＱ１を示す入力情報をそのまま出力情報として、通知情報ΔＱｄ１を出力する。
【０４５１】
次に、周波数チャネルＳＣ２における通知情報ΔＱｄ２を生成するとき、すなわち、図３９、図４０においてｋ＝２であるとき、通知情報生成装置４００−３への入力である変調パラメータ情報は、変調パラメータレベルＱ２＝「３」を示す。図４１は、図３８の変数ｋ＝２の場合の通知情報生成装置４００−３の処理の一例を示す図である。復元部４０３−３は、ＳＣ１の変調パラメータレベルＱ１＝「５」を示す通知情報を、そのままＳＣ１の復元された変調パラメータ情報Ｑｄ１として出力する。ＳＣ２は、起点とするチャネルではないので、演算部４０２−３は、ＳＣ１の復元された変調パラメータレベルＱ１＝「５」と、差分情報テーブル４０１−３に設定されている差分情報の候補値｛＋１、±０、−１、−２｝（図３８におけるｄ１からｄｉｍａｘ）のそれぞれとの和｛６、５、４、３｝と、通知情報生成装置４００−３への入力である変調パラメータ情報Ｑ２＝「３」との二乗誤差ｅ｛９、４、１、０｝をそれぞれ計算し（図３８のＳ１０５）、最小となる二乗誤差ｅｍｉｎ（３−３）２（図３８のＳ１０７）のときの候補値ｄｉ＝「−２」（図３８におけるｄｍｉｎ）を通知情報ΔＱｄ２を出力情報として出力する。
【０４５２】
次に、周波数チャネルＳＣ３における通知情報ΔＱｄ３を生成するとき、すなわち、図３９、図４０においてｋ＝３であるとき、通知情報生成装置４００−３への入力である変調パラメータ情報は、変調パラメータレベルＱ３＝「０」を示す。図４２は、図３８の変数ｋ＝３の場合の通知情報生成装置４００−３の処理の一例を示す図である。復元部４０３−３は、ＳＣ２の通知情報が示す通知情報ΔＱｄ２＝「−２」とＳＣ１の復元された変調パラメータレベルＱ１＝「５」を加算することにより、ＳＣ２の復元された変調パラメータ情報として変調パラメータレベルＱｄ２＝「３」を出力する。ＳＣ３は、起点とするチャネルではないので、演算部４０２−３は、ＳＣ２の復元された変調パラメータレベルＱｄ２＝「３」と、差分情報テーブルに設定されている差分情報の候補値｛＋１、±０、−１、−２｝（図３８におけるｄ１からｄｉｍａｘ）のそれぞれとの和｛４、３、２、１｝と、通知情報生成装置４００−３への入力である変調パラメータ情報Ｑ３＝「０」との二乗誤差ｅ｛１６、９、４、１｝をそれぞれ計算し（図３８のＳ１０５）、最小となる二乗誤差ｅｍｉｎ（０−１）２（図３８のＳ１０７）のときの候補値ｄｉ＝「−２」（図３８におけるｄｍｉｎ）を通知情報ΔＱｄ３を出力情報として出力する。
【０４５３】
以降、同様の処理を行なうことにより、図３９、図４０に示すような［ΔＱｄ１、ΔＱｄ２、ΔＱｄ３、・・・・・、ΔＱｄｋｍａｘ］が通知情報として得られる。
【０４５４】
なお、図３７では、起点とする周波数チャネルは、最初の周波数チャネル１つである場合を示したが、複数であってもよく、最初の周波数チャネル以外の周波数チャネルを起点としてもよい。演算部４０２−３は、起点とする周波数チャネル番号を予め保持する。例えば、数本おきの周波数チャネルを起点とし、変調パラメータ情報をそのまま通知情報として出力し、起点以外の周波数チャネルに関して差分情報を通知情報として出力してもよい。このような場合、通知情報に要する情報量は増加するが、通知情報生成装置４００−３の入力となる変調パラメータが示す変調パラメータレベル（最適な変調パラメータレベル）に、より近い復元が可能となる。
【０４５５】
このように、最適な変調パラメータレベルと復元後の変調パラメータレベルの二乗誤差が最小となるように順次差分値を通知情報として選択することにより、復元後の変調パラメータレベルが最適な変調パラメータレベルに近くなるため、差分値を通知情報として用いることにより、最適な変調パラメータレベルを復元できないことに起因する特性劣化を抑制することができる。
【０４５６】
また、本実施形態では、通知情報生成装置４００−３は、周波数軸方向に複数存在するチャネルについて、差分値を算出して通知情報を生成している。複数のチャネルにおいて通知情報を生成する順序（どのチャネルを起点とするかも含めて）を決定しておくことにより、どのフレームも同様の復元方法で復元することができる。また、通知情報に要する情報量を、どのフレーム（初回送信フレームも）でも同一にすることができる。
【０４５７】
（第１３の実施形態）
第１２の実施形態では、複数の候補値から差分値を通知情報として選択する際、一つの周波数チャネルの二乗誤差が最小になるように順次差分情報を選択する場合について説明した。第１３の実施形態では、ｎ個の周波数チャネルの二乗誤差の総計が最小となるように差分情報の候補値を選択する場合について説明する。すなわち、二つの周波数チャネル間の変調パラメータ情報の差分値を算出するのではなく、複数の周波数チャネル間の差分値を用いて通知情報を生成する。
【０４５８】
本実施形態に係る基地局装置１００および端末装置２００のブロック構成は、図３５および図３６に示すブロック構成と同様の構成であるが、図３７に示す通知情報生成装置４００−３内の処理が第１２の実施形態と異なる。具体的には、演算部４０２−３は、復元部４０３−３から送られる変調パラメータ情報とｎ個の差分情報とから、暫定的に変調パラメータを復元する機能を有する。例えば、異なる三つのチャネル、第一、第二、第三について、暫定的に変調パラメータを復元して、あるチャネルの差分値を決定する動作について、一例として、第一のチャネルを起点とし、第二のチャネルの差分値を決定する場合を説明する。演算部４０２−３は、第一、第二および第三のチャネルのチャネル品質情報を入力する。演算部４０２−３は、第一のチャネルの変調パラメータ（チャネル品質情報）をそのまま通知情報として復元部４０３−３へ出力する。復元部４０３−３は、第一のチャネルの通知情報に基づいて、第一のチャネルの復元された変調パラメータ（復元チャネル品質情報）を生成し、演算部４０２−３へ出力する。
【０４５９】
演算部４０２−３は、復元部４０３−３から入力した第一のチャネルの復元された変調パラメータへ複数の候補値それぞれを加算して第二のチャネルの暫定的なチャネル品質情報を複数生成し、入力した第二のチャネルのチャネル品質情報と生成した第二のチャネルの暫定的なチャネル品質情報それぞれとの差分に基づいて第二指標値を算出する。さらに、演算部４０２−３は、第二のチャネルの暫定的なチャネル品質情報それぞれへ複数の候補値それぞれを加算して第三の暫定的なチャネル品質情報を複数生成し、入力した第三のチャネルのチャネル品質情報と生成した第三の暫定的なチャネル品質情報それぞれとの差分に基づいて第三指標値を算出する。演算部４０２−３は、算出した第二指標値と第三指標値との和が小さい第二のチャネルの暫定的なチャネル品質情報に用いた候補値を選択し、選択した候補値を用いて第二のチャネルに関する通知情報を生成する。なお、第二指標値と第三指標値とは、計算手順の表現方法が異なるが指標値と同じ値となる。
【０４６０】
上記では、第一のチャネルを起点として三つのチャネルの場合を説明したが、第一のチャネルが起点で無い場合においても、復元部４０３−３における復調された変調パラメータの処理が異なるものの、演算部４０２−３の動作は同様である。上記では、演算部４０２−３へ、第一のチャネルの復元されたチャネル品質情報と、第二および第三のチャネルのチャネル品質情報が入力された場合を説明したが、入力されるチャネル品質情報のチャネル数が三つ以上である場合にも、演算部４０２−３は、三つ以上のチャネルそれぞれについて、候補値を加算して、暫定的な変調パラメータを復元して、入力された変調パラメータとの差分値を算出することにより、処理が可能である。演算部４０２−３は、所定の数（例えば、第二のチャネルから第ｘのチャネルまでのｘ−１個とする）のチャネルのチャネル品質情報を入力し、所定の数のチャネルそれぞれについて暫定的なチャネル品質情報を生成することを繰り返して、複数の指標値（第二指標値、第三指標値、・・・・・第ｘ指標値）を算出し、算出した複数の指標値（ｘ−１個の指標値）の和が小さい組み合わせとなる第二のチャネルの暫定的なチャネル品質情報に用いた候補値を選択する。以下に具体的な通知情報生成装置４００−３の処理について説明する。
【０４６１】
図４３は、第１３の実施形態の通知情報生成装置の動作の一例を表すフローチャートである。図４３において、図３８と同じ変数は同様の値が設定される。変数ｎは、周波数チャネル数を示す。以下、図４３に沿って通知情報生成装置４００−３の帰還処理過程を詳細に説明する。図４３では、ｎ個の周波数チャネルの差分値の和を用いて、通知情報を生成する例を示している。従って、ｎは、差分値を算出する周波数チャネルからｎ個分周波数方向に隔てられた周波数チャネルを想定することになる。
【０４６２】
演算部４０２−３は、周波数チャネル番号を示す変数であるｋを初期化し（Ｓ２０１）、起点とする最初の周波数チャネルの通知情報ΔＱｄｋに、最初の周波数チャネルの変調パラメータレベルＱ１をセットする（Ｓ２０２、起点チャネル品質情報生成処理）。演算部４０２−３は、ｋに１をインクリメントし（Ｓ２０３）、次の周波数チャネルに移る（処理チャネルのカウント）。演算部４０２−３は、暫定の最小二乗誤差を示す変数ｅｍｉｎを初期化する（Ｓ２０４、変数ｅｍｉｎの初期化処理）。また、演算部４０２−３は、ｋ番目の周波数チャネルにおける差分情報番号を示す変数ｉｋ（ｋ＝１〜ｎ）を初期化する（Ｓ２０５ａ〜Ｓ２０５ｎ、変数ｉｋの初期化処理）。具体的には、１番目の周波数チャネルにおける差分情報番号を示す変数ｉ１を初期化し（Ｓ２０５ａ）、同様に、それぞれｋ＋１番目、…、ｋ−１＋ｎ番目の差分情報番号を示す変数ｉ２、…、ｉｎを初期化する（Ｓ２０５ｂ〜Ｓ２０５ｎ）。
【０４６３】
演算部４０２−３は、復元部４０３−３によって復元された変調パラメータレベルを入力し、ｋ−１番目の復元されたパラメータレベルＱｄｋ−１へ設定する。演算部４０２−３は、ｋ番目、…、ｋ−１＋ｎ番目の周波数チャネルの変調パラメータ情報が示す変調パラメータレベルＱｋ、…、Ｑｋ−１＋ｎと差分レベルとしてｄｉ１、…、ｄｉｎを示す差分情報を選択した場合の復元後の変調パラメータレベルＱｄｋ−１＋ｄｉ１…＋ｄｉｎの二乗誤差の総計ｅｎを計算する（Ｓ２０６、二乗誤差算出処理）。
【０４６４】
具体的には、演算部４０２−３は、差分情報からｄｉｎで特定される候補値（複数の候補値のうち、ｉ番目の候補値を意味する）を選択し、ｋ番目の周波数チャネルの変調パラメータレベルＱｋと、復元された変調パラメータレベルＱｄｋ−１＋候補値ｄｉとの二乗誤差ｅ１＝［Ｑｋ−（Ｑｄｋ−１＋ｄｉ１）］２と、ｋ＋１番目の周波数チャネルの変調パラメータレベルＱｋ＋１と、次に復元されることを想定した変調パラメータレベルＱｄｋ−１＋候補値ｄｉ１＋候補値ｄｉ２との二乗誤差ｅ２＝「［Ｑｋ＋１−（Ｑｄｋ−１＋ｄｉ１＋ｄｉ２）］２、・・・・・、ｅｎ＝「［Ｑｋ−（Ｑｄｋ−１＋ｄｉ１＋ｄｉ２・・・・・＋ｄｉｎ）］２のようにして、ｋ番目の周波数チャネルからｋ−１＋ｎ番目の周波数チャネルまでの二乗誤差を算出し、それらの和、（ｅ１＋ｅ１＋・・・・・ｅｎ）を計算して本実施形態の二乗誤差の総計ｅを計算する。ｅ１は、ｋ番目の周波数チャネルの二乗誤差であり、ｅ２は、Ｑｄｋ−１と二つの候補値とに基づいてｋ＋１番目の周波数チャネルを復元した変調パラメータレベルと、入力した変調パラメータレベルＱｋとの二乗誤差であり、ｅｎは、Ｑｄｋ−１とｎ個の候補値とに基づいて、ｋ−１＋ｎ番目の周波数チャネルを復元した変調パラメータレベルと、入力した変調パラメータレベルＱｋとの二乗誤差である。
【０４６５】
なお、図４３にはｋ−１＋ｎがｋｍａｘを超える場合については特に記載していないが、その場合はｋ番目、…、ｋｍａｘ番目の周波数チャネルにおける二乗誤差の合計を二乗誤差の総計ｅとすればよい。演算部４０２−３は、二乗誤差の総計ｅと暫定の最小二乗誤差の総計ｅｍｉｎを比較し（Ｓ２０７、二乗誤差判定処理）、二乗誤差の総計ｅがｅｍｉｎよりも小さい場合（Ｓ２０７でＹｅｓ）暫定の最小二乗誤差ｅｍｉｎを算出した二乗誤差の総計ｅに更新し、暫定の差分値（差分情報が示す候補値）ｄｍｉｎをｄｉ１に更新する（Ｓ２０８、差分値更新処理）。ｅがｅｍｉｎ以上である場合（Ｓ２０７でＮｏ）並びにステップＳ２０８の処理後、演算部４０２−３は、ｉｎに１をインクリメントし（Ｓ２０９）、次の候補となる差分情報が示す候補値移る。演算部４０２−３は、差分情報番号ｉｎと差分情報の候補数ｉｍａｘを比較し（Ｓ２１０ｎ）、ｉがｉｍａｘを超えた場合（Ｓ２１０ｎでＹｅｓ）、ステップＳ２０９ｎ−１に移り、超えない場合（Ｓ２１０ｎでＮｏ）、ステップＳ２０６からステップＳ２０９ｎの処理を繰り返す。同様にして、ステップＳ２０９ａ、…、Ｓ２０５ｎでは、ｉ１、・・・、ｉｎに１をインクリメントし、ステップＳ２１０ａ、…、Ｓ２１０ｎでは、差分情報番号ｉ１、・・・、ｉｎと差分情報の候補数ｉｍａｘを比較する。
【０４６６】
演算部４０２−３は、ｋ番目の周波数チャネルにおける差分情報から選択した候補値を差分値として決定する（Ｓ２１１）。すなわち、演算部４０２−３は、差分値を設定する通知情報ΔＱｄｋの領域へｄｍｉｎをセットし、ΔＱｄｋを復元部４０３−３へ出力する。復元部４０３−３は、ｋ番目の周波数チャネルの通知情報 ΔＱｄｋを演算部４０２−３より受け取り、前回復元したｋ−１番目の周波数チャネルの復元された変調パラメータ情報 Ｑｄｋ−１と通知情報 ΔＱｄｋとを用いて、ｋ番目の周波数チャネルの変調パラメータレベルを復元し、復元された変調パラメータ情報Ｑｄｋへ設定する。
【０４６７】
演算部４０２−３は、周波数チャネル番号を示す変数ｋと最大周波数チャネル数ｋｍａｘを比較し、一致する場合（Ｓ２１２でＹｅｓ）は処理を終了し、一致しない場合（Ｓ２１２でＮｏ）はステップＳ２０３からの処理を繰り返す。演算部４０２−３は、このようにして算出した通知情報［ΔＱｄ１、ΔＱｄ２、ΔＱｄ３、・・・・・、ΔＱｄｋｍａｘ］を、通知情報生成装置４００−３から出力する。
【０４６８】
このように、複数の周波数チャネルの二乗誤差の総計が最小となるような差分情報を通知情報として選択することにより、復元後の変調パラメータ情報が示す変調パラメータレベルが最適な変調パラメータレベルに近くなるため、差分情報を用いることにより、最適な変調パラメータレベルを示す変調パラメータ情報復元できないことに起因する特性劣化を抑制することができる。
【０４６９】
（第１４の実施形態）
第１２の実施形態では、起点とする最初の周波数チャネルに関しては、変調パラメータ選択部２０６で選択した変調パラメータ情報をそのまま通知情報とする場合について説明した。第１４の実施形態では、二乗誤差が最小になるように起点とする周波数チャネルの通知情報が示す変調パラメータレベルを選択する場合について説明する。
【０４７０】
本実施形態に係る基地局装置１００および端末装置２００のブロック構成は図３５および図３６に示すブロック構成と同様の構成である。図３７に示す通知情報生成装置４００−３内の処理が第１２の実施形態と異なる。演算部４０２−３は、起点とするチャネルの通知情報とする所定の品質情報を複数保持している。演算部４０２−３は、起点とするチャネルを含む複数のチャネルのチャネル品質情報を入力し、起点とするチャネルの通知情報へ保持している所定の品質情報それぞれを設定した場合毎に、入力した複数のチャネルそれぞれについて、指標値（差分値と選択した候補値との差）を算出する。演算部４０２−３は、起点とするチャネルの通知情報へ設定する所定の品質情報毎に、算出した複数のチャネルそれぞれの指標値を加算し、加算結果が小さくなる所定の品質情報を選択して、起点とするチャネルへ設定する所定の品質情報として決定する。以下に、通知情報生成装置４００−３の動作について説明する。
【０４７１】
図４４は、第１４の実施形態の通知情報生成装置の動作の一例を表すフローチャートである。図４４において、図３８と同じ変数は同様の値が設定される。以下、図４４に沿って通知情報生成装置の帰還処理過程を詳細に説明する。図４４では、起点とする周波数チャネルの変調パラメータの候補値は、所定の数が予め用意され、起点とする周波数チャネルの変調パラメータの複数の候補値は変調パラメータ情報番号として変数ｌを用いて特定し、起点とする周波数チャネルの変調パラメータの候補値は、Ｍｌで示す。ｑｄｋは、暫定的な復元された変調パラメータ情報を設定する領域であり、Ｑｄｋとは異なり、暫定的な復元された変調パラメータレベルが設定される。 Δｑｄｋは、暫定的な通知情報を設定する領域であり、ΔＱｄｋとは異なり、暫定的な差分値が設定される。
【０４７２】
演算部４０２−３は、起点とする周波数チャネルの候補となる変調パラメータ情報番号を示す変数ｌと暫定の最小二乗誤差の総計の最小値を示す変数ｅａｌｌｍｉｎを初期化し（Ｓ３０１）、周波数チャネル番号を示す変数であるｋを初期化する（Ｓ３０２）（初期化処理）。演算部４０２−３は、起点とする周波数チャネルの通知情報が示す変調パラメータレベルｑｄ１に、変調パラメータレベルＭｌをセットし、暫定の最小二乗誤差の総計ｅａｌｌを初期化する（Ｓ３０３）。演算部４０２−３は、ｋに１をインクリメントし（Ｓ３０４）、次の周波数チャネルに移る。
【０４７３】
演算部４０２−３は、復元部４０３−３によって復元された変調パラメータレベルを入力し、ｋ−１番目の復元されたパラメータレベルｑｄｋ−１へ設定する。演算部４０２−３は、差分情報からｄｉで特定される候補値（複数の候補値のうち、ｉ番目の候補値を意味する）を選択し、ｋ番目の周波数チャネルの変調パラメータレベルｑｋと、復元された変調パラメータレベルｑｄｋ−１＋候補値ｄｉとの二乗誤差ｅを計算する（Ｓ３０６、二乗誤差算出処理）。
【０４７４】
演算部４０２−３は、二乗誤差ｅと暫定の最小二乗誤差ｅｍｉｎを比較し（Ｓ３０７）、ｅがｅｍｉｎよりも小さい場合（Ｓ３０７でＹｅｓ）、暫定の最小二乗誤差ｅｍｉｎをｅに更新し、暫定の差分値（差分情報が示す候補値）ｄｍｉｎをｄｉに更新する（Ｓ３０８、差分値更新処理）。ｅがｅｍｉｎ以上である場合（Ｓ３０７でＮｏ）並びにＳ３０８の処理後、演算部は、ｉに１をインクリメントし（Ｓ３０８）、次の候補となる差分情報に移る。演算部４０２−３は、差分情報番号ｉと差分情報の候補数ｉｍａｘを比較し（Ｓ３１０）、ｉがｉｍａｘを超えた場合（Ｓ３１０でＹｅｓ）、ステップＳ３１１に移り、超えない場合（Ｓ３１０でＮｏ）、ステップＳ３０６に戻り、差分情報番号ｉが候補数ｉｍａｘを超えるまで、ステップＳ３０６からステップＳ３１０の処理を繰り返す。
【０４７５】
演算部４０２−３は、ｋ番目の周波数チャネルにおける差分情報から選択した候補値を暫定的に差分値として決定する（Ｓ３１１）。すなわち、演算部４０２−３は、差分値を通知する通知情報 Δｑｄｋの領域へ暫定的な差分値ｄｍｉｎをセットし、暫定的な通知情報 Δｑｄｋを復元部４０３−３へ出力する。復元部４０３−３は、ｋ番目の周波数チャネルの暫定的な通知情報 Δｑｄｋを演算部４０２−３より受け取り、前回復元したｋ−１番目の周波数チャネルの復元された変調パラメータ情報 ｑｄｋ−１と通知情報 Δｑｄｋとを用いて、ｋ番目の周波数チャネルの変調パラメータレベルを（ｑｄｋ−１＋Δｑｄｋ）を算出して復元し、復元された変調パラメータ情報ｑｄｋへ設定する。また、演算部４０２−３は、ｅａｌｌにｅｍｉｎを加算する。
【０４７６】
演算部４０２−３は、周波数チャネル番号ｋと周波数チャネル数ｋｍａｘを比較し（Ｓ３１２）、一致する場合（Ｓ３１２でＹｅｓ）、Ｓ３１３に移り、一致しない場合（Ｓ３１２でＮｏ）、ステップＳ３０４からＳ３１２の処理を繰り返す。演算部４０２−３は、最小二乗誤差の総計ｅａｌｌと暫定の最小二乗誤差の総計の最小値を示す変数ｅａｌｌｍｉｎを比較し（Ｓ３１３）、ｅａｌｌがｅａｌｌｍｉｎより小さい場合（Ｓ３１３でＹｅｓ）、ｅａｌｌｍｉｎをｅａｌｌに更新し、［ΔＱｄ１、ΔＱｄ２、ΔＱｄ３、・・・・・、ΔＱｄｋｍａｘ］のそれぞれの領域へ［Δｑｄ１、Δｑｄ２、Δｑｄ３・・・・・、Δｑｄｋｍａｘ］をセットする（Ｓ３１４）。
【０４７７】
演算部４０２−３は、ｌに１をインクリメントし（Ｓ３１５）、最初の周波数チャネルに対する候補である変調パラメータ情報番号を示す変数ｌと起点とする周波数チャネルに対する候補である変調パラメータ情報数ｌｍａｘを比較し（Ｓ３１６）、ｌがｌｍａｘを超えた場合（Ｓ３１６でＹｅｓ）、処理を終了し、超えない場合（Ｓ３１６でＮｏ）、ステップＳ３０２からＳ３１６の処理を繰り返す。演算部４０２−３は、このようにして算出した通知情報［ΔＱｄ１、ΔＱｄ２、ΔＱｄ３、・・・・・、ΔＱｄｋｍａｘ］を、通知情報生成装置４００−３から出力する。
【０４７８】
このように、最初の周波数チャネルの変調パラメータを変化させて二乗誤差の総計が最小となるように差分情報を選択することにより、復元後の変調パラメータレベルが最適な変調パラメータレベルに近くなるため、差分情報を用いることにより最適な変調パラメータレベルを復元できないことに起因する特性劣化を抑制することができる。
【０４７９】
なお、本実施形態では、それぞれ周波数チャネルの暫定的な差分情報を選択する際、一つの周波数チャネルの二乗誤差を最小にするように差分情報を選択したが、第１３の実施形態で説明したように複数の周波数チャネルにおける二乗誤差の総計を最小にするように差分情報を選択してもよい。
【０４８０】
（第１５の実施形態）
第１５の実施形態では、通知された情報によって復元される信号の品質を考慮して差分値を算出して通知情報を生成する。本実施形態に係る基地局装置１００および端末装置２００のブロック構成は図３５および図３６に示すブロック構成と同様の構成である。
【０４８１】
図４５は、本実施形態の概念の一例を示す図である。通信端末２００は、変調パラメータ１の情報量を周波数領域における差分を用いて削減した通知情報を通知し、基地局装置１００は、通知情報から変調パラメータ２を用いて変調・符号化する。このとき、端末装置２００が、情報量を削減しているため、変調パラメータ１と変調パラメータ２は異なる可能性がある。そこで、本実施形態では、変調パラメータ１を適用して変調・符号化した信号１と変調パラメータ２を適用して変調・符号化した信号２の受信時の品質を近似するように情報量を削減する必要がある。
【０４８２】
ここで、音声信号における時間領域の差分を用いたデータ圧縮方式であるＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）の例と比較する。図４６は、ＡＤＰＣＭの概念図である。音声信号を量子化したＰＣＭ（Ｐｕｌｓｅ  Ｃｏｄｅ  Ｍｏｄｕｌａｔｉｏｎ）データを時間領域の差分を用いたＡＤＰＣＭデータに変換することにより情報量を削減する。ＡＤＰＣＭデータはＰＣＭデータに復元され、音声信号に変換される。このとき、音声データを量子化したデータであるＰＣＭデータ１とＰＣＭデータ２を近似するようにＡＤＰＣＭデータが作成される。ＡＤＰＣＭデータは、時系列の差分に基づくデータである。ＡＤＰＣＭでは、ＰＣＭデータ１とＰＣＭデータ２とが近似するように情報量が削減され、ＡＤＰＣＭデータが生成される。すなわち、音声信号２から音声信号１は完全な形で再現できない、いわゆる非可逆な関係であるが、音声信号２を音声信号１に近づけるように情報量が削減される。
【０４８３】
なお、ＡＤＰＣＭについては、非特許文献、ＩＴＵ−Ｔ、Ｒｅｃｏｍｍｅｎｄａｔｉｏｎ  Ｇ．７２６、“４０３−３２、２４、１６ｋｂｉｔ／ｓ  Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ（ＡＤＰＣＭ）”、１９９０年１２月に開示されている。
【０４８４】
一方、変調パラメータは、制御情報であり音声信号などの送信データそのものとは性格が異なる。すなわち、変調パラメータに関する情報量を差分により削減するためには、変調パラメータを用いて信号を変調および符号化する際の符号間距離を考慮することが望ましい。このとき、信号１と信号２は完全に同じデータである。変調パラメータ１と変調パラメータ２とが異なっても、符号間距離を考慮した結果、信号１の品質と信号２の品質とが同一となればよい。符号間距離は、誤り率特性、スループット特性（伝送レート）等に影響を与えるため、通知情報生成部４００−３は、これらの符号間距離を考慮して情報量削減をした通知情報を生成することが必要である。
【０４８５】
上記各実施形態では、差の指標として「二乗誤差」を用いて差分値（差分情報）を決定したが、差の指標として二乗誤差以外の指標を用いることもできる。例えば、「二乗誤差に任意の重み付けをした値」や「差分の絶対値」や「差分の絶対値に任意の重み付けをした値」など、最適な変調パラメータレベルと復元後の変調パラメータレベルの差に関する指標を用いれば、効果が得られる。
【０４８６】
あるいは、変調パラメータレベルの代わりに各変調パラメータレベルに対応する任意の値をテーブルとして準備しておき、これらの値の二乗誤差に基づいて差分情報を決定しても良い。この値として、例えば各変調パラメータが所要通信品質を満たすために必要な所要受信品質（例えば所要ＣＮＲ）などの値を用いることができる。
【０４８７】
一例として、各変調パラメータ（ＭＣＳ）において所望品質を満たすＣＮＲ値の差を重みとする場合について説明する。
【０４８８】
例えば、通知情報生成部４００−３の演算部４０２−３は、変調パラメータ情報として通知される変調パラメータレベルへ重み付けを行なうことができる。図４７は、変調パラメータレベルに対応する重み付け値を示すテーブルの一例を示す図である。演算部４０２−３は、図４７に示すような各ＭＣＳに対応するＣＮＲ値が予め設定されており、変調パラメータ設定部２０６から送られた最適なＭＣＳレベル（変調パラメータレベル）がＭＣＳ３、復元部４０３−３が出力する復元された変調パラメータ情報のＭＣＳレベルがＭＣＳ４であった場合、演算部４０２−３は、二乗誤差としてＣＮＲ値の差分の二乗誤差（２．５−０．５）２＝４を算出する。上記各実施形態では、変調パラメータレベルの差分の二乗誤差を用いていたが、本実施形態では、変調パラメータレベルに対応するＣＮＲ値レベルの差分の二乗誤差を用いることになる。このようにして、演算部４０２−３は、差分情報テーブル４０１−３に保持する各差分情報の候補値において算出した二乗誤差を比較し、二乗誤差が最小となる差分値を通知情報として出力する。
【０４８９】
これにより、各変調パラメータレベル間での誤り率特性の変動が一様でない場合においても、より所要品質に近い変調パラメータを復元することができる。
【０４９０】
また、他の一例として、図４８に示すように、差分情報の候補値の符号に対応する重みを設定しておき、変調パラメータ設定部２０６から送られた最適な変調パラメータレベルと復元部４０３−３から出力された復元された変調パラメータ情報の変調パラメータレベルとに基づいて得られた変調パラメータレベルの差の符号により、図４８に基づいて重みを変更する。
【０４９１】
例えば、変調パラメータ設定部２０６から送られた最適な変調パラメータレベルがＭＣＳ３、復元部４０３−３から出力された復元された変調パラメータ情報の変調パラメータレベルがＭＣＳ５であった場合、（５−３）は、正であるので、二乗誤差として（５−３）２×１＝４を算出する。逆に、変調パラメータ設定部から送られた最適なＭＣＳがＭＣＳ５、復元部４０３−３から送られた変調パラメータと差分情報に基づいて得られたＭＣＳがＭＣＳ３であった場合、（３−５）は、負であるので、二乗誤差として（３−５）２×２＝８を算出する。このようにして、演算部４０２−３は、差分情報テーブル４０１−３に保持する各差分情報の候補値において算出した二乗誤差を比較し、二乗誤差が最小となる差分値を通知情報として出力する。
【０４９２】
これにより、複数の差分情報候補の中から、より誤り率が小さい変調パラメータを復元できるような差分情報を選択することができる。
【０４９３】
（第１６の実施形態）
上記各実施形態では、端末装置２００が上りリンク通知情報として変調パラメータに関連する通知情報を送信する場合について説明したが、量子化したＣＮＲ値などの伝搬路推定結果に関する情報に基づいて通知情報を生成し、生成した通知情報を報告する際にも同様に適用することができる。なお、伝搬路推定結果としてＣＮＲ（搬送波対雑音電力比）を用いた場合について説明するが、伝搬路推定結果としてはこの他ものを適用することも当然可能である。例えば、ＲＳＳＩ（Ｒｅｃｅｉｖｅ  Ｓｉｇｎａｌ  Ｓｔｒｅｎｇｔｈ  Ｉｎｄｉｃａｔｉｏｎ）、ＳＮＲ（信号対雑音電力比）、ＳＩＲ（信号対干渉電力比）、ＳＩＮＲ（Ｓｉｇｎａｌ  ｔｏ  Ｉｎｔｅｒｆｅｒｅｎｃｅ  ｐｌｕｓ  Ｎｏｉｓｅ  ｐｏｗｅｒ  Ｒａｔｉｏ：信号対干渉および雑音電力比）、ＣＩＮＲ（搬送波対干渉波および雑音電力比）、ＣＩＲ（搬送波対干渉波電力比）など受信信号電力や搬送波電力に関連した指標を用いることができる。
【０４９４】
以下では、伝搬路推定結果として量子化したＣＮＲを用い、量子化したＣＮＲに関する情報に基づいて通知情報を生成する場合について、第１２の実施形態における過程との差異を中心に説明する。
【０４９５】
図４９は、第１６の実施形態の基地局装置２９１の構成例を示すブロック図である。図４９に示す基地局装置２９１は、図３５に示す基地局装置１００とほぼ同様の構成要素を備えるが、基地局装置２９１は、通知情報復元部３９０と通知情報生成装置４００−３の間に変調パラメータ選択部１９１を有する点と、通知情報復元部３９０が、上りリンク通知情報として伝搬路推定結果（量子化ＣＮＲ）に関連する通知情報を復元する点が異なる。変調パラメータ選択部１９１は、図３６に示す端末装置２００内の変調パラメータ選択部２０６と同じ回路構成で実現することができる。通知情報復元部３９０は、図３５に示す通知情報復元部３００と入出力の情報量は異なるものの、同様の処理を行なう回路で実現可能である。通知情報生成装置４００−３は、図３７に示した構成と同様である。
【０４９６】
図５０は、第１６の実施形態の端末装置２９２の構成例を示すブロック図である。図５０に示す端末装置２９２は、図３６に示す端末装置２００とほぼ同様の構成を備えるが、端末装置２９２が、伝搬路推定部２０５と通知情報生成部４９０−３の間に変調パラメータ選択部を必要としない点と、通知情報生成装置４９０−３が、伝搬路推定部２０５と通知情報生成部４９０−３の間に変調パラメータ選択部を必要としない点と、通知情報生成装置４９０−３は、伝搬路推定部２０５から出力される量子化ＣＮＲを入力信号とし、上りリンク通知情報として量子化ＣＮＲに関連する通知情報を生成する点が異なる。
【０４９７】
図５１は、本実施形態の通知情報生成装置４９０−３の構成例を示すブロック図である。通知情報生成装置４９０−３は、差分情報テーブル４９１−３、演算部４９２−３、並びに、復元部４９３−３を備える。
【０４９８】
差分情報テーブル４９１−３は、演算部４９２−３が算出する差分値の候補値（差分レベル）となる差分情報を記憶する記憶領域である。本実施形態の候補値は、量子化ＣＮＲのオーダの候補値である。
【０４９９】
演算部４９２−３は、チャネル品質情報として、伝搬路推定結果情報（量子化したＣＮＲ情報）を入力し、差分情報テーブル４９１−３および復元部４９３−３から出力される復元された変調パラメータ情報（復元されたチャネル品質情報の一例）に基づいて、それぞれの差分情報の候補に対する二乗誤差（差分値の一例）を演算し、差分情報の候補の中から二乗誤差が最小となる候補値を選択し、通知情報として出力する。具体的な動作は図３８と同様である。
【０５００】
復元部４９３−３は、演算部４９２−３から出力（通知）される通知情報を保持し、保持している前回通知された通知情報（前回通知情報）と、演算部４０２−３から新たに出力された差分値（通知情報）と、一つ前の周波数チャネルの復元された伝搬路推定結果情報が示すレベルを加算することにより、伝搬路推定結果情報を復元し、復元した伝搬路推定結果情報を演算部４０２−３に出力する。
【０５０１】
本実施形態の通知情報生成装置４９０−３は、伝搬路推定結果情報の一例として量子化ＣＮＲ情報を通知情報生成装置４９０−３に入力するため、各ブロックの回路規模は図３７に示す通知情報生成装置４００−３と異なるが、同様の処理を行なう回路で実現できる。
【０５０２】
このように、本実施形態によれば、最適な伝搬路推定結果情報（量子化ＣＮＲ情報）と復元後の伝搬路推定結果情報の二乗誤差が最小となるように順次差分値を通知情報として選択することにより、復元後の伝搬路推定結果情報が最適な伝搬路推定結果情報に近くなるため、差分値を通知情報として用いることにより、最適な伝搬路推定結果情報を復元できないことに起因する特性劣化を抑制することができる。
【０５０３】
なお、上記各実施形態の通信情報生成装置は、周波数領域（周波数軸方向）または時間領域（時間軸方向）の少なくとも一方において隣接する関係にあるチャネルのチャネル品質情報を順番に処理することにより、通知情報から復元されるチャネル品質情報の精度を向上させることができる。また、上記各実施形態の通信情報生成装置は、マルチキャリア通信システムを構成する通信装置に適用することも可能である。
【０５０４】
さらに、上記各実施形態の通知情報生成装置は、回路等のハードウェア、あるいは、ソフトウェアによって実現することができる。ソフトウェアで実現する場合、コンピュータの動作に関するプログラム（通知情報生成プログラム）によって実現することができる。通知情報生成プログラムは、計算機内（通信装置内）のメモリにロードされ中央処理演算装置（ＣＰＵ）の制御のもとで実行される。通知情報生成プログラムは、少なくとも次の手順を計算機に実行させる機能を備える。
【０５０５】
（１）第一のチャネルのチャネル品質情報に基づいて生成された通知情報を前回通知情報として保持し、保持した前回通知情報に基づいてチャネル品質情報を復元し、復元したチャネル品質情報を前記第一のチャネルの復元チャネル品質情報として出力する手順、（２）前記第一のチャネルとは異なる第二のチャネルのチャネル品質情報を入力し、入力した第二のチャネルのチャネル品質情報と前記第一のチャネルの復元チャネル品質情報との差分値を算出し、算出した差分値に基づいて通知情報を生成する手順、（３）生成した通知情報を入力し、前回通知情報として記憶する手順。
【０５０６】
また、（４）差分値の候補となる複数の候補値を差分情報として差分情報テーブル記憶する手順、（５）起点とするチャネルについては、入力されたチャネル品質情報を通知情報として出力する手順を備えていてもよい。また、（６）差分値と候補値との差分に基づいて指標値を算出し、算出した指標値が小さくなるように差分情報から一つの候補値を選択して通知情報を生成する手順を備えていてもよい。
【０５０７】
さらに、上記各実施形態で説明した通知情報生成装置は、次のような構成をとることも可能である。上記各実施形態では、演算部と復元部とから構成されるループを帰還する場合について説明した。上記各実施形態の演算部の内部では、各候補値に対して、復元部の内部の処理である復元処理と同様の処理を試行し、試行結果に基づいて一つの候補値を選択する。すなわち、演算部は、復元の機能と、復元結果を比較する機能を有している。そこで、演算部の内部の復元の機能を司る回路と復元部内の復元の機能を司る回路とを共通の回路で行なうこともできる。
【０５０８】
図５２は、演算部に復元部を取り込んだ通知情報生成装置の構成の一例を示すブロック図である。通知情報生成装置４８０−３は、差分情報テーブル４８１−３、演算部４８２−３、復元部４８３−３、並びに比較部４８４−３を備える。差分情報テーブル４８１−３は、図３７の差分情報テーブル４０１−３と同様である。図５２のブロック構成では、演算部４８２−３の内部に復元部４８３−３が含まれる構成を取っている。選択されたチャネル品質情報は、演算部４８２−３の内部の比較部４８４−３に入力される。
【０５０９】
差分情報テーブル４８１−３から通知情報候補値が順次復元部４８３−３に入力される。さらに、復元部４８３−３は記憶機能を有し、前回復元された復元値（一つ前のチャネルの処理において復元されたチャネル品質情報）が記憶されている。復元部４８３−３は、前回復元された復元値と通知情報候補値とから、処理中のチャネル（サブキャリアブロック）に関して、暫定的に復元されたチャネル品質情報を算出し、暫定的に復元されたチャネル品質情報を通知情報候補値と関連付けて一時記憶すると共に、通知情報候補値と暫定的に復元されたチャネル品質情報とを比較部４８４−３に順次出力する。
【０５１０】
比較部４８４−３は、復元部４８３−３から順次入力される暫定的に復元されたチャネル品質情報と、前記選択されたチャネル品質情報との差分に基づいた指標値をそれぞれ算出し、それぞれの指標値を比較し、比較した結果、選択されたチャネル品質情報に最も近くなる暫定的に復元されたチャネル品質情報を選択し、選択した暫定的に復元されたチャネル品質情報に加算された通知情報候補値を通知情報として生成する。
【０５１１】
比較部４８４−３が行なう指標値演算と比較に関しては、前述の構成における演算部の処理と同様である。比較部４８４−３は、生成した通知情報とその通知情報に対応する復元後のチャネル品質情報（複数の暫定的に復元されたチャネル品質情報のうち、選択した値）を出力すると共に、選択した通知情報を示す信号を復元部４８３−３に送る。
【０５１２】
復元部４８３−３は、比較部４８４−３から送られた信号が示す通知情報候補値に対応する暫定的に復元されたチャネル品質情報を記憶し、次の処理の際に前回復元された復元値として用いる。
【図面の簡単な説明】
【０５１３】
【図１】本発明に係る第１、第７の実施形態における基地局装置の一構成例を示す機能ブロック図である。
【図２】本発明に係る第１、第７の実施形態における端末装置の一構成例を示す機能ブロック図である。
【図３】図２の端末装置における通知情報生成装置の機能ブロックの一例を示す図である。
【図４】第１の実施形態において通知情報を生成する動作の一例を示すフローチャートである。
【図５】第１の実施形態の通知情報復元部３の機能ブロックの一例を示す図である。
【図６】第１の実施形態において通知情報を復元する動作の一例を示すフローチャートである。
【図７】第１の実施形態における通知情報生成装置の入力である選択された変調パラメータと、通知情報生成装置による通知情報の生成結果および復元された変調パラメータの一例を示す図である。
【図８】図７の例に示した、選択された変調パラメータ、通知情報および復元された変調パラメータをグラフに示した図である。
【図９】第１の実施形態における通知情報生成装置の入力である選択された変調パラメータと、通知情報生成装置による、通知情報の生成結果および復元された変調パラメータの別の一例を示す。
【図１０】図９の例に示した、選択された変調パラメータ、通知情報および復元された変調パラメータをグラフに示した図である。
【図１１】本発明に係る第２、第８の実施形態における基地局装置の一構成例を示す機能ブロック図である。
【図１２】本発明に係る第２、第８の実施形態における端末装置の一構成例を示す機能ブロック図である。
【図１３】図１２の端末装置における通知情報生成装置の機能ブロックの一例を示す図である。
【図１４】第２、第８の実施形態の通知情報復元部の機能ブロックの一例を示す図である。
【図１５】選択部に復元の機能を取り込んだ通知情報生成装置の機能ブロックの一例を示す図である。
【図１６】第５の実施形態の通知情報生成装置の動作の一例を示すフローチャートである。
【図１７】第６の実施形態における通知情報生成装置の入力である選択された変調パラメータと、通知情報生成装置による通知情報の生成結果および復元された変調パラメータの一例を示す図である。
【図１８】図１７の例に示した、選択された変調パラメータ、通知情報および復元された変調パラメータをグラフに示した図である。
【図１９】第６の実施形態における通知情報生成装置の入力である選択された変調パラメータと、通知情報生成装置による、通知情報の生成結果および復元された変調パラメータの別の一例を示す。
【図２０】図１９の例に示した、選択された変調パラメータ、通知情報および復元された変調パラメータをグラフに示した図である。
【図２１】起点とするチャネルが複数配置される場合の通知情報生成装置の動作の一例を示すフローチャートである。
【図２２】図２１における復元値生成処理の動作の一例を示すフローチャートである。
【図２３】図２２における累積値算出処理の動作の一例を示すフローチャートである。
【図２４】複数のサブキャリアブロックを起点とした場合の、通知情報の生成結果および復元された変調パラメータのさらに別の一例を示す図である。
【図２５】図２４の例に示した、選択された変調パラメータ、通知情報および復元された変調パラメータをグラフに示した図である。
【図２６】絶対値候補値の符号を決定する方法の一例を示す図である。
【図２７】絶対値候補値の符号を決定する方法の別の一例を示す図である。
【図２８】第７の実施形態において通知情報を生成する動作の一例を示すフローチャートである。
【図２９】第７の実施形態において通知情報を復元する動作の一例を示すフローチャートである。
【図３０】第７の実施形態における通知情報生成装置の入力である選択された変調パラメータと、通知情報生成装置による通知情報の生成結果および復元された変調パラメータの一例を示す図である。
【図３１】図３０の例に示した、選択された変調パラメータ、通知情報および復元された変調パラメータをグラフに示した図である。
【図３２】第７の実施形態における通知情報生成装置の入力である選択された変調パラメータと、通知情報生成装置による、通知情報の生成結果および復元された変調パラメータの別の一例を示す。
【図３３】図３２の例に示した、選択された変調パラメータ、通知情報および復元された変調パラメータをグラフに示した図である。
【図３４】第１１の実施形態の通知情報生成装置の動作の一例を示すフローチャートである。
【図３５】本発明に係る第１２の実施形態の基地局装置の構成例を示すブロック図である。
【図３６】本発明に係る第１２の実施形態の端末装置の構成例を示すブロック図である。
【図３７】第１２の実施形態の通知情報生成装置の構成の一例を示すブロック図である。
【図３８】第１２の実施形態の通知情報生成装置の動作の一例を表すフローチャートである。
【図３９】通知情報生成部が通知情報を生成する場合の計算値の一例を示す図である。
【図４０】入力された変調パラメータ情報と通知情報に基づいて復元された変調パラメータ情報とを示す図である。
【図４１】図３８で変数ｋ＝２の場合の通知情報生成装置の処理の一例を示す図である。
【図４２】図３８で変数ｋ＝３の場合の通知情報生成装置の処理の一例を示す図である。
【図４３】第１３の実施形態の通知情報生成装置の動作の一例を表すフローチャートである。
【図４４】第１４の実施形態の通知情報生成装置の動作の一例を表すフローチャートである。
【図４５】第１５の実施形態の概念の一例を示す図である。
【図４６】ＡＤＰＣＭの概念図である。
【図４７】変調パラメータレベルに対応する重み付け値を示すテーブルの一例を示す図である。
【図４８】変調パラメータレベルに対応する重み付け値を示すテーブルの他の例を示す図である。
【図４９】第１６の実施形態の基地局装置の構成例を示すブロック図である。
【図５０】第１６の実施形態の端末装置の構成例を示すブロック図である。
【図５１】第１６の実施形態の通知情報生成装置の構成例を示すブロック図である。
【図５２】選択部に復元の機能を取り込んだ通知情報生成装置の機能ブロックの一例を示す図である。
【図５３】従来の通知情報を生成する通知情報生成装置の構成の一例を示すブロック図である。
【符号の説明】
【０５１４】
１００、１９０、２９１  基地局装置
１０１、２１０  誤り訂正符号化部
１０２、２１１  変調部
１０３、２１２  マルチプレクス部
１０４  逆フーリエ変換部
１０５、２１３  無線送信部
１０６、１０７、２０１、２１４  アンテナ部
１０８、２０２  無線受信部
１０９、２０４  デマルチプレクス部
１１０、２０８  復調部
１１１、２０９  誤り訂正復号化部
１１２  適応変調制御部
２００、２９０、２９２  端末装置
２０３  フーリエ変換部
２０５  伝搬路推定部
１９１、２０６  変調パラメータ選択部
２０７  適応復調制御部
３００、３９０  通知情報復元部
３０１、３９１  復元演算部
３０２、３９２  記憶部
４００、４８０、４９０  通知情報生成装置
４００−３、４８０−３、４９０−３  通知情報生成装置
４０１、４８１、４９１  通知情報テーブル
４０１−３、４８１−３、４９１−３  差分情報テーブル
４０２、４８２、４９２  選択部
４０２−３、４８２−３、４９２−３  演算部
４０３、４８３、４９３  復元部
４０３−３、４８３−３、４９３−３  復元部
４８４  比較部
４８４−３  比較部
【図１】
2010283892.tif 000004
【図２】
2010283892.tif 000005
【図３】
2010283892.tif 000006
【図４】
2010283892.tif 000007
【図５】
2010283892.tif 000008
【図６】
2010283892.tif 000009
【図７】
2010283892.tif 000010
【図８】
2010283892.tif 000011
【図９】
2010283892.tif 000012
【図１０】
2010283892.tif 000013
【図１１】
2010283892.tif 000014
【図１２】
2010283892.tif 000015
【図１３】
2010283892.tif 000016
【図１４】
2010283892.tif 000017
【図１５】
2010283892.tif 000018
【図１６】
2010283892.tif 000019
【図１７】
2010283892.tif 000020
【図１８】
2010283892.tif 000021
【図１９】
2010283892.tif 000022
【図２０】
2010283892.tif 000023
【図２１】
2010283892.tif 000024
【図２２】
2010283892.tif 000025
【図２３】
2010283892.tif 000026
【図２４】
2010283892.tif 000027
【図２５】
2010283892.tif 000028
【図２６】
2010283892.tif 000029
【図２７】
2010283892.tif 000030
【図２８】
2010283892.tif 000031
【図２９】
2010283892.tif 000032
【図３０】
2010283892.tif 000033
【図３１】
2010283892.tif 000034
【図３２】
2010283892.tif 000035
【図３３】
2010283892.tif 000036
【図３４】
2010283892.tif 000037
【図３５】
2010283892.tif 000038
【図３６】
2010283892.tif 000039
【図３７】
2010283892.tif 000040
【図３８】
2010283892.tif 000041
【図３９】
2010283892.tif 000042
【図４０】
2010283892.tif 000043
【図４１】
2010283892.tif 000044
【図４２】
2010283892.tif 000045
【図４３】
2010283892.tif 000046
【図４４】
2010283892.tif 000047
【図４５】
2010283892.tif 000048
【図４６】
2010283892.tif 000049
【図４７】
2010283892.tif 000050
【図４８】
2010283892.tif 000051
【図４９】
2010283892.tif 000052
【図５０】
2010283892.tif 000053
【図５１】
2010283892.tif 000054
【図５２】
2010283892.tif 000055
【図５３】
2010283892.tif 000056